(57)【要約】【課題】ＣＩｏＴ端末に好適なデータ送受信のための通信手続きを提供する。【解決手段】本発明の端末装置の通信制御方法は、第１のデータ送受信方法はＳＲＢ（Ｓｉｇｎａｌｌｉｎｇ  Ｒａｄｉｏ  Ｂｅａｒｅｒ）を用いてユーザデータを送受信する方法であり、第２のデータ送受信方法は、ＤＲＢ（Ｄａｔａ  Ｒａｄｉｏ  Ｂｅａｒｅｒ）を用いてユーザデータを送受信する方法であり、ユーザデータの送受信方法を、第１のデータ送受信方法から第２のデータ送受信方法に変更するステップと、前記第２のデータ送受信方法によってユーザデータをコアネットワークと送受信するステップとを有する。【選択図】図２２
2019050435.tif 000002
【特許請求の範囲】
【請求項１】
端末装置の通信制御方法であって、
第１のデータ送受信方法はＳＲＢ（Ｓｉｇｎａｌｌｉｎｇ  Ｒａｄｉｏ  Ｂｅａｒｅｒ）を用いてユーザデータを送受信する方法であり、第２のデータ送受信方法は、ＤＲＢ（Ｄａｔａ  Ｒａｄｉｏ  Ｂｅａｒｅｒ）を用いてユーザデータを送受信する方法であり、
ユーザデータの送受信方法を、第１のデータ送受信方法から第２のデータ送受信方法に変更するステップと、
前記第２のデータ送受信方法を用いてユーザデータをコアネットワークと送受信するステップと
を有することを特徴とする端末装置の通信制御方法。
【請求項２】
第１の識別情報は、第２のユーザデータの送受信方法を示す情報であり、
少なくとも第１の識別情報を含むＰＤＮ（Ｐａｃｋｅｔ  Ｄａｔａ  Ｎｅｔｗｏｒｋ）接続要求メッセージを前記コアネットワークに送信するステップと
を更に有することを特徴とする請求項１に記載の端末装置の通信制御方法。
【請求項３】
第２の識別情報はベアラ識別情報であり、第３の識別情報は許可する送受信方法を示す情報であり、
少なくとも第２の識別情報及び／又は第３の識別情報を含む、デフォルトＥＰＳ（Ｅｖｏｌｖｅｄ  Ｐａｃｋｅｔ  Ｓｙｓｔｅｍ）ベアラコンテキストアクティブ化要求メッセージを受信するステップと
を更に有することを特徴とする請求項１又は２に記載の端末装置の通信制御方法。
【請求項４】
前記第２の識別情報が前記ＤＲＢを識別する識別情報である場合、及び／又は、前記第３の識別情報が第２の送受信方法によるデータ送受信を許可することを示す識別情報の場合、ユーザデータの送受信方法を、第１のデータ送受信方法から第２のデータ送受信方法に変更するステップと
を更に有することを特徴とする請求項３に記載の端末装置の通信制御方法。
【請求項５】
第４の識別情報はベアラ識別情報であり、第５の識別情報は許可する送受信方法を示す情報であり、第６の識別情報はアタッチ手続きにおいてＰＤＮコネクションを確立するか否かを示す識別情報であり、
少なくとも第４の識別情報及び／又は第５の識別情報及び／又は第６の識別情報を含むアタッチ受諾メッセージをコアネットワークから受信するステップと
を更に有することを特徴とする請求項１に記載の端末装置の通信制御方法。
【請求項６】
前記第４の識別情報が前記ＳＲＢを識別する識別情報であり、及び／又は前記第５の識別情報が第１の送受信方法によるデータ送受信を許可することを示す識別情報であり、前記第６の識別情報がアタッチ手続きにおいてＰＤＮコネクションを確立しないことを示す識別情報である
ことを特徴とする請求項５に記載の端末装置の通信制御方法。
【請求項７】
Ｃ−ＳＧＮ（ＣＩｏＴ  Ｓｅｒｖｉｎｇ  Ｇａｔｅｗａｙ  Ｎｏｄｅ）の通信制御方法であって、
第１のデータ送受信方法はＳＲＢ（Ｓｉｇｎａｌｌｉｎｇ  Ｒａｄｉｏ  Ｂｅａｒｅｒ）を用いてユーザデータを送受信する方法であり、第２のデータ送受信方法は、ＤＲＢ（Ｄａｔａ  Ｒａｄｉｏ  Ｂｅａｒｅｒ）を用いてユーザデータを送受信する方法であり、
ユーザデータの送受信方法を、第１のデータ送受信方法から第２のデータ送受信方法に変更するステップと、
前記第２のデータ送受信方法を用いてユーザデータを端末装置と送受信するステップと
を有することを特徴とするＣ−ＳＧＮの通信制御方法。
【請求項８】
第１の識別情報は、第２のユーザデータの送受信方法を示す情報であり、
少なくとも第１の識別情報を含むＰＤＮ（Ｐａｃｋｅｔ  Ｄａｔａ  Ｎｅｔｗｏｒｋ）接続要求メッセージを前記端末装置から受信するステップと
を更に有することを特徴とする請求項７に記載のＣ−ＳＧＮの通信制御方法。
【請求項９】
第２の識別情報はベアラ識別情報であり、第３の識別情報は許可する送受信方法を示す情報であり、
少なくとも第２の識別情報及び／又は第３の識別情報を含むデフォルトＥＰＳ（Ｅｖｏｌｖｅｄ  Ｐａｃｋｅｔ  Ｓｙｓｔｅｍ）ベアラコンテキストアクティブ化要求メッセージを送信するステップと
を更に有することを特徴とする請求項７又は８に記載のＣ−ＳＧＮの通信制御方法。
【請求項１０】
前記第２の識別情報が前記ＤＲＢを識別する識別情報である場合、及び／又は、前記第３の識別情報が第２の送受信方法によるデータ送受信を許可することを示す識別情報の場合、
前記デフォルトＥＰＳ（Ｅｖｏｌｖｅｄ  Ｐａｃｋｅｔ  Ｓｙｓｔｅｍ）ベアラコンテキストアクティブ化要求メッセージの送信、及び／又は前記デフォルトＥＰＳ（Ｅｖｏｌｖｅｄ  Ｐａｃｋｅｔ  Ｓｙｓｔｅｍ）ベアラコンテキストアクティブ化要求メッセージの応答であるデフォルトＥＰＳベアラコンテキストアクティブ化受諾メッセージの受信に基づいて、ユーザデータの送受信方法を、第１のデータ送受信方法から第２のデータ送受信方法に変更するステップと
を更に有することを特徴とする請求項９に記載のＣ−ＳＧＮの通信制御方法。
【請求項１１】
第４の識別情報はベアラ識別情報であり、第５の識別情報は許可する送受信方法を示す情報であり、第６の識別情報はアタッチ手続きにおいてＰＤＮコネクションを確立するか否かを示す識別情報であり、
アタッチ要求メッセージを前記端末装置から受信するステップと、
少なくとも第４の識別情報及び／又は第５の識別情報及び／又は第６の識別情報を含むアタッチ受諾メッセージを前記端末装置に送信するステップと
を更に有することを特徴とする請求項７に記載のＣ−ＳＧＮの通信制御方法。
【請求項１２】
前記第４の識別情報は前記ＳＲＢを識別する識別情報であり、及び／又は前記第５の識別情報が第１の送受信方法によるデータ送受信を許可することを示す識別情報であり、前記第６の識別情報がアタッチ手続きにおいてＰＤＮコネクションを確立しないことを示す識別情報である
ことを特徴とする請求項１１に記載のＣ−ＳＧＮの通信制御方法。
【請求項１３】
端末装置であって、
第１のデータ送受信方法はＳＲＢ（Ｓｉｇｎａｌｌｉｎｇ  Ｒａｄｉｏ  Ｂｅａｒｅｒ）を用いてユーザデータを送受信する方法であり、第２のデータ送受信方法は、ＤＲＢ（Ｄａｔａ  Ｒａｄｉｏ  Ｂｅａｒｅｒ）を用いてユーザデータを送受信する方法であり、
ユーザデータの送受信方法を、第１のデータ送受信方法から第２のデータ送受信方法に変更する制御部と、
前記第２のデータ送受信方法を用いてユーザデータをコアネットワークと送受信する送受信部と
を有することを特徴とする端末装置。
【請求項１４】
第１の識別情報は、第２のユーザデータの送受信方法を示す情報であり、
前記送受信部は、少なくとも第１の識別情報を含むＰＤＮ（Ｐａｃｋｅｔ  Ｄａｔａ  Ｎｅｔｗｏｒｋ）接続要求メッセージを前記コアネットワークに送信する
ことを特徴とする請求項１３に記載の端末装置。
【請求項１５】
第２の識別情報はベアラ識別情報であり、第３の識別情報は許可する送受信方法を示す情報であり、
前記送受信部は、少なくとも第２の識別情報及び／又は第３の識別情報を含む、デフォルトＥＰＳ（Ｅｖｏｌｖｅｄ  Ｐａｃｋｅｔ  Ｓｙｓｔｅｍ）ベアラコンテキストアクティブ化要求メッセージを受信する
ことを特徴とする請求項１３又は１４に記載の端末装置。
【請求項１６】
前記制御部は、前記第２の識別情報が前記ＤＲＢを識別する識別情報である場合、及び／又は前記第３の識別情報が第２の送受信方法によるデータ送受信を許可することを示す識別情報の場合、ユーザデータの送受信方法を、第１のデータ送受信方法から第２のデータ送受信方法に変更する
ことを特徴とする請求項１５に記載の端末装置。
【請求項１７】
第４の識別情報はベアラ識別情報であり、第５の識別情報は許可する送受信方法を示す情報であり、第６の識別情報はアタッチ手続きにおいてＰＤＮコネクションを確立するか否かを示す識別情報であり、
前記送受信部は、少なくとも第４の識別情報及び／又は第５の識別情報及び／又は第６の識別情報を含むアタッチ受諾メッセージをコアネットワークから受信する
ことを特徴とする請求項１３に記載の端末装置。
【請求項１８】
前記第４の識別情報は前記ＳＲＢを識別する識別情報であり、及び／又は前記第５の識別情報が第１の送受信方法によるデータ送受信を許可することを示す識別情報であり、前記第６の識別情報がアタッチ手続きにおいてＰＤＮコネクションを確立しないことを示す識別情報である
ことを特徴とする請求項１７に記載の端末装置。
【請求項１９】
Ｃ−ＳＧＮ（ＣＩｏＴ  Ｓｅｒｖｉｎｇ  Ｇａｔｅｗａｙ  Ｎｏｄｅ）であって、
第１のデータ送受信方法はＳＲＢ（Ｓｉｇｎａｌｌｉｎｇ  Ｒａｄｉｏ  Ｂｅａｒｅｒ）を用いてユーザデータを送受信する方法であり、第２のデータ送受信方法は、ＤＲＢ（Ｄａｔａ  Ｒａｄｉｏ  Ｂｅａｒｅｒ）を用いてユーザデータを送受信する方法であり、
ユーザデータの送受信方法を、第１のデータ送受信方法から第２のデータ送受信方法に変更する制御部と、
前記第２のデータ送受信方法を用いてユーザデータを端末装置と送受信する送受信部と
を有することを特徴とするＣ−ＳＧＮ。
【請求項２０】
第１の識別情報は、第２のユーザデータの送受信方法を示す情報であり、
前記送受信部は、少なくとも第１の識別情報を含むＰＤＮ（Ｐａｃｋｅｔ  Ｄａｔａ  Ｎｅｔｗｏｒｋ）接続要求メッセージを前記端末装置から受信する
ことを特徴とする請求項１９に記載のＣ−ＳＧＮ。
【請求項２１】
第２の識別情報はベアラ識別情報であり、第３の識別情報は許可する送受信方法を示す情報であり、
前記送受信部は、少なくとも第２の識別情報及び／又は第３の識別情報を含むデフォルトＥＰＳ（Ｅｖｏｌｖｅｄ  Ｐａｃｋｅｔ  Ｓｙｓｔｅｍ）ベアラコンテキストアクティブ化要求メッセージを送信する
ことを特徴とする請求項１９又は２０に記載のＣ−ＳＧＮ。
【請求項２２】
前記制御部は、前記第２の識別情報が前記ＤＲＢを識別する識別情報である場合、及び／又は、前記第３の識別情報が第２の送受信方法によるデータ送受信を許可することを示す識別情報の場合、
前記デフォルトＥＰＳ（Ｅｖｏｌｖｅｄ  Ｐａｃｋｅｔ  Ｓｙｓｔｅｍ）ベアラコンテキストアクティブ化要求メッセージの送信、及び／又は前記デフォルトＥＰＳ（Ｅｖｏｌｖｅｄ  Ｐａｃｋｅｔ  Ｓｙｓｔｅｍ）ベアラコンテキストアクティブ化要求メッセージの応答であるデフォルトＥＰＳベアラコンテキストアクティブ化受諾メッセージの受信に基づいて、ユーザデータの送受信方法を、第１のデータ送受信方法から第２のデータ送受信方法に変更する
ことを特徴とする請求項２１に記載のＣ−ＳＧＮ。
【請求項２３】
第４の識別情報はベアラ識別情報であり、第５の識別情報は許可する送受信方法を示す情報であり、第６の識別情報はアタッチ手続きにおいてＰＤＮコネクションを確立するか否かを示す識別情報であり、
前記送受信部は、
アタッチ要求メッセージを前記端末装置から受信し、
少なくとも第４の識別情報及び／又は第５の識別情報及び／又は第６の識別情報を含むアタッチ受諾メッセージを前記端末装置に送信する
ことを特徴とする請求項１９に記載のＣ−ＳＧＮ。
【請求項２４】
前記第４の識別情報は前記ＳＲＢを識別する識別情報であり、及び／又は前記第５の識別情報が第１の送受信方法によるデータ送受信を許可することを示す識別情報であり、前記第６の識別情報がアタッチ手続きにおいてＰＤＮコネクションを確立しないことを示す識別情報である
ことを特徴とする請求項２３に記載のＣ−ＳＧＮ。
【発明の詳細な説明】
【技術分野】
【０００１】
本発明は、端末装置、Ｃ−ＳＧＮおよび通信制御方法に関する。
【背景技術】
【０００２】
近年の移動通信システムの標準化活動を行う３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）は、ＬＴＥ（Ｌｏｎｇ  Ｔｅｒｍ
Ｅｖｏｌｕｔｉｏｎ）のシステムアーキテクチャであるＳＡＥ（Ｓｙｓｔｅｍ  Ａｒｃｈｉｔｅｃｔｕｒｅ  Ｅｎｈａｎｃｅｍｅｎｔ）の検討を行っている。３ＧＰＰは、オールＩＰ化を実現する通信システムとしてＥＰＳ（Ｅｖｏｌｖｅｄ  Ｐａｃｋｅｔ  Ｓｙｓｔｅｍ）の仕様化を行っている。なお、ＥＰＳを構成するコアネットワークはＥＰＣ（Ｅｖｏｌｖｅｄ  Ｐａｃｋｅｔ  Ｃｏｒｅ）と呼ばれる。
【０００３】
また、近年３ＧＰＰでは、Ｍ２Ｍ（Ｍａｃｈｉｎｅ  ｔｏ  Ｍａｃｈｉｎｅ）通信技術の検討を行っている。なお、Ｍ２Ｍ通信とはマシンマシン型通信であってよい。３ＧＰＰでは、特に、ＩｏＴ（Ｉｎｔｅｒｎｅｔ  ｏｆ  Ｔｈｉｎｇｓ）を３ＧＰＰのセルラーネットワークサポートするための技術としてＣＩｏＴ（Ｃｅｌｌｕｌａｒ  Ｉｎｔｅｒｎｅｔ  ｏｆ  Ｔｈｉｎｇｓ）の検討を行っている。
【０００４】
ＩｏＴとは、スマートフォン等の携帯電話端末を含み、パソコンやセンサー装置などの様々なＩＴ機器を指し、ＣＩｏＴでは、こうした様々な端末装置をセルラーネットワークに接続するための技術課題を抽出し、解決策を仕様化している。
【０００５】
例えば、ＣＩｏＴでは、バッテリーが数年間維持できるようにするなどの電力消費の高効率化が必要な端末のための通信手続きの最適化や、屋内や地下状態における通信への対応や、安価に大量生産した大量の端末に対する接続性の提供などが要求される。更に、ＣＩｏＴは、簡易なエンドノードによる低データレート通信をサポートすることも要求条件として挙げられている。
【０００６】
なお、本稿では、これらの３ＧＰＰのコアネットワークへの接続が許可された端末をＣＩｏＴ端末と表現とする。
【先行技術文献】
【非特許文献】
【０００７】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；  Ａｒｃｈｉｔｅｃｔｕｒｅ  ｅｎｈａｎｃｅｍｅｎｔｓ  ｆｏｒ  Ｃｅｌｌｕｌａｒ  Ｉｎｔｅｒｎｅｔ  ｏｆ  Ｔｈｉｎｇｓ；  （Ｒｅｌｅａｓｅ  １３）
【発明の概要】
【発明が解決しようとする課題】
【０００８】
ＣＩｏＴでは、制御信号の効率化のために、複数の機能を持つ機能部をコアネットワーク内に配置する事を検討している。具体的には、従来のＭＭＥとＳＧＷとＰＧＷの機能を担うＣ−ＳＧＮ（ＣＩｏＴ  Ｓｅｒｖｉｎｇ  Ｇａｔｅｗａｙ  Ｎｏｄｅ）をコアネットワークに設けることを検討している。
【０００９】
３ＧＰＰでは、ＣＩｏＴ端末がＣＩｏＴのアクセスネットワークを介して、コアネット
ワークに接続する事が検討されている。
【００１０】
なお、ＣＩｏＴ端末が接続するコアネットワークは、スマートフォン等の携帯電話端末を収容する従来のコアネットワークであってもよいし、論理的に分割されたＣＩｏＴ端末を収容するためのコアネットワークであってもよいし、物理的に従来のコアネットワークとは異なるコアネットワークであってもよい。
【００１１】
しかし、これらのコアネットワークへの接続方法およびデータの送受信の手順が明らかになっていない。
【００１２】
本発明は、このような事情を鑑みてなされたもので、その目的は、ＣＩｏＴ端末に好適なデータ送受信のための通信手続きを提供する事である。
【課題を解決するための手段】
【００１３】
上記の目的を達成するために、本発明の端末装置の通信制御方法は、第１のデータ送受信方法はＳＲＢ（Ｓｉｇｎａｌｌｉｎｇ  Ｒａｄｉｏ  Ｂｅａｒｅｒ）を用いてユーザデータを送受信する方法であり、第２のデータ送受信方法は、ＤＲＢ（Ｄａｔａ  Ｒａｄｉｏ  Ｂｅａｒｅｒ）を用いてユーザデータを送受信する方法であり、ユーザデータの送受信方法を、第１のデータ送受信方法から第２のデータ送受信方法に変更するステップと、前記第２のデータ送受信方法を用いてユーザデータをコアネットワークと送受信するステップとを有する。
【００１４】
また、本発明のＣ−ＳＧＮ（ＣＩｏＴ  Ｓｅｒｖｉｎｇ  Ｇａｔｅｗａｙ  Ｎｏｄｅ）の通信制御方法は、第１のデータ送受信方法はＳＲＢ（Ｓｉｇｎａｌｌｉｎｇ  Ｒａｄｉｏ  Ｂｅａｒｅｒ）を用いてユーザデータを送受信する方法であり、第２のデータ送受信方法は、ＤＲＢ（Ｄａｔａ  Ｒａｄｉｏ  Ｂｅａｒｅｒ）を用いてユーザデータを送受信する方法であり、ユーザデータの送受信方法を、第１のデータ送受信方法から第２のデータ送受信方法に変更するステップと、前記第２のデータ送受信方法を用いてユーザデータを端末装置と送受信するステップとを有する。
【００１５】
また、本発明の端末装置は、第１のデータ送受信方法はＳＲＢ（Ｓｉｇｎａｌｌｉｎｇ
Ｒａｄｉｏ  Ｂｅａｒｅｒ）を用いてユーザデータを送受信する方法であり、第２のデータ送受信方法は、ＤＲＢ（Ｄａｔａ  Ｒａｄｉｏ  Ｂｅａｒｅｒ）を用いてユーザデータを送受信する方法であり、ユーザデータの送受信方法を、第１のデータ送受信方法から第２のデータ送受信方法に変更する制御部と、前記第２のデータ送受信方法を用いてユーザデータをコアネットワークと送受信する送受信部とを有する。
【００１６】
また、本発明のＣ−ＳＧＮ（ＣＩｏＴ  Ｓｅｒｖｉｎｇ  Ｇａｔｅｗａｙ  Ｎｏｄｅ）は、第１のデータ送受信方法はＳＲＢ（Ｓｉｇｎａｌｌｉｎｇ  Ｒａｄｉｏ  Ｂｅａｒｅｒ）を用いてユーザデータを送受信する方法であり、第２のデータ送受信方法は、ＤＲＢ（Ｄａｔａ  Ｒａｄｉｏ  Ｂｅａｒｅｒ）を用いてユーザデータを送受信する方法であり、ユーザデータの送受信方法を、第１のデータ送受信方法から第２のデータ送受信方法に変更する制御部と、前記第２のデータ送受信方法を用いてユーザデータを端末装置と送受信する送受信部とを有する。
【発明の効果】
【００１７】
本発明によれば、ＣＩｏＴ端末は、ＣＩｏＴ端末に最適化されたユーザデータ送信方法をはじめとする複数の送信方法を提供可能なコアネットワークへアタッチ及び又はデタッチし、通信することができる。
【図面の簡単な説明】
【００１８】
【図１】移動通信システムの概略を説明するための図である。
【図２】ＩＰ移動通信ネットワークの構成等の一例を説明するための図である。
【図３】ＩＰ移動通信ネットワークの構成等の一例を説明するための図である。
【図４】ｅＮＢの装置構成を説明するための図である。
【図５】第２の送受信手続きを説明するための図である。
【図６】ＭＭＥの装置構成を説明するための図である。
【図７】ＭＭＥの記憶部を説明するための図である。
【図８】ＭＭＥの記憶部を説明するための図である。
【図９】ＭＭＥの記憶部を説明するための図である。
【図１０】ＭＭＥの記憶部を説明するための図である。
【図１１】ＭＭＥの記憶部を説明するための図である。
【図１２】ＭＭＥの記憶部を説明するための図である。
【図１３】ＳＧＷの装置構成を説明するための図である。
【図１４】ＳＧＷの記憶部を説明するための図である。
【図１５】ＳＧＷの記憶部を説明するための図である。
【図１６】ＰＧＷの装置構成を説明するための図である。
【図１７】ＰＧＷの記憶部を説明するための図である。
【図１８】ＰＧＷの記憶部を説明するための図である。
【図１９】Ｃ−ＳＧＮの装置構成を説明するための図である。
【図２０】ＵＥの装置構成を説明するための図である。
【図２１】ＵＥの記憶部を説明するための図である。
【図２２】通信手続きの概要を説明するための図である。
【図２３】アタッチ手続きを説明するための図である。
【図２４】ＰＤＮ接続手続きを説明するための図である。
【図２５】第１の送受信方法変更手続きを説明するための図である。
【図２６】第２の送受信方法変更手続きを説明するための図である。
【図２７】第３の送受信方法変更手続きを説明するための図である。
【図２８】第１の送受信手続きを説明するための図である。
【発明を実施するための形態】
【００１９】
以下、図面を参照して本発明を実施する為に最良の形態について説明する。なお、本実施形態では一例として、本発明を適用した場合の移動通信システムの実施形態について説明する。
【００２０】
［１．システム概要］
図１は、本実施形態における移動通信システムの概略を説明するための図である。本図に示すように、移動通信システム１は、移動端末装置ＵＥ＿Ａ１０とｅＮＢ＿Ａ４５とコアネットワーク＿Ａ９０とＰＤＮ＿Ａ５により構成されている。
【００２１】
ここで、ＵＥ＿Ａ１０は無線接続可能な端末装置であればよく、ＵＥ（Ｕｓｅｒ  ｅｑｕｉｐｍｅｎｔ）または、ＭＥ（Ｍｏｂｉｌｅ  ｅｑｕｉｐｍｅｎｔ）またはＭＳ（Ｍｏｂｉｌｅ  Ｓｔａｔｉｏｎ）であってよい。
【００２２】
また、ＵＥ＿Ａ１０は、ＣＩｏＴ端末であってもよい。なお、ＣＩｏＴ端末とはコアネットワークＡ９０へ接続可能なＩｏＴ端末であり、ＩｏＴ端末とは、スマートフォン等の携帯電話端末を含み、パソコンやセンサー装置などの様々なＩＴ機器であってよい。
【００２３】
つまり、ＵＥ＿Ａ１０がＣＩｏＴ端末である場合、ＵＥ＿Ａ１０はＵＥ＿Ａ１０のポリシーまたはネットワークからの要求に基づいてＣＩｏＴ端末のために最適化された接続を
要求してもよいし、従来の接続を要求してもよい。または、ＵＥ＿Ａ１０は、出荷時に予めＣＩｏＴ端末のために最適化された通信手続きによってのみコアネットワーク＿Ａ９０に接続する端末装置として設定されてもよい。
【００２４】
ここで、コアネットワーク＿Ａ９０は、移動通信事業者（Ｍｏｂｉｌｅ  Ｏｐｅｒａｔｏｒ）が運用するＩＰ移動通信ネットワークのことである。
【００２５】
例えば、コアネットワーク＿Ａ９０は移動通信システム１を運用、管理する移動通信事業者のためのコアネットワークであってもよい、またはＭＶＮＯ（Ｍｏｂｉｌｅ  Ｖｉｒｔｕａｌ  Ｎｅｔｗｏｒｋ  Ｏｐｅｒａｔｏｒ）などの仮想移動通信事業者のためのコアネットワークであってよい。または、コアネットワーク＿Ａ９０はＣＩｏＴ端末を収容する為のコアネットワークであってもよい。
【００２６】
また、ｅＮＢ＿Ａ４５はＵＥ＿Ａ１０がコアネットワーク＿Ａ９０に接続するために用いられる無線アクセスネットワークを構成する基地局である。つまり、ＵＥ＿Ａ１０はｅＮＢ＿Ａ４５を用いてコアネットワーク＿Ａ９０に接続する。
【００２７】
また、コアネットワーク＿Ａ９０はＰＤＮ＿Ａ５に接続されている。ＰＤＮ＿Ａ５とは、ＵＥ＿Ａ１０に通信サービスを提供するパケットデータサービス網であり、サービス毎に構成しても良い。ＰＤＮには、通信端末が接続されており、ＵＥ＿Ａ１０はＰＤＮ＿Ａ５に配置された通信端末とユーザデータの送受信を行うことができる。
【００２８】
なお、ユーザデータとは、ＵＥ＿Ａ１０とＰＤＮ＿Ａ５に含まれる装置との間で送受信するデータであってよい。なお、ＵＥ＿Ａ１０はコアネットワーク＿Ａ９０を介してＰＤＮ＿Ａ５にユーザデータを送信する。言い換えると、ＵＥ＿Ａ１０はＰＤＮ＿Ａ５にユーザデータを送受信するために、コアネットワーク＿Ａ９０とユーザデータを送受信する。より具体的には、ＵＥ＿Ａ１０はＰＤＮ＿Ａ５にユーザデータを送受信するために、ＰＧＷ＿Ａ３０やＣ−ＳＧＮ＿Ａ９５等のコアネットワーク＿Ａ９０内のゲートウェイ装置とユーザデータの送受信を行う。
【００２９】
次に、コアネットワーク＿Ａ９０の構成例を説明する。本実施形態では２つのコアネットワーク＿Ａ９０の構成例を説明する。
【００３０】
図２にコアネットワーク＿９０の構成の一例を示す。図２（ａ）のコアネットワーク＿Ａ９０は、ＨＳＳ（Ｈｏｍｅ  Ｓｕｂｓｃｒｉｂｅｒ  Ｓｅｒｖｅｒ）＿Ａ５０、ＡＡＡ（Ａｕｔｈｅｎｔｉｃａｔｉｏｎ、  Ａｕｔｈｏｒｉｚａｔｉｏｎ、  Ａｃｃｏｕｎｔｉｎｇ）＿Ａ５５、ＰＣＲＦ（Ｐｏｌｉｃｙ  ａｎｄ  Ｃｈａｒｇｉｎｇ  Ｒｕｌｅｓ  Ｆｕｎｃｔｉｏｎ）＿Ａ６０、ＰＧＷ（Ｐａｃｋｅｔ  Ｄａｔａ  Ｎｅｔｗｏｒｋ  Ｇａｔｅｗａｙ）＿Ａ３０、ｅＰＤＧ（ｅｎｈａｎｃｅｄ  Ｐａｃｋｅｔ  Ｄａｔａ  Ｇａｔｅｗａｙ）＿Ａ６５、ＳＧＷ（Ｓｅｒｖｉｎｇ  Ｇａｔｅｗａｙ）＿Ａ３５、ＭＭＥ（Ｍｏｂｉｌｉｔｙ  Ｍａｎａｇｅｍｅｎｔ  Ｅｎｔｉｔｙ）＿Ａ４０、ＳＧＳＮ（Ｓｅｒｖｉｎｇ  ＧＰＲＳ  Ｓｕｐｐｏｒｔ  Ｎｏｄｅ）＿Ａ４２により構成される。
【００３１】
また、コアネットワーク＿Ａ９０は、複数の無線アクセスネットワーク（ＬＴＥ  ＡＮ＿Ａ８０、ＷＬＡＮ  ＡＮｂ７５、ＷＬＡＮ  ＡＮａ７０、ＵＴＲＡＮ＿Ａ２０、ＧＥＲＡＮ＿Ａ２５）に接続することができる。
【００３２】
無線アクセスネットワークは、複数の異なるアクセスネットワークに接続して構成してもよいし、いずれか一つのアクセスネットワークに接続した構成であってもよい。さらに、ＵＥ＿Ａ１０は無線アクセスネットワークに無線接続することができる。
【００３３】
さらに、ＷＬＡＮアクセスシステムで接続可能なアクセスネットワークは、ｅＰＤＧ＿Ａ６５を介してコアネットワークへ接続するＷＬＡＮアクセスネットワークｂ（ＷＬＡＮ
ＡＮｂ７５）と、ＰＧＷ＿ＡとＰＣＲＦ＿Ａ６０とＡＡＡ＿Ａ５５とに接続するＷＬＡＮアクセスネットワークａ（ＷＬＡＮ  ＡＮａ７５）とが構成可能である。
【００３４】
なお、各装置はＥＰＳを利用した移動通信システムにおける従来の装置と同様に構成されるため、詳細な説明は省略する。以下、各装置の簡単な説明をする。
【００３５】
ＰＧＷ＿Ａ３０はＰＤＮ＿Ａ５とＳＧＷ＿Ａ３５とｅＰＤＧ＿Ａ６５とＷＬＡＮ  ＡＮａ７０と、ＰＣＲＦ＿Ａ６０とＡＡＡ＿Ａ５５とに接続されており、ＰＤＮ＿Ａ５とコアネットワーク＿Ａ９０のゲートウェイ装置としてユーザデータの転送を行う中継装置である。
【００３６】
ＳＧＷ＿Ａ３５は、ＰＧＷ３０とＭＭＥ＿Ａ４０とＬＴＥ  ＡＮ８０とＳＧＳＮ＿Ａ４２とＵＴＲＡＮ＿Ａ２０とに接続されており、コアネットワーク＿Ａ９０と３ＧＰＰのアクセスネットワーク（ＵＴＲＡＮ＿Ａ２０、ＧＥＲＡＮ＿Ａ２５、ＬＴＥ  ＡＮ＿Ａ８０）とのゲートウェイ装置としてユーザデータの転送を行う中継装置である。
【００３７】
ＭＭＥ＿Ａ４０は、ＳＧＷ＿Ａ３５とＬＴＥ  ＡＮ８０とＨＳＳ＿Ａ５０に接続されており、ＬＴＥ  ＡＮ８０を経由してＵＥ＿Ａ１０の位置情報管理と、アクセス制御を行うアクセス制御装置である。また、コアネットワーク＿Ａ９０には、複数の位置管理装置が含まれて構成されてよい。例えば、ＭＭＥ＿Ａ４０とは異なる位置管理装置が構成されてもよい。ＭＭＥ＿Ａ４０とは異なる位置管理装置はＭＭＥ＿Ａ４０と同様にＳＧＷ＿Ａ３５とＬＴＥ  ＡＮ８０と、ＨＳＳ＿Ａ５０と接続されてよい。
【００３８】
また、コアネットワーク＿Ａ９０内に複数のＭＭＥが含まれている場合、ＭＭＥ同士が接続されてもよい。これにより、ＭＭＥ間で、ＵＥ＿Ａ１０のコンテキストの送受信が行われてもよい。
【００３９】
ＨＳＳ＿Ａ５０はＭＭＥ＿Ａ４０とＡＡＡ＿Ａ５５とに接続されており、加入者情報の管理を行う管理ノードである。ＨＳＳ＿Ａ５０の加入者情報は、例えばＭＭＥ＿Ａ４０のアクセス制御の際に参照される。さらに、ＨＳＳ＿Ａ５０は、ＭＭＥ＿Ａ４０とは異なる位置管理装置と接続されていてもよい。
【００４０】
ＡＡＡ＿Ａ５５は、ＰＧＷ３０と、ＨＳＳ＿Ａ５０と、ＰＣＲＦ＿Ａ６０と、ＷＬＡＮ
ＡＮａ７０とに接続されており、ＷＬＡＮ  ＡＮａ７０を経由して接続するＵＥ＿Ａ１０のアクセス制御を行う。
【００４１】
ＰＣＲＦ＿Ａ６０は、ＰＧＷ＿Ａ３０と、ＷＬＡＮ  ＡＮａ７５と、ＡＡＡ＿Ａ５５と、ＰＤＮ＿Ａ５に接続されており、データ配送に対するＱｏＳ管理を行う。例えば、ＵＥ＿Ａ１０とＰＤＮ＿Ａ５間の通信路のＱｏＳの管理を行う。
【００４２】
ｅＰＤＧ＿Ａ６５は、ＰＧＷ３０と、ＷＬＡＮ  ＡＮｂ７５とに接続されており、コアネットワーク＿Ａ９０と、ＷＬＡＮ  ＡＮｂ７５とのゲートウェイ装置としてユーザデータの配送を行う。
【００４３】
ＳＧＳＮ＿Ａ４２は、ＵＴＲＡＮ＿Ａ２０とＧＥＲＡＮ＿Ａ２５とＳＧＷ＿Ａ３５と接続されており、３Ｇ／２Ｇのアクセスネットワーク（ＵＴＲＡＮ／ＧＥＲＡＮ）とＬＴＥのアクセスネットワーク（Ｅ−ＵＴＲＡＮ）間の位置管理のための制御装置である。更に
、ＳＧＳＮ＿Ａ４２は、ＰＧＷ及びＳＧＷの選択機能、ＵＥのタイムゾーンの管理機能、及びＥ−ＵＴＲＡＮへのハンドオーバー時のＭＭＥの選択機能を持つ。
【００４４】
また、図２（ｂ）に示すように、各無線アクセスネットワークには、ＵＥ＿Ａ１０が実際に接続される装置（例えば、基地局装置やアクセスポイント装置）等が含まれている。接続に用いられる装置は、無線アクセスネットワークに適応した装置が考えられる。
【００４５】
本実施形態においては、ＬＴＥ  ＡＮ８０はｅＮＢ＿Ａ４５を含んで構成される。ｅＮＢ＿Ａ４５はＬＴＥアクセスシステムでＵＥ＿Ａ１０が接続する無線基地局であり、ＬＴＥ  ＡＮ＿Ａ８０には１又は複数の無線基地局が含まれて構成されてよい。
【００４６】
ＷＬＡＮ  ＡＮａ７０はＷＬＡＮ  ＡＰａ７２と、ＴＷＡＧ＿Ａ７４とが含まれて構成される。ＷＬＡＮ  ＡＰａ７２はコアネットワーク＿Ａ９０を運営する事業者に対して信頼性のあるＷＬＡＮアクセスシステムでＵＥ＿Ａ１０が接続する無線基地局であり、ＷＬＡＮ  ＡＮａ７０には１又は複数の無線基地局が含まれて構成されてよい。ＴＷＡＧ＿Ａ７４はコアネットワーク＿Ａ９０とＷＬＡＮ  ＡＮａ７０のゲートウェイ装置である。また、ＷＬＡＮ  ＡＰａ７２とＴＷＡＧ＿Ａ７４とは、単一の装置で構成されてもよい。
【００４７】
コアネットワーク＿Ａ９０を運営する事業者とＷＬＡＮ  ＡＮａ７０を運営する事業者が異なる場合でも、事業者間の契約や規約によりこのような構成での実現が可能となる。
【００４８】
また、ＷＬＡＮ  ＡＮｂ７５はＷＬＡＮ  ＡＰｂ７６を含んで構成される。ＷＬＡＮ  ＡＰｂ７６はコアネットワーク＿Ａ９０を運営する事業者に対して信頼関係が結ばれていない場合に、ＷＬＡＮアクセスシステムでＵＥ＿Ａ１０が接続する無線基地局であり、ＷＬＡＮ  ＡＮｂ７５には１又は複数の無線基地局が含まれて構成されてよい。
【００４９】
このように、ＷＬＡＮ  ＡＮｂ７５はコアネットワーク＿Ａ９０に含まれる装置であるｅＰＤＧ＿Ａ６５をゲートウェイとしてコアネットワーク＿Ａ９０に接続される。ｅＰＤＧ＿Ａ６５は安全性を確保するためのセキュリティー機能を持つ。
【００５０】
ＵＴＲＡＮ＿Ａ２０は、ＲＮＣ（Ｒａｄｉｏ  Ｎｅｔｗｏｒｋ  Ｃｏｎｔｒｏｌｌｅｒ）＿Ａ２４とｅＮＢ（ＵＴＲＡＮ）＿Ａ２２を含んで構成される。ｅＮＢ（ＵＴＲＡＮ）＿Ａ２２は、ＵＴＲＡ（ＵＭＴＳ  Ｔｅｒｒｅｓｔｒｉａｌ  Ｒａｄｉｏ  Ａｃｃｅｓｓ）でＵＥ＿Ａ１０が接続する無線基地局であり、ＵＴＲＡＮ＿Ａ２０には１又は複数の無線基地局が含まれて構成されてよい。またＲＮＣ＿Ａ２４は、コアネットワーク＿Ａ９０とｅＮＢ（ＵＴＲＡＮ）＿Ａ２２を接続する制御部であり、ＵＴＲＡＮ＿Ａ２０には１又は複数のＲＮＣが含まれて構成されてよい。また、ＲＮＣ＿Ａ２４は１つまたは複数のｅＮＢ（ＵＴＲＡＮ）＿Ａ２２と接続されてよい。更に、ＲＮＣ＿Ａ２４は、ＧＥＲＡＮ＿Ａ２５に含まれる無線基地局（ＢＳＳ（Ｂａｓｅ  Ｓｔａｔｉｏｎ  Ｓｕｂｓｙｓｔｅｍ）＿Ａ２６）と接続されてよい。
【００５１】
ＧＥＲＡＮ＿Ａ２５は、ＢＳＳ＿Ａ２６を含んで構成される。ＢＳＳ＿Ａ２６は、ＧＥＲＡ（ＧＳＭ（登録商標）／ＥＤＧＥ  Ｒａｄｉｏ  Ａｃｃｅｓｓ）でＵＥ＿Ａ１０が接続する無線基地局であり、ＧＥＲＡＮ＿Ａ２５には１又は複数の無線基地局ＢＳＳで構成されてもよい。また、複数のＢＳＳは互いに接続しあっていてよい。またＢＳＳ＿Ａ２６はＲＮＣ＿Ａ２４と接続してもよい。
【００５２】
次に、第２のコアネットワーク＿Ａ９０の構成の一例を説明する。例えば、ＵＥ＿Ａ１０がＣＩｏＴ端末である場合、コアネットワーク＿Ａ９０は図３に示す構成であってもよい。図３のコアネットワーク＿Ａ９０は、Ｃ−ＳＧＮ（ＣＩｏＴ  Ｓｅｒｖｉｎｇ  Ｇａ
ｔｅｗａｙ  Ｎｏｄｅ）＿Ａ９５とＨＳＳ＿Ａ５０とで構成される。なお、図２と同様に、コアネットワーク＿Ａ９０は、ＬＴＥ以外のアクセスネットワークとの接続性を提供するために、ＡＡＡ＿Ａ５５及び／またはＰＣＲＦ＿Ａ６０及び／またはｅＰＤＧ＿Ａ６５及び／またはＳＧＳＮ＿Ａ４２がコアネットワーク＿Ａ９０に含まれてもよい。
【００５３】
Ｃ−ＳＧＮ＿Ａ９５は、図２のＭＭＥ＿Ａ４０とＳＧＷ＿Ａ３５とＰＧＷ＿Ａ３０の機能の一部又は全てを担うノードであってよい。Ｃ−ＳＧＮ＿Ａ９５はＣＩｏＴ端末の接続性の確立や切断、モビリティ等を管理するノードであってよい。
【００５４】
つまり、Ｃ−ＳＧＮ＿Ａ９５は、ＰＤＮ＿Ａとコアネットワーク＿Ａ９０間のゲートウェイ装置機能及び、コアネットワーク＿Ａ９０とＣＩＯＴ  ＡＮ＿Ａ１００間のゲートウェイ装置機能及び、ＵＥ＿Ａ１０の位置管理機能を有していてよい。
【００５５】
図に示すように、ＵＥ＿Ａ１０は無線アクセスネットワークＣＩＯＴ  ＡＮ＿Ａ１００を介して、コアネットワーク＿Ａ９０に接続する。
【００５６】
図３（ｂ）にＣＩＯＴ  ＡＮ＿Ａ１００の構成を示す。図に示すようにＣＩＯＴ  ＡＮ＿Ａ１００にはｅＮＢ＿Ａ４５が含まれて構成されてよい。ＣＩＯＴ  ＡＮ＿Ａ１００に含まれるｅＮＢ＿Ａ４５は、ＬＴＥ  ＡＮ＿Ａ８０に含まれるｅＮＢ＿Ａ４５と同じ基地局であってよい。または、ＣＩＯＴ  ＡＮ＿Ａ１００に含まれるｅＮＢ＿Ａ４５は、ＬＴＥ  ＡＮ＿Ａ８０に含まれるｅＮＢ＿Ａ４５と異なる、ＣＩｏＴ端末を収容する基地局であってよい。
【００５７】
なお、第１のコアネットワーク及び又は第２のコアネットワークは、ＩｏＴのために最適化されたシステムで構成されてよい。
【００５８】
なお、本明細書において、ＵＥ＿Ａ１０が各無線アクセスネットワークに接続されるという事は、各無線アクセスネットワークに含まれる基地局装置やアクセスポイント等に接続される事であり、送受信されるデータや信号等も、基地局装置やアクセスポイントを経由している。
【００５９】
［１．２．装置の構成］
以下、各装置の構成について説明する。
【００６０】
［１．２．１．ｅＮＢの構成］
以下、ｅＮＢ＿Ａ４５の構成について説明する。図４はｅＮＢ＿Ａ４５の装置構成を示す。図に示すように、ｅＮＢ＿Ａ４５はネットワーク接続部＿Ａ４２０と、送受信部＿Ａ４３０と、制御部＿Ａ４００と記憶部＿Ａ４４０で構成されている。ネットワーク接続部＿Ａ４２０と送受信部＿Ａ４３０と記憶部＿Ａ４４０は制御部＿Ａ４００と、バスを介して接続されている。
【００６１】
制御部＿Ａ４００はｅＮＢ＿Ａ４５を制御するための機能部である。制御部＿Ａ４００は、記憶部＿Ａ４４０に記憶されている各種プログラムを読みだして実行することにより各種処理を実現する。
【００６２】
ネットワーク接続部＿Ａ４２０は、ｅＮＢ＿Ａ４５がＭＭＥ＿Ａ４０及び／またはＳＧＷ＿Ａ３５またはＣ−ＳＧＮ＿Ａ９５と接続するための機能部である。さらに、ネットワーク接続部＿Ａ４２０は、ｅＮＢ＿Ａ４５がＭＭＥ＿Ａ４０及び／またはＳＧＷ＿Ａ３５またはＣ−ＳＧＮ＿Ａ９５からユーザデータ及び又は制御データを送受信する送受信機能部である。
【００６３】
送受信部＿Ａ４３０は、ｅＮＢ＿Ａ４５がＵＥ＿Ａ１０と接続するための機能部である。さらに、送受信部＿Ａ４３０は、ＵＥ＿Ａ１０からユーザデータ及び又は制御データを送受信する送受信機能部である。また、送受信部＿Ａ４３０には、外部アンテナ＿Ａ４１０が接続されている。
【００６４】
記憶部＿Ａ４４０は、ｅＮＢ＿Ａ４５の各動作に必要なプログラムや、データなどを記憶する機能部である。記憶部６４０は、例えば、半導体メモリや、ＨＤＤ（Ｈａｒｄ  Ｄｉｓｋ  Ｄｒｉｖｅ）等により構成されている。
【００６５】
記憶部＿Ａ４４０は、少なくとも、後述する通信手続き内で送受信する制御メッセージに含まれる識別情報及びまたは制御情報及び又はフラグ及び又はパラメータを記憶してもよい。
【００６６】
［１．２．２．ＭＭＥの構成］
以下、ＭＭＥ＿Ａ４０の構成について説明する。図６はＭＭＥ＿Ａ４０の装置構成を示す。図に示すように、ＭＭＥ＿Ａ４０はネットワーク接続部＿Ｂ６２０と、制御部＿Ｂ６００と記憶部＿Ｂ６４０で構成されている。ネットワーク接続部＿Ｂ６２０と記憶部＿Ｂ６４０は制御部＿Ｂ６００と、バスを介して接続されている。
【００６７】
制御部＿Ｂ６００はＭＭＥ＿Ａ４０を制御するための機能部である。制御部＿Ｂ６００は、記憶部＿Ｂ６４０に記憶されている各種プログラムを読みだして実行することにより各種処理を実現する。
【００６８】
ネットワーク接続部＿Ｂ６２０は、ＭＭＥ＿Ａ４０が、ｅＮＢ＿Ａ４５及び／またはＨＳＳ＿Ａ５０及び／またはＳＧＷ＿Ａ３５と接続するための機能部である。さらに、ネットワーク接続部＿Ｂ６２０は、ＭＭＥ＿Ａ４０が、ｅＮＢ＿Ａ４５及び／またはＨＳＳ＿Ａ５０及び／またはＳＧＷ＿Ａ３５からユーザデータ及び又は制御データを送受信する送受信機能部である。
【００６９】
記憶部＿Ｂ６４０は、ＭＭＥ＿Ａ４０の各動作に必要なプログラムや、データなどを記憶する機能部である。記憶部＿Ｂ６４０は、例えば、半導体メモリや、ＨＤＤ（Ｈａｒｄ
Ｄｉｓｋ  Ｄｒｉｖｅ）等により構成されている。
【００７０】
記憶部＿Ｂ６４０は、少なくとも、後述する通信手続き内で送受信する制御メッセージに含まれる識別情報及びまたは制御情報及び又はフラグ及び又はパラメータを記憶してもよい。
【００７１】
記憶部＿Ｂ６４０は、図に示すように、ＭＭＥコンテキスト６４２と、セキュリティーコンテキスト６４８、ＭＭＥ緊急構成データ６５０を記憶する。なお、ＭＭＥコンテキストは、ＭＭコンテキスト６４４と、ＥＰＳベアラコンテキスト６４６により構成される。または、ＭＭＥコンテキストはＥＭＭコンテキストとＥＳＭコンテキストで構成されてもよい。ＭＭコンテキスト６４４とはＥＭＭコンテキストの事であり、ＥＰＳベアラコンテキスト６４６はＥＳＭコンテキストの事であってもよい。
【００７２】
図７〜図９に（ｂ）ＵＥごとに記憶されるＭＭＥコンテキストの情報要素を示す。図に示すように、ＵＥごとに記憶されるＭＭＥコンテキストは、ＩＭＳＩ、ＩＭＳＩ−ｕｎａｕｔｈｅｎｔｉｃａｔｅｄ−ｉｎｄｉｃａｔｏｒ、ＭＳＩＳＤＮ、ＭＭ  Ｓｔａｔｅ、ＧＵＴＩ、ＭＥ  Ｉｄｅｎｔｉｔｙ、Ｔｒａｃｋｉｎｇ  Ａｒｅａ  Ｌｉｓｔ、ＴＡＩ  ｏｆ  ｌａｓｔ  ＴＡＵ、ＥＣＧＩ（Ｅ−ＵＴＲＡＮ  Ｃｅｌｌ  Ｇｌｏｂａｌ  Ｉｄｅｎ
ｔｉｔｙ）、Ｅ−ＵＴＲＡＮ  Ｃｅｌｌ  Ｉｄｅｎｔｉｔｙ  Ａｇｅ、ＣＳＧ  ＩＤ、ＣＳＧ  ｍｅｍｂｅｒｓｈｉｐ、Ａｃｃｅｓｓ  ｍｏｄｅ、Ａｕｔｈｅｎｔｉｃａｔｉｏｎ
Ｖｅｃｔｏｒ、ＵＥ  Ｒａｄｉｏ  Ａｃｃｅｓｓ  Ｃａｐａｂｉｌｉｔｙ、ＭＳ  Ｃｌａｓｓｍａｒｋ  ２、ＭＳ  Ｃｌａｓｓｍａｒｋ  ３、Ｓｕｐｐｏｒｔｅｄ  Ｃｏｄｅｃｓ、ＵＥ  Ｎｅｔｗｏｒｋ  Ｃａｐａｂｉｌｉｔｙ、ＭＳ  Ｎｅｔｗｏｒｋ  Ｃａｐａｂｉｌｉｔｙ、ＵＥ  Ｓｐｅｃｉｆｉｃ  ＤＲＸ  Ｐａｒａｍｅｔｅｒｓ、Ｓｅｌｅｃｔｅｄ  ＮＡＳ  Ａｌｇｏｒｉｔｈｍ、ｅＫＳＩ、Ｋ＿ＡＳＭＥ、ＮＡＳ  Ｋｅｙｓ  ａｎｄ
ＣＯＵＮＴ、Ｓｅｌｅｃｔｅｄ  ＣＮ  ｏｐｅｒａｔｏｒ  ＩＤ、Ｒｅｃｏｖｅｒｙ、Ａｃｃｅｓｓ  Ｒｅｓｔｒｉｃｔｉｏｎ、ＯＤＢ  ｆｏｒ  ＰＳ  ｐａｒａｍｅｔｅｒｓ、ＡＰＮ−ＯＩ  Ｒｅｐｌａｃｅｍｅｎｔ、ＭＭＥ  ＩＰ  ａｄｄｒｅｓｓ  ｆｏｒ  Ｓ１１、ＭＭＥ  ＴＥＩＤ  ｆｏｒ  Ｓ１１、Ｓ‐ＧＷ  ＩＰ  ａｄｄｒｅｓｓ  ｆｏｒ  Ｓ１１／Ｓ４、Ｓ  ＧＷ  ＴＥＩＤ  ｆｏｒ  Ｓ１１／Ｓ４、ＳＧＳＮ  ＩＰ  ａｄｄｒｅｓｓ  ｆｏｒ  Ｓ３、ＳＧＳＮ  ＴＥＩＤ  ｆｏｒ  Ｓ３、ｅＮｏｄｅＢ  Ａｄｄｒｅｓｓ  ｉｎ  Ｕｓｅ  ｆｏｒ  Ｓ１−ＭＭＥ、ｅＮＢ  ＵＥ  Ｓ１ＡＰ  ＩＤ、ＭＭＥ  ＵＥ  Ｓ１ＡＰ  ＩＤ、Ｓｕｂｓｃｒｉｂｅｄ  ＵＥ−ＡＭＢＲ、ＵＥ−ＡＭＢＲ、ＥＰＳ  Ｓｕｂｓｃｒｉｂｅｄ  Ｃｈａｒｇｉｎｇ  Ｃｈａｒａｃｔｅｒｉｓｔｉｃｓ、Ｓｕｂｓｃｒｉｂｅｄ  ＲＦＳＰ  Ｉｎｄｅｘ、ＲＦＳＰ  Ｉｎｄｅｘ  ｉｎ  Ｕｓｅ、Ｔｒａｃｅ  ｒｅｆｅｒｅｎｃｅ、Ｔｒａｃｅ  ｔｙｐｅ、Ｔｒｉｇｇｅｒ  ＩＤ、ＯＭＣ  ｉｄｅｎｔｉｔｙ、ＵＲＲＰ−ＭＭＥ、ＣＳＧ  Ｓｕｂｓｃｒｉｐｔｉｏｎ  Ｄａｔａ、ＬＩＰＡ  Ａｌｌｏｗｅｄ、Ｓｕｂｓｃｒｉｂｅｄ  Ｐｅｒｉｏｄｉｃ  ＲＡＵ／ＴＡＵ
Ｔｉｍｅｒ、ＭＰＳ  ＣＳ  ｐｒｉｏｒｉｔｙ、ＭＰＳ  ＥＰＳ  ｐｒｉｏｒｉｔｙ、Ｖｏｉｃｅ  Ｓｕｐｐｏｒｔ  Ｍａｔｃｈ  Ｉｎｄｉｃａｔｏｒ、Ｈｏｍｏｇｅｎｏｕｓ
Ｓｕｐｐｏｒｔ  ｏｆ  ＩＭＳ  Ｖｏｉｃｅ  ｏｖｅｒ  ＰＳ  Ｓｅｓｓｉｏｎｓを含む。
【００７３】
ＩＭＳＩは、ユーザの永久的な識別情報である。ＨＳＳ＿Ａ５０が記憶するＩＭＳＩと等しい。
【００７４】
ＩＭＳＩ−ｕｎａｕｔｈｅｎｔｉｃａｔｅｄ−ｉｎｄｉｃａｔｏｒは、このＩＭＳＩが認証されていない事を示す指示情報である。
【００７５】
ＭＳＩＳＤＮは、ＵＥの電話番号を表す。ＭＳＩＳＤＮはＨＳＳ＿Ａ５０の記憶部により示される。
【００７６】
ＭＭ  Ｓｔａｔｅは、ＭＭＥの移動管理（Ｍｏｂｉｌｉｔｙ  ｍａｎａｇｅｍｅｎｔ）状態を示す。この管理情報は、ｅＮＢとコアネットワーク間の接続が解放されているＥＣＭ−ＩＤＬＥ状態、ｅＮＢとコアネットワーク間の接続が解放されていないＥＣＭ−ＣＯＮＮＥＣＴＥＤ状態、またはＭＭＥがＵＥの位置情報を記憶していないＥＭＭ−ＤＥＲＥＧＩＳＴＥＲＥＤ状態を示す。
【００７７】
ＧＵＴＩ（Ｇｌｏｂａｌｌｙ  Ｕｎｉｑｕｅ  Ｔｅｍｐｏｒａｒｙ  Ｉｄｅｎｔｉｔｙ）は、ＵＥの一時的な識別情報である。ＧＵＴＩはＭＭＥの識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ内でのＵＥの識別情報（Ｍ−ＴＭＳＩ）により構成される。
【００７８】
ＭＥ  ＩｄｅｎｔｉｔｙＵＥのＩＤであり、例えば、ＩＭＥＩ／ＩＭＩＳＶであってもよい。
【００７９】
Ｔｒａｃｋｉｎｇ  Ａｒｅａ  Ｌｉｓｔは、ＵＥに割り当てたトラッキングエリア識別情報のリストである。
【００８０】
ＴＡＩ  ｏｆ  ｌａｓｔ  ＴＡＵは、最近のトラッキングエリア更新手続きで示されたトラッキングエリア識別情報である。
【００８１】
ＥＣＧＩは、ＭＭＥ＿Ａ４０が知る最近のＵＥのセルの識別情報である。
【００８２】
Ｅ−ＵＴＲＡＮ  Ｃｅｌｌ  Ｉｄｅｎｔｉｔｙ  Ａｇｅは、ＭＭＥがＥＣＧＩを取得してからの経過時間を示す。
【００８３】
ＣＳＧ  ＩＤは、ＭＭＥが知る、最近のＵＥが動作したＣＳＧ（Ｃｌｏｓｅｄ  Ｓｕｂｓｃｒｉｂｅｒ  Ｇｒｏｕｐ）の識別情報である。
【００８４】
ＣＳＧ  ｍｅｍｂｅｒｓｈｉｐは、ＭＭＥが知る最近のＵＥのＣＳＧのメンバー情報である。ＣＳＧ  ｍｅｍｂｅｒｓｈｉｐは、ＵＥがＣＳＧメンバーであるかどうかを示す。
【００８５】
Ａｃｃｅｓｓ  ｍｏｄｅはＥＣＧＩで識別されるセルのアクセスモードであり、ＥＣＧＩがＣＳＧとＣＳＧではないＵＥの両方にアクセスを許可するハイブリッドであることを示す識別情報であってもよい。
【００８６】
Ａｕｔｈｅｎｔｉｃａｔｉｏｎ  ＶｅｃｔｏｒはＭＭＥが従う、特定のＵＥの一時的なＡＫＡ（Ａｕｔｈｅｎｔｉｃａｔｉｏｎ  ａｎｄ  Ｋｅｙ  Ａｇｒｅｅｍｅｎｔ）を示す。Ａｕｔｈｅｎｔｉｃａｔｉｏｎ  Ｖｅｃｔｏｒは、認証に用いるランダム値ＲＡＮＤ、期待応答ＸＲＥＳ、鍵Ｋ＿ＡＳＭＥ、ネットワークに認証された言語（トークン）ＡＵＴＮで構成される。
【００８７】
ＵＥ  Ｒａｄｉｏ  Ａｃｃｅｓｓ  Ｃａｐａｂｉｌｉｔｙは、ＵＥの無線アクセス能力を示す識別情報である。
【００８８】
ＭＳ  Ｃｌａｓｓｍａｒｋ  ２は、３Ｇ／２Ｇ（ＵＴＲＡＮ／ＧＥＲＡＮ）のＣＳドメインのコアネットワークの分類記号（Ｃｌａｓｓｍａｒｋ）である。ＭＳ  Ｃｌａｓｓｍａｒｋ  ２は、ＵＥがＳＲＶＣＣ（Ｓｉｎｇｌｅ  Ｒａｄｉｏ  Ｖｏｉｃｅ  Ｃａｌｌ  Ｃｏｎｔｉｎｕｉｔ）をＧＥＲＡＮまたはＵＴＲＡＮに対してサポートする場合に使用される。
【００８９】
ＭＳ  Ｃｌａｓｓｍａｒｋ  ３は、ＧＥＲＡＮのＣＳドメインの無線ネットワークの分類記号（Ｃｌａｓｓｍａｒｋ）である。ＭＳ  Ｃｌａｓｓｍａｒｋ  ３は、ＵＥがＳＲＶＣＣ（Ｓｉｎｇｌｅ  Ｒａｄｉｏ  Ｖｏｉｃｅ  Ｃａｌｌ  Ｃｏｎｔｉｎｕｉｔ）をＧＥＲＡＮに対してサポートする場合に使用される。
【００９０】
Ｓｕｐｐｏｒｔｅｄ  Ｃｏｄｅｃｓは、ＣＳドメインでサポートされるコードのリストである。このリストは、ＵＥがＳＲＶＣＣをＧＥＲＡＮまたはＵＴＲＡＮに対してサポートする場合に使用される。
【００９１】
ＵＥ  Ｎｅｔｗｏｒｋ  Ｃａｐａｂｉｌｉｔｙは、ＵＥにサポートされるセキュリティーのアルゴリズムと鍵派生関数を含める。
【００９２】
ＭＳ  Ｎｅｔｗｏｒｋ  Ｃａｐａｂｉｌｉｔｙは、ＧＥＲＡＮ及び／又はＵＴＲＡＮ機能をもつＵＥに対して、ＳＧＳＮに必要な少なくとも一つの情報を含める情報である。
【００９３】
ＵＥ  Ｓｐｅｃｉｆｉｃ  ＤＲＸ  Ｐａｒａｍｅｔｅｒｓは、ＵＥのＤＲＸ（Ｄｉｓｃ
ｏｎｔｉｎｕｏｕｓ  Ｒｅｃｅｐｔｉｏｎ）サイクル長を決定するために用いるパラメータである。ここでＤＲＸとは、ＵＥのバッテリーの消費電力をなるべく少なくするために、ある一定時間通信がなければＵＥを低消費電力状態に切り替える機能である。
【００９４】
Ｓｅｌｅｃｔｅｄ  ＮＡＳ  Ａｌｇｏｒｉｔｈｍは、ＮＡＳ（Ｎｏｎ−Ａｃｃｅｓｓ  Ｓｔｒｅａｍ）の選択されたセキュリティーアルゴリズムである。
【００９５】
ｅＫＳＩは、Ｋ＿ＡＳＭＥを示す鍵の集合である。ＵＴＲＡＮまたはＥ−ＵＴＲＡＮのセキュリティー認証により取得したセキュリティー鍵を利用するかどうかを示してもよい。
【００９６】
Ｋ＿ＡＳＭＥは、暗号鍵ＣＫ（Ｃｉｐｈｅｒ  Ｋｅｙ）と完全鍵ＩＫ（Ｉｎｔｅｇｒｉｔｙ  Ｋｅｙ）に基づき生成される、Ｅ−ＵＴＲＡＮの鍵階層化の鍵である。
【００９７】
ＮＡＳ  Ｋｅｙｓ  ａｎｄ  ＣＯＵＮＴは、鍵Ｋ＿ＮＡＳｉｎｔと、鍵Ｋ＿ＮＡＳｅｎｃとＮＡＳ  ＣＯＵＮＴパラメータにより構成される。鍵Ｋ＿ＮＡＳｉｎｔは、ＵＥとＭＭＥ間の暗号化のための鍵であり、鍵Ｋ＿ＮＡＳｅｎｃは、ＵＥとＭＭＥ間の安全性保護のための鍵である。また、ＮＡＳ  ＣＯＵＮＴはＵＥとＭＭＥ間のセキュリティーが確立された、新しい鍵が設定された場合にカウントを開始する、カウントである。
【００９８】
Ｓｅｌｅｃｔｅｄ  ＣＮ  ｏｐｅｒａｔｏｒ  ＩＤはオペレータ間でネットワークを共有するために使用する、選択されたコアネットワークオペレータの識別情報である。
【００９９】
Ｒｅｃｏｖｅｒｙは、ＨＳＳがデータベースの復帰を行うかどうかを示す識別情報である。
【０１００】
Ａｃｃｅｓｓ  Ｒｅｓｔｒｉｃｔｉｏｎは、アクセス制限の登録情報である。
【０１０１】
ＯＤＢ  ｆｏｒ  ＰＳ  ｐａｒａｍｅｔｅｒｓは、ＯＤＢ（ｏｐｅｒａｔｏｒ  ｄｅｔｅｒｍｉｎｅｄ  ｂａｒｒｉｎｇ）の状態を示す。ここでＯＤＢとは、通信事業者（オペレータ）が決定したアクセス規定である。
【０１０２】
ＡＰＮ−ＯＩ  Ｒｅｐｌａｃｅｍｅｎｔは、ＤＮＳ解決を実行する為にＰＧＷ  ＦＱＤＮを構築する際の、ＡＰＮに代わるドメイン名である。この代用のドメイン名はすべてのＡＰＮに適応される。
【０１０３】
ＭＭＥ  ＩＰ  ａｄｄｒｅｓｓ  ｆｏｒ  Ｓ１１は、ＳＧＷとのインターフェースで用いられるＭＭＥのＩＰアドレスである。
【０１０４】
ＭＭＥ  ＴＥＩＤ  ｆｏｒ  Ｓ１１は、ＳＧＷとのインターフェースで用いられるＴＥＩＤ（Ｔｕｎｎｅｌ  Ｅｎｄｐｏｉｎｔ  Ｉｄｅｎｔｉｆｉｅｒ）である。
【０１０５】
Ｓ−ＧＷ  ＩＰ  ａｄｄｒｅｓｓ  ｆｏｒ  Ｓ１１／Ｓ４はＭＭＥとＳＧＷ間またはＳＧＳＮとＭＭＥ間のインターフェースで利用されるＳＧＷのＩＰアドレスである。
【０１０６】
Ｓ  ＧＷ  ＴＥＩＤ  ｆｏｒ  Ｓ１１／Ｓ４はＭＭＥとＳＧＷ間またはＳＧＳＮとＭＭＥ間のインターフェースで利用されるＳＧＷのＴＥＩＤである。
【０１０７】
ＳＧＳＮ  ＩＰ  ａｄｄｒｅｓｓ  ｆｏｒ  Ｓ３は、ＭＭＥとＳＧＳＮ間でのインターフェースに用いるＳＧＳＮのＩＰアドレスである。
【０１０８】
ＳＧＳＮ  ＴＥＩＤ  ｆｏｒ  Ｓ３は、ＭＭＥとＳＧＳＮ間のインターフェースで用いるＳＧＳＮのＴＥＩＤである。
【０１０９】
ｅＮｏｄｅＢ  Ａｄｄｒｅｓｓ  ｉｎ  Ｕｓｅ  ｆｏｒ  Ｓ１−ＭＭＥは、ＭＭＥとｅＮＢ間のインターフェースで最近用いられたｅＮＢのＩＰアドレスである。
【０１１０】
ｅＮＢ  ＵＥ  Ｓ１ＡＰ  ＩＤは、ｅＮＢ内でのＵＥの識別情報である。
【０１１１】
ＭＭＥ  ＵＥ  Ｓ１ＡＰ  ＩＤは、ＭＭＥ内でのＵＥの識別情報である。
【０１１２】
Ｓｕｂｓｃｒｉｂｅｄ  ＵＥ−ＡＭＢＲは、ユーザの登録情報に従いすべてのＮｏｎ−ＧＢＲ（Ｇｕａｒａｎｔｅｅｄ  Ｂｉｔ  Ｒａｔｅ）ベアラ（非保障ベアラ）を共有するための上り通信および下り通信のＭＢＲ（Ｍａｘｉｍｕｍ  Ｂｉｔ  Ｒａｔｅ）の最大値を示す。
【０１１３】
ＵＥ−ＡＭＢＲは、すべてのＮｏｎ−ＧＢＲベアラ（非保障ベアラ）を共有するために、最近使用された上り通信および下り通信のＭＢＲの最大値を示す。
【０１１４】
ＥＰＳ  Ｓｕｂｓｃｒｉｂｅｄ  Ｃｈａｒｇｉｎｇ  Ｃｈａｒａｃｔｅｒｉｓｔｉｃｓは、ＵＥの課金特性を示す。例えば、ＥＰＳ  Ｓｕｂｓｃｒｉｂｅｄ  Ｃｈａｒｇｉｎｇ
Ｃｈａｒａｃｔｅｒｉｓｔｉｃｓはノーマル、プリペイド、課金率固定、または即時請求などの登録情報を示してもよい。
【０１１５】
Ｓｕｂｓｃｒｉｂｅｄ  ＲＦＳＰ  Ｉｎｄｅｘは、ＨＳＳから取得したＥ−ＵＴＲＡＮ内の特定のＲＲＭ構成のためのインデックスである。
【０１１６】
ＲＦＳＰ  Ｉｎｄｅｘ  ｉｎ  Ｕｓｅは、最近使用されたＥ−ＵＴＲＡＮ内の特定のＲＲＭ構成のためのインデックスである。
【０１１７】
Ｔｒａｃｅ  ｒｅｆｅｒｅｎｃｅは、特定のトレースの記録、または記録の集合を識別する識別情報である。
【０１１８】
Ｔｒａｃｅ  ｔｙｐｅは、トレースのタイプを示す。例えば、ＨＳＳがトレースをするタイプ、及び／または、ＭＭＥやＳＧＷやＰＧＷがトレースするタイプを示してもよい。
【０１１９】
Ｔｒｉｇｇｅｒ  ＩＤは、トレースを開始する構成要素を識別する識別情報である。
【０１２０】
ＯＭＣ  Ｉｄｅｎｔｉｔｙは、トレースされた記録を受信したＯＭＣを識別する識別情報である。
【０１２１】
ＵＲＲＰ−ＭＭＥは、ＨＳＳによりＭＭＥからのＵＥ活動通知が要求された事を示す識別情報である。
【０１２２】
ＣＳＧ  Ｓｕｂｓｃｒｉｐｔｉｏｎ  Ｄａｔａは、ローミング先のＰＬＭＮ（ＶＰＬＭＮ）ＣＳＧ  ＩＤとローミング先の等価ＰＬＭＮの関連リストである。ＣＳＧ  ＩＤごとに、ＣＳＧ  ＩＤの有効期限を示すｅｘｐｉｒａｔｉｏｎ  ｄａｔｅや、有効期限がない事を示すａｂｓｅｎｔ  ｅｘｐｉｒａｔｉｏｎ  ｄａｔｅと関連づけられていてもよい。ＣＳＧ  ＩＤは、ＬＩＰＡを介した特定のＰＤＮ接続に使われてもよい。
【０１２３】
ＬＩＰＡ  Ａｌｌｏｗｅｄは、ＵＥはこのＰＬＭＮでＬＩＰＡを使用することが許可されているかどうかを示す
Ｓｕｂｓｃｒｉｂｅｄ  Ｐｅｒｉｏｄｉｃ  ＲＡＵ／ＴＡＵ  Ｔｉｍｅｒは、定期的なＲＡＵ及び／またはＴＡＵのタイマーである。
【０１２４】
ＭＰＳ  ＣＳ  ｐｒｉｏｒｉｔｙは、ＵＥがＣＳドメインでｅＭＬＰＰか１ｘ  ＲＴＴ優先サービスに登録されていることを示す。
【０１２５】
ＭＰＳ  ＥＰＳ  ｐｒｉｏｒｉｔｙは、ＥＰＳドメイン内でＭＰＳに登録されていることを示す識別情報である。
【０１２６】
Ｖｏｉｃｅ  Ｓｕｐｐｏｒｔ  Ｍａｔｃｈ  Ｉｎｄｉｃａｔｏｒは、ＵＥの無線能力がネットワーク構成と互換性があるかどうかを示す。例えば、ＵＥによるＳＲＶＣＣのサポートがネットワークの音声通話に対するサポートとマッチするかどうかを示す。
【０１２７】
Ｈｏｍｏｇｅｎｏｕｓ  Ｓｕｐｐｏｒｔ  ｏｆ  ＩＭＳ  Ｖｏｉｃｅ  ｏｖｅｒ  ＰＳ
Ｓｅｓｓｉｏｎｓ  ｆｏｒ  ＭＭＥは、ＰＳセッション上のＩＭＳ音声通話をサポートするかどうかを、ＵＥごとに示す指示情報である。Ｈｏｍｏｇｅｎｏｕｓ  Ｓｕｐｐｏｒｔ  ｏｆ  ＩＭＳ  Ｖｏｉｃｅ  ｏｖｅｒ  ＰＳ  Ｓｅｓｓｉｏｎｓ  ｆｏｒ  ＭＭＥは、ＭＭＥが管理する全てのＴＡ（Ｔｒａｃｋｉｎｇ  Ａｒｅａ）でＰＳ（Ｐａｃｋｅｔ  Ｓｗｉｔｃｈｅｄ：  回線交換）セッション上でのＩＭＳ（ＩＰ  Ｍｕｌｔｉｍｅｄｉａ
Ｓｕｂｓｙｓｔｅｍ）音声通話をサポートする、「Ｓｕｐｐｏｒｔｅｄ」と、ＰＳセッション上でのＩＭＳ音声通話をサポートするＴＡがない場合を示す「Ｎｏｔ  Ｓｕｐｐｏｒｔｅｄ」とがある。また、ＰＳセッション上でのＩＭＳ音声通話をサポートが均一でない（サポートするＴＡとしないＴＡがＭＭＥ内に混在する）場合や、サポートするかどうかが分からない場合、ＭＭＥはこの指示情報をＨＳＳに通知しない。
【０１２８】
図１０に、ＰＤＮコネクションごとに記憶されるＰＤＮコネクションごとのＭＭＥコンテキストに含まれる情報要素を示す。図に示すように、ＰＤＮコネクションごとのＭＭＥコンテキストは、ＡＰＮ  ｉｎ  Ｕｓｅ、ＡＰＮ  Ｒｅｓｔｒｉｃｔｉｏｎ、ＡＰＮ  Ｓｕｂｓｃｒｉｂｅｄ、ＰＤＮ  Ｔｙｐｅ、ＩＰ  Ａｄｄｒｅｓｓ、ＥＰＳ  ＰＤＮ  Ｃｈａｒｇｉｎｇ  Ｃｈａｒａｃｔｅｒｉｓｔｉｃｓ、ＡＰＮ−ＯＩ  Ｒｅｐｌａｃｅｍｅｎｔ、ＳＩＰＴＯ  ｐｅｒｍｉｓｓｉｏｎｓ、Ｌｏｃａｌ  Ｈｏｍｅ  Ｎｅｔｗｏｒｋ  ＩＤ、ＬＩＰＡ  ｐｅｒｍｉｓｓｉｏｎｓ、ＷＬＡＮ  ｏｆｆｌｏａｄａｂｉｌｉｔｙ、ＶＰＬＭＮ  Ａｄｄｒｅｓｓ  Ａｌｌｏｗｅｄ、ＰＤＮ  ＧＷ  Ａｄｄｒｅｓｓ  ｉｎ  Ｕｓｅ（制御情報）、ＰＤＮ  ＧＷ  ＴＥＩＤ  ｆｏｒ  Ｓ５／Ｓ８（制御情報）、ＭＳ  Ｉｎｆｏ  Ｃｈａｎｇｅ  Ｒｅｐｏｒｔｉｎｇ  Ａｃｔｉｏｎ、ＣＳＧ  Ｉｎｆｏｒｍａｔｉｏｎ  Ｒｅｐｏｒｔｉｎｇ  Ａｃｔｉｏｎ、Ｐｒｅｓｅｎｃｅ  Ｒｅｐｏｒｔｉｎｇ
Ａｒｅａ  Ａｃｔｉｏｎ、ＥＰＳ  ｓｕｂｓｃｒｉｂｅｄ  ＱｏＳ  ｐｒｏｆｉｌｅ、Ｓｕｂｓｃｒｉｂｅｄ  ＡＰＮ−ＡＭＢＲ、ＡＰＮ−ＡＭＢＲ、ＰＤＮ  ＧＷ  ＧＲＥ  Ｋｅｙ  ｆｏｒ  ｕｐｌｉｎｋ  ｔｒａｆｆｉｃ（ユーザデータ）、Ｄｅｆａｕｌｔ  ｂｅａｒｅｒ、ｌｏｗ  ａｃｃｅｓｓ  ｐｒｉｏｒｉｔｙを含める。
【０１２９】
ＡＰＮ  ｉｎ  Ｕｓｅは、最近使用されたＡＰＮを示す。このＡＰＮはＡＰＮネットワークの識別情報と、デフォルトのオペレータの識別情報により構成される。
【０１３０】
ＡＰＮ  Ｒｅｓｔｒｉｃｔｉｏｎは、このベアラコンテキストに関連づけられたＡＰＮに対する、ＡＰＮのタイプの組み合わせの制限を示す。つまり、確立できるＡＰＮの数とＡＰＮのタイプを制限する情報である。
【０１３１】
ＡＰＮ  ＳｕｂｓｃｒｉｂｅｄはＨＳＳから受信した登録ＡＰＮを意味する。
【０１３２】
ＰＤＮ  Ｔｙｐｅは、ＩＰアドレスのタイプを示す。例えば、ＰＤＮ  Ｔｙｐｅは、ＩＰｖ４、ＩＰｖ６またはＩＰｖ４ｖ６を示す。
【０１３３】
ＩＰ  Ａｄｄｒｅｓｓは、ＩＰｖ４アドレスかＩＰｖ６  Ｐｒｅｆｉｘを示す。なお、ＩＰアドレスはＩＰｖ４とＩＰｖ６のｐｒｅｆｉｘの両方を記憶してもよい。
【０１３４】
ＥＰＳ  ＰＤＮ  Ｃｈａｒｇｉｎｇ  Ｃｈａｒａｃｔｅｒｉｓｔｉｃｓは、課金特性を示す。ＥＰＳ  ＰＤＮ  Ｃｈａｒｇｉｎｇ  Ｃｈａｒａｃｔｅｒｉｓｔｉｃｓは例えば、ノーマル、プリペイド、課金率固定、または即時請求を示してよい。
【０１３５】
ＡＰＮ−ＯＩ  Ｒｅｐｌａｃｅｍｅｎｔは、ＵＥごとに登録されているＡＰＮ−ＯＩ  Ｒｅｐｌａｃｅｍｅｎｔと同様の役割をもつＡＰＮの代理ドメイン名である。ただし、ＵＥごとのＡＰＮ−ＯＩ  Ｒｅｐｌａｃｅｍｅｎｔより優先度が高い。
【０１３６】
ＳＩＰＴＯ  ｐｅｒｍｉｓｓｉｏｎｓはこのＡＰＮを用いたトラフィックのＳＩＰＴＯ（Ｓｅｌｅｃｔｅｄ  ＩＰ  Ｔｒａｆｆｉｃ  Ｏｆｆｌｏａｄ）に対する許可情報を示す。具体的には、ＳＩＰＴＯ  ｐｅｒｍｉｓｓｉｏｎｓは、ＳＩＰＴＯを用いる事を禁止する、またはローカルネットワーク以外でのＳＩＰＴＯの利用を許可する、またはローカルネットワークを含めるネットワークでのＳＩＰＴＯの利用を許可する、またはローカルネットワークのみＳＩＰＴＯの利用を許可する、ことを識別する。
【０１３７】
Ｌｏｃａｌ  Ｈｏｍｅ  Ｎｅｔｗｏｒｋ  ＩＤは、ローカルネットワークを用いたＳＩＰＴＯ（ＳＩＰＴＯ＠ＬＮ）の利用が可能である場合、基地局が属するホームネットワークの識別情報を示す。
【０１３８】
ＬＩＰＡ  ｐｅｒｍｉｓｓｉｏｎｓは、このＰＤＮがＬＩＰＡを介したアクセスが可能かどうかを示す識別情報である。具体的には、ＬＩＰＡ  ｐｅｒｍｉｓｓｉｏｎｓは、ＬＩＰＡを許可しないＬＩＰＡ−ｐｒｏｈｉｂｉｔｅｄ、またはＬＩＰＡのみ許可する、ＬＩＰＡ−ｏｎｌｙ、条件によりＬＩＰＡを許可するＬＩＰＡ−ｃｏｎｄｉｔｉｏｎａｌであってよい。
【０１３９】
ＷＬＡＮ  ｏｆｆｌｏａｄ  ａｂｉｌｉｔｙは、このＡＰＮで接続されたトラフィックは、無線ランと３ＧＰＰ間の連携機能を用いて、無線ランにオフロードできるか、または３ＧＰＰの接続を維持するのかを示す識別情報である。ＷＬＡＮ  ｏｆｆｌｏａｄ  ａｂｉｌｉｔｙは、ＲＡＴタイプごとに分かれていてもよい。具体的には、ＬＴＥ（Ｅ−ＵＴＲＡ）と３Ｇ（ＵＴＲＡ）とで異なったＷＬＡＮ  ｏｆｆｌｏａｄ  ａｂｉｌｉｔｙが存在してもよい。
【０１４０】
ＶＰＬＭＮ  Ａｄｄｒｅｓｓ  Ａｌｌｏｗｅｄは、ＵＥがこのＡＰＮを用いた接続が、ローミング先のＰＬＭＮ（ＶＰＬＭＮ）ではＨＰＬＭＮのドメイン（ＩＰアドレス）ＰＧＷのみを使用することが許可されるのか、またはＶＰＬＭＮのドメイン内のＰＧＷを追加されるのかを示す
ＰＤＮ  ＧＷ  Ａｄｄｒｅｓｓ  ｉｎ  Ｕｓｅ（制御情報）は、ＰＧＷの最近のＩＰアドレスを示す。このアドレスは制御信号を送信するときに用いられる。
【０１４１】
ＰＤＮ  ＧＷ  ＴＥＩＤ  ｆｏｒ  Ｓ５／Ｓ８（制御情報）は、ＳＧＷとＰＧＷ間のインターフェース（Ｓ５／Ｓ８）で制御情報の送受信に用いるＴＥＩＤである。
【０１４２】
ＭＳ  Ｉｎｆｏ  Ｃｈａｎｇｅ  Ｒｅｐｏｒｔｉｎｇ  Ａｃｔｉｏｎは、ＰＧＷにユーザの位置情報が変更された事を通知する必要があること示す情報要素である。
【０１４３】
ＣＳＧ  Ｉｎｆｏｒｍａｔｉｏｎ  Ｒｅｐｏｒｔｉｎｇ  Ａｃｔｉｏｎは、ＰＧＷにＣＳＧ情報が変更された事を通知する必要があることを示す情報要素である。
【０１４４】
Ｐｒｅｓｅｎｃｅ  Ｒｅｐｏｒｔｉｎｇ  Ａｒｅａ  Ａｃｔｉｏｎは、ＵＥが存在報告エリア（Ｐｒｅｓｅｎｃｅ  Ｒｅｐｏｒｔｉｎｇ  Ａｒｅａ）に存在するかどうかの変更を通知する必要があることを示す。この情報要素は、存在報告エリアの識別情報と、存在報告エリアに含まれる要素により分かれている。
【０１４５】
ＥＰＳ  ｓｕｂｓｃｒｉｂｅｄ  ＱｏＳ  ｐｒｏｆｉｌｅは、デフォルトベアラに対する、ベアラレベルでのＱｏＳパラメータを示す。
【０１４６】
Ｓｕｂｓｃｒｉｂｅｄ  ＡＰＮ−ＡＭＢＲは、ユーザの登録情報に従いこのＡＰＮに対して確立された全てのＮｏｎ−ＧＢＲベアラ（非保障ベアラ）を共有するための上り通信および下り通信のＭＢＲ（Ｍａｘｉｍｕｍ  Ｂｉｔ  Ｒａｔｅ）の最大値を示す。
【０１４７】
ＡＰＮ−ＡＭＢＲは、ＰＧＷにより決定された、このＡＰＮに対して確立された全てのＮｏｎ−ＧＢＲベアラ（非保障ベアラ）を共有するための上り通信および下り通信のＭＢＲ（Ｍａｘｉｍｕｍ  Ｂｉｔ  Ｒａｔｅ）の最大値を示す。
【０１４８】
ＰＤＮ  ＧＷ  ＧＲＥ  Ｋｅｙ  ｆｏｒ  ｕｐｌｉｎｋ  ｔｒａｆｆｉｃ（ユーザデータ）は、ＳＧＷとＰＧＷ間のインターフェースのユーザデータの上り通信のためのＧＲＥ（Ｇｅｎｅｒｉｃ  Ｒｏｕｔｉｎｇ  Ｅｎｃａｐｓｕｌａｔｉｏｎ）鍵である。
【０１４９】
Ｄｅｆａｕｌｔ  Ｂｅａｒｅｒは、ＰＤＮコネクション確立時に取得、及び又は、生成する情報であり、ＰＤＮコネクションに対応づけられたデフォルトベアラを識別するためのＥＰＳベアラ識別情報である。
【０１５０】
なお、本実施形態におけるＥＰＳベアラとは、ＵＥ＿Ａ１０とＣ−ＳＧＮ＿Ａ９５との間で確立する通信路であってよい。さらに、ＥＰＳベアラは、ＵＥ＿Ａ１０とｅＮＢ＿Ａ４５との間で確立するＲＢ（Ｒａｄｉｏ  Ｂｅａｒｅｒ）と、ｅＮＢ＿Ａ４５とＣ−ＳＧＮ＿Ａ９５との間で確立するＳ１ベアラとによって構成されてよい。ここで、ＲＢとＥＰＳベアラとは一対一に対応づけられてよい。そのため、ＲＢの識別情報は、ＥＰＳベアラの識別情報と一対一に対応づけられてもよいし、同じ識別情報であってもよい。
【０１５１】
また、ＥＰＳベアラとは、ＵＥ＿Ａ１０とＰＧＷ＿Ａ３０との間で確立する論理的な通信路であってもよい。この場合においても、ＥＰＳベアラは、ＵＥ＿Ａ１０とｅＮＢ＿Ａ４５との間で確立するＲＢ（Ｒａｄｉｏ  Ｂｅａｒｅｒ）を含んで構成されてよい。さらに、ＲＢとＥＰＳベアラとは一対一に対応づけられてよい。そのため、ＲＢの識別情報は、ＥＰＳベアラの識別情報と一対一に対応づけられてもよいし、同じ識別情報であってもよい。
【０１５２】
したがって、Ｄｅｆａｕｌｔ  Ｂｅａｒｅｒは、ＳＲＢ（Ｓｉｇｎａｌｌｉｎｇ  Ｒａｄｉｏ  Ｂｅａｒｅｒ）、及び又は、ＣＲＢ（Ｃｏｎｔｒｏｌ  Ｓｉｇｎａｌｌｉｎｇ  Ｒａｄｉｏ  Ｂｅａｒｅｒ）を識別する識別情報であってもよいし、ＤＲＢ（Ｄａｔａ  Ｒａｄｉｏ  Ｂｅａｒｅｒ）識別する識別情報であってもよい。
【０１５３】
ここで、本実施形態におけるＳＲＢとは、本来は制御メッセージ等の制御情報を送受信
するために確立するＲＢであってよい。ここで、本実施形態におけるＣＲＢとは、本来は制御メッセージ等の制御情報を送受信するために確立するＲＢであってよい。なお、本実施形態では、本来制御メッセージを送受信するためのＲＢを用いて、ユーザデータの送受信を行う。したがって、本実施形態では、ＳＲＢ又はＣＲＢを用いて、制御メッセージとユーザデータとを送受信する。
【０１５４】
また、本実施形態におけるＤＲＢとは、ユーザデータを送受信するために確立するＲＢであってよい。
【０１５５】
ｌｏｗ  ａｃｃｅｓｓ  ｐｒｉｏｒｉｔｙは、ＰＤＮコネクションが公開されているとき、ＵＥが低いアクセス優先度（ｌｏｗ  ａｃｃｅｓｓ  ｐｒｉｏｒｉｔｙ）を要求したことを示す。
【０１５６】
図１１は、ベアラごとに記憶されるＭＭＥコンテキストを示す。図が示すように、ベアラごとに記憶されるＭＭＥコンテキストは、ＥＰＳ  Ｂｅａｒｅｒ  ＩＤ、ＴＩ、Ｓ−ＧＷ  ＩＰ  ａｄｄｒｅｓｓ  ｆｏｒ  Ｓ１−ｕ、Ｓ−ＧＷ  ＴＥＩＤ  ｆｏｒ  Ｓ１ｕ、ＰＤＮ  ＧＷ  ＴＥＩＤ  ｆｏｒ  Ｓ５／Ｓ８、ＰＤＮ  ＧＷ  ＩＰ  ａｄｄｒｅｓｓ  ｆｏｒ  Ｓ５／Ｓ８、ＥＰＳ  ｂｅａｒｅｒ  ＱｏＳ、ＴＦＴを含める。
【０１５７】
ＥＰＳ  Ｂｅａｒｅｒ  ＩＤは、Ｅ−ＵＴＲＡＮを介したＵＥ接続に対して、ＥＰＳベアラを識別する唯一の識別情報である。
【０１５８】
なお、ＥＰＳ  Ｂｅａｒｅｒ  ＩＤは、デディケイテッドベアラを識別するＥＰＳベアラ識別情報であってよい。したがって、デフォルトベアラとは異なるＥＰＳベアラを識別する識別情報であってよい。
【０１５９】
なお、既に説明した通り、ＥＰＳベアラとは、ＵＥ＿Ａ１０とＣ−ＳＧＮ＿Ａ９５との間で確立する通信路であってよい。さらに、ＥＰＳベアラは、ＵＥ＿Ａ１０とｅＮＢ＿Ａ４５との間で確立するＲＢ（Ｒａｄｉｏ  Ｂｅａｒｅｒ）と、ｅＮＢ＿Ａ４５とＣ−ＳＧＮ＿Ａ９５との間で確立するＳ１ベアラとによって構成されてよい。ここで、ＲＢとＥＰＳベアラとは一対一に対応づけられてよい。そのため、ＲＢの識別情報は、ＥＰＳベアラの識別情報と一対一に対応づけられてもよいし、同じ識別情報であってもよい。
【０１６０】
また、ＥＰＳベアラとは、ＵＥ＿Ａ１０とＰＧＷ＿Ａ３０との間で確立する論理的な通信路であってもよい。この場合においても、ＥＰＳベアラは、ＵＥ＿Ａ１０とｅＮＢ＿Ａ４５との間で確立するＲＢ（Ｒａｄｉｏ  Ｂｅａｒｅｒ）を含んで構成されてよい。さらに、ＲＢとＥＰＳベアラとは一対一に対応づけられてよい。そのため、ＲＢの識別情報は、ＥＰＳベアラの識別情報と一対一に対応づけられてもよいし、同じ識別情報であってもよい。
【０１６１】
したがって、デディケイテッドベアラを識別するＥＰＳベアラＩＤは、ＳＲＢ（Ｓｉｇｎａｌｌｉｎｇ  Ｒａｄｉｏ  Ｂｅａｒｅｒ）、及び又は、ＣＲＢ（Ｃｏｎｔｒｏｌ  Ｓｉｇｎａｌｌｉｎｇ  Ｒａｄｉｏ  Ｂｅａｒｅｒ）を識別する識別情報であってもよいし、ＤＲＢ（Ｄａｔａ  Ｒａｄｉｏ  Ｂｅａｒｅｒ）識別する識別情報であってもよい。
【０１６２】
ここで、既に説明したとおり、本実施形態におけるＳＲＢとは、本来は制御メッセージ等の制御情報を送受信するために確立するＲＢであってよい。ここで、本実施形態におけるＣＲＢとは、本来は制御メッセージ等の制御情報を送受信するために確立するＲＢであってよい。なお、本実施形態では、本来制御メッセージを送受信するためのＲＢを用いて、ユーザデータの送受信を行う。したがって、本実施形態では、ＳＲＢ又はＣＲＢを用い
て、制御メッセージとユーザデータとを送受信する。
【０１６３】
また、本実施形態におけるＤＲＢとは、ユーザデータを送受信するために確立するＲＢであってよい。
【０１６４】
ＴＩはＴｒａｎｓａｃｔｉｏｎ  Ｉｄｅｎｔｉｆｉｅｒの略であり、双方向のメッセージフロー（Ｔｒａｎｓａｃｔｉｏｎ）を識別する識別情報である。
【０１６５】
Ｓ−ＧＷ  ＩＰ  ａｄｄｒｅｓｓ  ｆｏｒ  Ｓ１−ｕは、ｅＮＢとＳＧＷ間のインターフェースで使用するＳＧＷのＩＰアドレスである。
【０１６６】
また、Ｓ−ＧＷ  ＩＰ  ａｄｄｒｅｓｓ  ｆｏｒ  Ｓ１−ｕは、ユーザデータが制御情報用のメッセージに含まれて送受信される場合、ＭＭＥ、及び又は、ＳＧＳＮとＳＧＷ間のインターフェースで使用するＳＧＷのＩＰアドレスであってもよく、Ｓ−ＧＷ  ＩＰ  ａｄｄｒｅｓｓ  ｆｏｒ  Ｓ１１／Ｓ４であってもよい。
【０１６７】
Ｓ−ＧＷ  ＴＥＩＤ  ｆｏｒ  Ｓ１ｕは、ｅＮＢとＳＧＷ間のインターフェースで使用するＳＧＷのＴＥＩＤである。
【０１６８】
また、Ｓ−ＧＷ  ＴＥＩＤ  ｆｏｒ  Ｓ１ｕは、ＭＭＥ、及び又は、ユーザデータが制御情報用のメッセージに含まれて送受信される場合、ＳＧＳＮとＳＧＷ間のインターフェースで使用するＳＧＷのＴＥＩＤアドレスであってもよく、Ｓ−ＧＷ  ＴＥＩＤ  ｆｏｒ
Ｓ１１／Ｓ４であってもよい。
【０１６９】
ＰＤＮ  ＧＷ  ＴＥＩＤ  ｆｏｒ  Ｓ５／Ｓ８は、ＳＧＷとＰＧＷ間のインターフェースのユーザデータ伝送の為のＰＧＷのＴＥＩＤである。
【０１７０】
ＰＤＮ  ＧＷ  ＩＰ  ａｄｄｒｅｓｓ  ｆｏｒ  Ｓ５／Ｓ８は、ＳＧＷとＰＧＷ間のインターフェースのユーザデータ伝送の為のＰＧＷのＩＰアドレスである。
【０１７１】
ＥＰＳ  ｂｅａｒｅｒ  ＱｏＳは、ＱＣＩ（ＱｏＳ  Ｃｌａｓｓ  Ｉｄｅｎｔｉｆｉｅｒ）と、ＡＲＰ（Ａｌｌｏｃａｔｉｏｎ  ａｎｄ  Ｒｅｔｅｎｔｉｏｎ  Ｐｒｉｏｒｉｔｙ）で構成される。ＱＣＩはＱｏＳの属するクラスを示す。ＱｏＳは帯域制御の有無や遅延許容時間、パケットロス率などに応じてクラスを分けられる。ＱＣＩは優先度を示す情報を含める。ＡＲＰは、ベアラを維持することに関する優先度を表す情報である。
【０１７２】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。
【０１７３】
ここで、図７〜図１１に示すＭＭＥコンテキストに含まれる情報要素は、ＭＭコンテキスト６４４またはＥＰＳベアラコンテキスト６４６のいずれかに含まれる。例えば、図１１に示すベアラごとのＭＭＥコンテキストをＥＰＳベアラコンテキストに記憶し、その他の情報要素をＭＭコンテキストに記憶してもよい。または図１０に示すＰＤＮコネクションごとのＭＭＥコンテキストと図１１に示すベアラごとのＭＭＥコンテキストをＥＰＳベアラコンテキストに記憶し、その他の情報要素をＭＭコンテキストに記憶してもよい。
【０１７４】
図６が示すように、ＭＭＥの記憶部＿Ｂ６４０は、セキュリティーコンテキスト６４８を記憶してもよい。図１２（ｅ）はセキュリティーコンテキスト６４８に含まれる情報要素を示す。
【０１７５】
図が示すように、セキュリティーコンテキストは、ＥＰＳ  ＡＳ  セキュリティーコンテキストと、ＥＰＳ  ＮＡＳ  セキュリティーコンテキストにより構成される。ＥＰＳ  ＡＳ  セキュリティーコンテキストは、アクセス層（ＡＳ：Ａｃｃｅｓｓ  Ｓｔｒｅａｍ）のセキュリティーに関するコンテキストであり、ＥＰＳ  ＮＡＳ  セキュリティーコンテキストは非アクセス層（ＮＡＳ：Ｎｏｎ−Ａｃｃｅｓｓ  Ｓｔｒｅａｍ）のセキュリティーに関するコンテキストである。
【０１７６】
図１２（ｆ）は、ＥＰＳ  ＡＳ  セキュリティーコンテキストに含まれる情報要素を示す。図が示すように、ＥＰＳ  ＡＳ  セキュリティーコンテキストは、ｃｒｙｐｔｏｇｒａｐｈｉｃ  ｋｅｙと、Ｎｅｘｔ  Ｈｏｐ  ｐａｒａｍｅｔｅｒ  （ＮＨ）と、Ｎｅｘｔ
Ｈｏｐ  Ｃｈａｉｎｉｎｇ  Ｃｏｕｎｔｅｒ  ｐａｒａｍｅｔｅｒ  （ＮＣＣ）と、ｉｄｅｎｔｉｆｉｅｒｓ  ｏｆ  ｔｈｅ  ｓｅｌｅｃｔｅｄ  ＡＳ  ｌｅｖｅｌ  ｃｒｙｐｔｏｇｒａｐｈｉｃ  ａｌｇｏｒｉｔｈｍｓとを含める。
【０１７７】
ｃｒｙｐｔｏｇｒａｐｈｉｃ  ｋｅｙは、アクセス層での暗号化の鍵である。
【０１７８】
ＮＨは、Ｋ＿ＡＳＭＥから決定される情報要素である。フォワードセキュリティーを実現するための情報要素である。
【０１７９】
ＮＣＣは、ＮＨと関連付けられた情報要素である。ネットワークを切り替える垂直方向のハンドオーバーが発生した数を表す。
【０１８０】
ｉｄｅｎｔｉｆｉｅｒｓ  ｏｆ  ｔｈｅ  ｓｅｌｅｃｔｅｄ  ＡＳ  ｌｅｖｅｌ  ｃｒｙｐｔｏｇｒａｐｈｉｃ  ａｌｇｏｒｉｔｈｍｓは選択された暗号化アルゴリズムの識別情報である。
【０１８１】
図１２（ｇ）は、ＥＰＳ  ＮＡＳ  セキュリティーコンテキストに含まれる情報要素を示す。図が示すように、ＥＰＳ  ＮＡＳ  セキュリティーコンテキストはＫ＿ＡＳＭＥとＵＥ  Ｓｅｃｕｒｉｔｙ  ｃａｐａｂｉｌｉｔｉｅとＮＡＳ  ＣＯＵＮＴを含めてよい。
【０１８２】
Ｋ＿ＡＳＭＥは、鍵ＣＫとＩＫに基づき生成される、Ｅ−ＵＴＲＡＮの鍵階層化の鍵である。
【０１８３】
ＵＥ  Ｓｅｃｕｒｉｔｙ  ｃａｐａｂｉｌｉｔｉｅは、ＵＥで使用される暗号とアルゴリズムに対応する識別情報の集合である。この情報は、アクセス層に対する情報と、非アクセス層に対する情報とを含む。更に、ＵＥがＵＴＲＡＮ／ＧＥＲＡＮへのアクセスをサポートする場合、この情報にＵＴＲＡＮ／ＧＥＲＡＮに対する情報を含める。
【０１８４】
ＮＡＳ  ＣＯＵＮは、Ｋ＿ＡＳＭＥが動作している時間を示すカウンターである。
【０１８５】
セキュリティーコンテキスト６４８はＭＭＥコンテキスト６４２に含まれてもよい。また、図６に示すように、セキュリティーコンテキスト６４８とＭＭＥコンテキスト６４２は別に存在してもよい。
【０１８６】
図１２（ｈ）は、ＭＭＥ緊急構成データ６５０で記憶される情報要素を示す。ＭＭＥ緊急構成データは、ＨＳＳから取得するＵＥの登録情報の代わりに使用する情報である。図に示すように、ＭＭＥ緊急構成データ６５０は、ｅｍ  ＡＰＮ（Ｅｍｅｒｇｅｎｃｙ  Ａｃｃｅｓｓ  Ｐｏｉｎｔ  Ｎａｍｅ）、Ｅｍｅｒｇｅｎｃｙ  ＱｏＳ  ｐｒｏｆｉｌｅ、Ｅｍｅｒｇｅｎｃｙ  ＡＰＮ−ＡＭＢＲ、Ｅｍｅｒｇｅｎｃｙ  ＰＤＮ  ＧＷ  ｉｄｅｎｔｉｔｙ、Ｎｏｎ−３ＧＰＰ  ＨＯ  Ｅｍｅｒｇｅｎｃｙ  ＰＤＮ  ＧＷ  ｉｄｅｎｔｉ
ｔｙが含まれる。
【０１８７】
ｅｍ  ＡＰＮは、緊急用のＰＤＮ接続に用いるアクセスポイント名を示す。
【０１８８】
Ｅｍｅｒｇｅｎｃｙ  ＱｏＳ  ｐｒｏｆｉｌｅは、ベアラレベルでのｅｍ  ＡＰＮのデフォルトベアラのＱｏＳを示す。
【０１８９】
Ｅｍｅｒｇｅｎｃｙ  ＡＰＮ−ＡＭＢＲは、ｅｍ  ＡＰＮに対して確立されたＮｏｎ−ＧＢＲベアラ（非保障ベアラ）を共有するための上り通信および下り通信のＭＢＲの最大値を示す。この値はＰＧＷにより決定される。
【０１９０】
Ｅｍｅｒｇｅｎｃｙ  ＰＤＮ  ＧＷ  ｉｄｅｎｔｉｔｙは、ｅｍ  ＡＰＮに対して静的に設定されたＰＧＷの識別情報である。この識別情報は、ＦＱＤＮでもＩＰアドレスであってもよい。
【０１９１】
Ｎｏｎ−３ＧＰＰ  ＨＯ  Ｅｍｅｒｇｅｎｃｙ  ＰＤＮ  ＧＷ  ｉｄｅｎｔｉｔｙは、ＰＬＭＮが３ＧＰＰ以外のアクセスネットワークへのハンドオーバーをサポートする場合に、ｅｍ  ＡＰＮに対して静的に設定されたＰＧＷの識別情報である。この識別情報は、ＦＱＤＮでもＩＰアドレスであってもよい。
【０１９２】
更に、ＭＭＥ＿Ａ４０は、ＵＥに対する接続状態を、ＵＥと同期しながら管理してよい。
【０１９３】
［１．２．３．ＳＧＷの構成］
以下、ＳＧＷ＿Ａ３５の構成について説明する。図１３はＳＧＷ＿Ａ３５の装置構成を示す。図に示すように、ＳＧＷ＿Ａ３５はネットワーク接続部＿Ｃ１３２０と、制御部＿Ｃ１３００と記憶部＿Ｃ１３４０で構成されている。ネットワーク接続部＿Ｃ１３２０と記憶部＿Ｃ１３４０は制御部＿Ｃ１３００と、バスを介して接続されている。
【０１９４】
制御部＿Ｃ１３００はＳＧＷ＿Ａ３５を制御するための機能部である。制御部＿Ｃ１３００は、記憶部＿Ｃ１３４０に記憶されている各種プログラムを読みだして実行することにより各種処理を実現する。
【０１９５】
ネットワーク接続部＿Ｃ１３２０は、ＳＧＷ＿Ａ３５が、ｅＮＢ＿Ａ４５及び／またはＭＭＥ＿Ａ４０及び／またはＰＧＷ＿Ａ３０及び／又はＳＧＳＮ＿Ａ４２と接続するための機能部である。さらに、ネットワーク接続部＿Ｃ１３２０は、ＳＧＷ＿Ａ３５が、ｅＮＢ＿Ａ４５及び／またはＭＭＥ＿Ａ４０及び／またはＰＧＷ＿Ａ３０及び／又はＳＧＳＮ＿Ａ４２からユーザデータ及び又は制御データを送受信する送受信機能部である。
【０１９６】
記憶部＿Ｃ１３４０は、ＳＧＷ＿Ａ３５の各動作に必要なプログラムや、データなどを記憶する機能部である。記憶部＿Ｃ１３４０は、例えば、半導体メモリや、ＨＤＤ（Ｈａｒｄ  Ｄｉｓｋ  Ｄｒｉｖｅ）等により構成されている。
【０１９７】
記憶部＿Ｃ１３４０は、少なくとも、後述する通信手続き内で送受信する制御メッセージに含まれる識別情報及びまたは制御情報及び又はフラグ及び又はパラメータを記憶してもよい。
【０１９８】
記憶部＿Ｃ１３４０は、図に示すように、ＥＰＳベアラコンテキスト１３４２を記憶する。なお、ＥＰＳベアラコンテキストの中には、ＵＥごとに記憶されるものと、ＰＤＮごとに記憶されるものと、ベアラごとに記憶されるものが含まれる。
【０１９９】
図１４にＵＥごとに記憶されるＥＰＳベアラコンテキストの情報要素を示す。図１４が示すように、ＵＥごとに記憶されるＥＰＳベアラコンテキストは、ＩＭＳＩ、ＭＳＩ−ｕｎａｕｔｈｅｎｔｉｃａｔｅｄ−ｉｎｄｉｃａｔｏｒ、ＭＥ  Ｉｄｅｎｔｉｔｙ、ＭＳＩＳＤＮ、Ｓｅｌｅｃｔｅｄ  ＣＮ  ｏｐｅｒａｔｏｒ  ｉｄ、ＭＭＥ  ＴＥＩＤ  ｆｏｒ
Ｓ１１、ＭＭＥ  ＩＰ  ａｄｄｒｅｓｓ  ｆｏｒ  Ｓ１１、Ｓ−ＧＷ  ＴＥＩＤ  ｆｏｒ  Ｓ１１／Ｓ４、Ｓ−ＧＷ  ＩＰ  ａｄｄｒｅｓｓ  ｆｏｒ  Ｓ１１／Ｓ４、ＳＧＳＮ
ＩＰ  ａｄｄｒｅｓｓ  ｆｏｒ  Ｓ４、ＳＧＳＮ  ＴＥＩＤ  ｆｏｒ  Ｓ４、Ｔｒａｃｅ  ｒｅｆｅｒｅｎｃｅ、Ｔｒａｃｅ  ｔｙｐｅ、Ｔｒｉｇｇｅｒ  ＩＤ、ＯＭＣ  ｉｄｅｎｔｉｔｙ、Ｌａｓｔ  ｋｎｏｗｎ  Ｃｅｌｌ  Ｉｄ、Ｌａｓｔ  ｋｎｏｗｎ  Ｃｅｌｌ  Ｉｄ  ａｇｅを含める。
【０２００】
ＩＭＳＩは、ユーザの永久的な識別情報である。ＨＳＳ＿Ａ５０のＩＭＳＩと等しい。
【０２０１】
ＩＭＳＩ−ｕｎａｕｔｈｅｎｔｉｃａｔｅｄ−ｉｎｄｉｃａｔｏｒは、このＩＭＳＩが認証されていない事を示す指示情報である。
【０２０２】
ＭＥ  Ｉｄｅｎｔｉｔｙは、ＵＥの識別情報であり、例えば、ＩＭＥＩ／ＩＭＩＳＶであってもよい。
【０２０３】
ＭＳＩＳＤＮは、ＵＥの基本的な電話番号を表す。ＭＳＩＳＤＮはＨＳＳ＿Ａ５０の記憶部により示される。
【０２０４】
Ｓｅｌｅｃｔｅｄ  ＣＮ  ｏｐｅｒａｔｏｒ  ｉｄはオペレータ間でネットワークを共有するために使用する、選択されたコアネットワークオペレータの識別情報である。
【０２０５】
ＭＭＥ  ＴＥＩＤ  ｆｏｒ  Ｓ１１は、ＭＭＥとＳＧＷ間のインターフェースで用いられるＭＭＥのＴＥＩＤである。
【０２０６】
ＭＭＥ  ＩＰ  ａｄｄｒｅｓｓ  ｆｏｒ  Ｓ１１は、ＭＭＥとＳＧＷ間のインターフェースで用いられるＭＭＥのＩＰアドレスである。
【０２０７】
Ｓ−ＧＷ  ＴＥＩＤ  ｆｏｒ  Ｓ１１／Ｓ４は、ＭＭＥとＳＧＷ間のインターフェース、またはＳＧＳＮとＳＧＷ間のインターフェースで用いられるＳＧＷのＴＥＩＤである。
【０２０８】
Ｓ−ＧＷ  ＩＰ  ａｄｄｒｅｓｓ  ｆｏｒ  Ｓ１１／Ｓ４は、ＭＭＥとＳＧＷ間のインターフェース、またはＳＧＳＮとＳＧＷ間のインターフェースで用いられるＳＧＷのＩＰアドレスである。
【０２０９】
ＳＧＳＮ  ＩＰ  ａｄｄｒｅｓｓ  ｆｏｒ  Ｓ４は、ＳＧＳＮとＳＧＷ間のインターフェースで用いられるＳＧＳＮのＩＰアドレスである。
【０２１０】
ＳＧＳＮ  ＴＥＩＤ  ｆｏｒ  Ｓ４は、ＳＧＳＮとＳＧＷ間のインターフェースで用いられるＳＧＳＮのＴＥＩＤである。
【０２１１】
Ｔｒａｃｅ  ｒｅｆｅｒｅｎｃｅは、特定のトレースの記録、または記録の集合を識別する識別情報である。
【０２１２】
Ｔｒａｃｅ  Ｔｙｐｅは、トレースのタイプを示す。例えば、ＨＳＳがトレースをするタイプ、及び／または、ＭＭＥやＳＧＷやＰＧＷがトレースするタイプを示してもよい。
【０２１３】
Ｔｒｉｇｇｅｒ  ＩＤは、トレースを開始する構成要素を識別する識別情報である。
【０２１４】
ＯＭＣ  Ｉｄｅｎｔｉｔｙは、トレースされた記録を受信したＯＭＣを識別する識別情報である。
【０２１５】
Ｌａｓｔ  ｋｎｏｗｎ  Ｃｅｌｌ  ＩＤは、ネットワークから通知されたＵＥの最近の位置情報である。
【０２１６】
Ｌａｓｔ  ｋｎｏｗｎ  Ｃｅｌｌ  ＩＤ  ａｇｅは、Ｌａｓｔ  ｋｎｏｗｎ  Ｃｅｌｌ
ＩＤが記憶されてから今までの期間を示す情報である。
【０２１７】
さらに、ＥＰＳベアラコンテキストには、ＰＤＮコネクションごとに記憶されるＰＤＮコネクションごとのＥＰＳベアラコンテキストが含まれる。図１５（ｃ）に、ＰＤＮコネクションごとのＥＰＳベアラコンテキストを示す。図に示すように、ＰＤＮコネクションごとのＥＰＳベアラコンテキストは、ＡＰＮ  ｉｎ  Ｕｓｅ、ＥＰＳ  ＰＤＮ  Ｃｈａｒｇｉｎｇ  Ｃｈａｒａｃｔｅｒｉｓｔｉｃｓ、Ｐ−ＧＷ  Ａｄｄｒｅｓｓ  ｉｎ  Ｕｓｅ（制御情報）、Ｐ−ＧＷ  ＴＥＩＤ  ｆｏｒ  Ｓ５／Ｓ８（制御情報）、Ｐ−ＧＷ  Ａｄｄｒｅｓｓ  ｉｎ  Ｕｓｅ（ユーザデータ）、Ｐ−ＧＷ  ＧＲＥ  Ｋｅｙ  ｆｏｒ  ｕｐｌｉｎｋ（ユーザデータ）、Ｓ−ＧＷ  ＩＰ  ａｄｄｒｅｓｓ  ｆｏｒ  Ｓ５／Ｓ８（制御情報）、Ｓ―ＧＷ  ＴＥＩＤ  ｆｏｒ  Ｓ５／Ｓ８（制御情報）、Ｓ  ＧＷ  Ａｄｄｒｅｓｓ  ｉｎ  Ｕｓｅ（ユーザデータ）、Ｓ−ＧＷ  ＧＲＥ  Ｋｅｙ  ｆｏｒ  ｄｏｗｎｌｉｎｋ  ｔｒａｆｆｉｃ（ユーザデータ）、Ｄｅｆａｕｌｔ  Ｂｅａｒｅｒを含める。
【０２１８】
ＡＰＮ  ｉｎ  Ｕｓｅは、最近使用されたＡＰＮを示す。このＡＰＮはＡＰＮネットワークの識別情報と、デフォルトのオペレータの識別情報により構成される。また、この情報は、ＭＭＥまたはＳＧＳＮより取得した情報である。
【０２１９】
ＥＰＳ  ＰＤＮ  Ｃｈａｒｇｉｎｇ  Ｃｈａｒａｃｔｅｒｉｓｔｉｃｓは、課金特性を示す。ＥＰＳ  ＰＤＮ  Ｃｈａｒｇｉｎｇ  Ｃｈａｒａｃｔｅｒｉｓｔｉｃｓは例えば、ノーマル、プリペイド、課金率固定、または即時請求を示してよい。
【０２２０】
Ｐ−ＧＷ  Ａｄｄｒｅｓｓ  ｉｎ  Ｕｓｅ（制御情報）は、ＳＧＷが最近制御情報を送信するときに使用したＰＧＷのＩＰアドレスである。
【０２２１】
Ｐ−ＧＷ  ＴＥＩＤ  ｆｏｒ  Ｓ５／Ｓ８（制御情報）は、ＳＧＷとＰＧＷ間のインターフェースで、制御情報の伝送に用いるＰＧＷのＴＥＩＤである。
【０２２２】
Ｐ−ＧＷ  Ａｄｄｒｅｓｓ  ｉｎ  Ｕｓｅ（ユーザデータ）は、ＳＧＷが最近ユーザデータを送信するときに使用したＰＧＷのＩＰアドレスである。
【０２２３】
Ｐ−ＧＷ  ＧＲＥ  Ｋｅｙ  ｆｏｒ  ｕｐｌｉｎｋ（ユーザデータ）は、ＳＧＷとＰＧＷ間のインターフェースのユーザデータの上り通信のためのＧＲＥキーである。
【０２２４】
Ｓ−ＧＷ  ＩＰ  ａｄｄｒｅｓｓ  ｆｏｒ  Ｓ５／Ｓ８（制御情報）は、ＳＧＷとＰＧＷ間の制御情報のインターフェースに用いるＳＧＷのＩＰアドレスである。
【０２２５】
Ｓ―ＧＷ  ＴＥＩＤ  ｆｏｒ  Ｓ５／Ｓ８（制御情報）は、ＧＷとＰＧＷ間の制御情報のインターフェースに用いるＳＧＷのＴＥＩＤである。
【０２２６】
Ｓ  ＧＷ  Ａｄｄｒｅｓｓ  ｉｎ  Ｕｓｅ（ユーザデータ）は、ＳＧＷがユーザデータを送信するのに最近用いたＳＧＷのＩＰアドレスである。
【０２２７】
Ｓ−ＧＷ  ＧＲＥ  Ｋｅｙ  ｆｏｒ  ｄｏｗｎｌｉｎｋ  ｔｒａｆｆｉｃ（ユーザデータ）は、ＳＧＷとＰＧＷ間のユーザデータのインターフェースに用いる上り通信のＧＲＥキーである。
【０２２８】
Ｄｅｆａｕｌｔ  Ｂｅａｒｅｒは、ＰＤＮコネクション確立時に取得、及び又は、生成する情報であり、ＰＤＮコネクションに対応づけられたデフォルトベアラを識別するための識別情報である。
【０２２９】
更に、ＳＧＷのＥＰＳベアラコンテキストはベアラごとのＥＰＳベアラコンテキストを含める。図１５（ｄ）は、ベアラごとのＥＰＳベアラコンテキストを示す。図に示すように、ベアラごとのＥＰＳベアラコンテキストは、ＥＰＳ  Ｂｅａｒｅｒ  Ｉｄ、ＴＦＴ、Ｐ−ＧＷ  Ａｄｄｒｅｓｓ  ｉｎ  Ｕｓｅ（ユーザデータ）、Ｐ−ＧＷ  ＴＥＩＤ  ｆｏｒ  Ｓ５／Ｓ８  （ユーザデータ）、Ｓ−ＧＷ  ＩＰ  ａｄｄｒｅｓｓ  ｆｏｒ  Ｓ５／Ｓ８（ユーザデータ）、Ｓ−ＧＷ  ＴＥＩＤ  ｆｏｒ  Ｓ５／Ｓ８（ユーザデータ）、Ｓ−ＧＷ  ＩＰ  ａｄｄｒｅｓｓ  ｆｏｒ  Ｓ１−ｕ、Ｓ１２  ａｎｄ  Ｓ４（ユーザデータ）、Ｓ−ＧＷ  ＴＥＩＤ  ｆｏｒ  Ｓ１−ｕ、Ｓ１２  ａｎｄ  Ｓ４（ユーザデータ）、ｅＮｏｄｅＢ  ＩＰ  ａｄｄｒｅｓｓ  ｆｏｒ  Ｓ１−ｕ、ｅＮｏｄｅＢ  ＴＥＩＤ  ｆｏｒ  Ｓ１−ｕ、ＲＮＣ  ＩＰ  ａｄｄｒｅｓｓ  ｆｏｒ  Ｓ１２、ＲＮＣ  ＴＥＩＤ
ｆｏｒ  Ｓ１２、ＳＧＳＮ  ＩＰ  ａｄｄｒｅｓｓ  ｆｏｒ  Ｓ４（ユーザデータ）、ＳＧＳＮ  ＴＥＩＤ  ｆｏｒ  Ｓ４（ユーザデータ）、ＥＰＳ  Ｂｅａｒｅｒ  ＱｏＳ、Ｃｈａｒｇｉｎｇ  Ｉｄを含める。
【０２３０】
ＥＰＳ  Ｂｅａｒｅｒ  Ｉｄは、Ｅ−ＵＴＲＡＮを介したＵＥ接続に対して、ＥＰＳベアラを識別する唯一の識別情報である。つまり、ベアラを識別するための識別情報である。言い換えると、  ＥＰＳ  Ｂｅａｒｅｒ  Ｉｄは、ＥＰＳベアラの識別情報である。また、ＥＰＳ  Ｂｅａｒｅｒ  Ｉｄは、ＳＲＢ、及び又は、ＣＲＢを識別する識別情報であってもよいし、ＤＲＢを識別する識別情報であってもよい。
【０２３１】
ＴＦＴは、ＥＰＳベアラと関連づけられた全てのパケットフィルターを示す。言い換えると、ＴＦＴは送受信するユーザデータの一部を識別する情報であり、ＳＧＷ＿Ａ３５は、ＴＦＴによって識別されたユーザデータを、ＴＦＴに関連付けたＥＰＳベアラを用いて送受信する。さらに言い換えると、ＳＧＷ＿Ａ３５は、ＴＦＴによって識別されたユーザデータを、ＴＦＴに関連づけたＲＢを含むＥＰＳベアラを用いて送受信する。
【０２３２】
また、ＳＧＷ＿Ａ３５は、ＴＦＴで識別できないユーザデータを、デフォルトベアラを用いて送受信してもよい。
【０２３３】
また、ＳＧＷ＿Ａ３５は、デフォルトベアラに関連付けられてＴＦＴを予め記憶しておいてもよい。
【０２３４】
Ｐ−ＧＷ  Ａｄｄｒｅｓｓ  ｉｎ  Ｕｓｅ（ユーザデータ）は、ＳＧＷとＰＧＷ間のインターフェースで、ユーザデータの送信に最近用いられたＰＧＷのＩＰアドレスである。
【０２３５】
Ｐ−ＧＷ  ＴＥＩＤ  ｆｏｒ  Ｓ５／Ｓ８  （ユーザデータ）は、ＳＧＷとＰＧＷ間のユーザデータのインターフェースのためのＰＧＷのＴＥＩＤである。
【０２３６】
Ｓ−ＧＷ  ＩＰ  ａｄｄｒｅｓｓ  ｆｏｒ  Ｓ５／Ｓ８（ユーザデータ）は、ＰＧＷか
ら受信するユーザデータの為の、ＳＧＷのＩＰアドレスである。
【０２３７】
Ｓ−ＧＷ  ＴＥＩＤ  ｆｏｒ  Ｓ５／Ｓ８（ユーザデータ）は、ＳＧＷとＰＧＷ間のユーザデータのインターフェースの為のＳＧＷのＴＥＩＤである。
【０２３８】
Ｓ−ＧＷ  ＩＰ  ａｄｄｒｅｓｓ  ｆｏｒ  Ｓ１−ｕ、Ｓ１２  ａｎｄ  Ｓ４（ユーザデータ）は、ＳＧＷと３ＧＰＰのアクセスネットワーク（ＬＴＥのアクセスネットワーク、またはＧＥＲＡＮ／ＵＴＲＡＮ）間のインターフェースで用いるＳＧＷのＩＰアドレスである。
【０２３９】
また、Ｓ−ＧＷ  ＩＰ  ａｄｄｒｅｓｓ  ｆｏｒ  Ｓ１−ｕ、Ｓ１２  ａｎｄ  Ｓ４（ユーザデータ）は、ユーザデータが制御情報用のメッセージに含まれて送受信される場合、ＳＧＷとＭＭＥ、及び又は、ＳＧＳＮ間のインターフェースで用いるＳＧＷのＩＰアドレスであってもよく、Ｓ−ＧＷ  ＩＰ  ａｄｄｒｅｓｓ  ｆｏｒ  Ｓ１１／Ｓ４であってもよい。
【０２４０】
Ｓ−ＧＷ  ＴＥＩＤ  ｆｏｒ  Ｓ１−ｕ、Ｓ１２  ａｎｄ  Ｓ４（ユーザデータ）は、ＳＧＷと３ＧＰＰのアクセスネットワーク（ＬＴＥのアクセスネットワーク、またはＧＥＲＡＮ／ＵＴＲＡＮ）間のインターフェースで用いるＳＧＷのＴＥＩＤである。
【０２４１】
また、Ｓ−ＧＷ  ＴＥＩＤ  ｆｏｒ  Ｓ１−ｕ、Ｓ１２  ａｎｄ  Ｓ４（ユーザデータ）は、ユーザデータが制御情報用のメッセージに含まれて送受信される場合、ＳＧＷとＭＭＥ、及び又は、ＳＧＳＮ間のインターフェースで用いるＳＧＷのＴＥＩＤであってもよく、Ｓ−ＧＷ  ＴＥＩＤ  ｆｏｒ  Ｓ１１／Ｓ４であってもよい。
【０２４２】
ｅＮｏｄｅＢ  ＩＰ  ａｄｄｒｅｓｓ  ｆｏｒ  Ｓ１−ｕは、ＳＧＷとｅＮＢ間の伝送に用いるｅＮＢのＩＰアドレスである。
【０２４３】
また、ｅＮｏｄｅＢ  ＩＰ  ａｄｄｒｅｓｓ  ｆｏｒ  Ｓ１−ｕは、ユーザデータが制御情報用のメッセージに含まれて送受信される場合、ＭＭＥとＳＧＷ間のインターフェースで用いるＭＭＥのＩＰアドレスであってもよく、ＭＭＥ  ＩＰ  ａｄｄｒｅｓｓ  ｆｏｒ  Ｓ１１であってもよい。
【０２４４】
ｅＮｏｄｅＢ  ＴＥＩＤ  ｆｏｒ  Ｓ１−ｕは、ＳＧＷとｅＮＢ間の伝送に用いるｅＮＢのＴＥＩＤである。
【０２４５】
また、ｅＮｏｄｅＢ  ＴＥＩＤ  ｆｏｒ  Ｓ１−ｕは、ユーザデータが制御情報用のメッセージに含まれて送受信される場合、ＭＭＥとＳＧＷ間のインターフェースで用いるＭＭＥのＴＥＩＤであってもよく、ＭＭＥ  ＴＥＩＤ  ｆｏｒ  Ｓ１１であってもよい。
【０２４６】
ＲＮＣ  ＩＰ  ａｄｄｒｅｓｓ  ｆｏｒ  Ｓ１２は、ＳＧＷとＵＴＲＡＮ間のインターフェースに用いるＲＮＣのＩＰアドレスである。
【０２４７】
ＲＮＣ  ＴＥＩＤ  ｆｏｒ  Ｓ１２は、ＳＧＷとＵＴＲＡＮ間のインターフェースに用いるＲＮＣのＴＥＩＤである。
【０２４８】
ＳＧＳＮ  ＩＰ  ａｄｄｒｅｓｓ  ｆｏｒ  Ｓ４（ユーザデータ）は、ＳＧＷとＳＧＳＮ間のユーザデータの伝送に用いるＳＧＳＮのＩＰアドレスである。
【０２４９】
ＳＧＳＮ  ＴＥＩＤ  ｆｏｒ  Ｓ４（ユーザデータ）は、ＳＧＷとＳＧＳＮ間のユーザ
データの伝送に用いるＳＧＳＮのＴＥＩＤである。
【０２５０】
ＥＰＳ  Ｂｅａｒｅｒ  ＱｏＳは、このベアラのＱｏＳを表し、ＡＲＰ、ＧＢＲ、ＭＢＲ、ＱＣＩが含まれてもよい。ここでＡＲＰは、ベアラを維持することに関する優先度を表す情報である。また、ＧＢＲ（Ｇｕａｒａｎｔｅｅｄ  Ｂｉｔ  Ｒａｔｅ）は帯域保障されたビットレートを表し、ＭＢＲ（Ｍａｘｉｍｕｍ  Ｂｉｔ  Ｒａｔｅ）は、最大ビットレートをあらわす。ＱＣＩは、帯域制御の有無や遅延許容時間、パケットロス率などに応じてクラスを分けられる。ＱＣＩは優先度を示す情報を含める。
【０２５１】
Ｃｈａｒｇｉｎｇ  Ｉｄは、ＳＧＷとＰＧＷで生成される課金を記録するための識別情報である。
【０２５２】
［１．２．４．ＰＧＷの構成］
以下、ＰＧＷ＿Ａ３０の構成について説明する。図１６はＰＧＷ＿Ａ３０の装置構成を示す。図に示すように、ＰＧＷ＿Ａ３０はネットワーク接続部＿Ｄ１６２０と、制御部＿Ｄ１６００と記憶部＿Ｄ１６４０で構成されている。ネットワーク接続部＿Ｄ１６２０と記憶部＿Ｄ１６４０は制御部＿Ｄ１６００と、バスを介して接続されている。
【０２５３】
制御部＿Ｄ１６００はＰＧＷ＿Ａ３０を制御するための機能部である。制御部＿Ｄ１６００は、記憶部＿Ｄ１６４０に記憶されている各種プログラムを読みだして実行することにより各種処理を実現する。
【０２５４】
ネットワーク接続部＿Ｄ１６２０は、ＰＧＷ＿Ａ３０が、ＳＧＷ＿Ａ３５及び／またはＰＣＲＦ＿Ａ６０及び／又はｅＰＤＧ＿Ａ６５と及び／またはＡＡＡ＿Ａ５５及び／またはＴＷＡＧ＿Ａ７４及び／又はＰＤＮ＿Ａ５と接続するための機能部である。また、ネットワーク接続部＿Ｄ１６２０は、ＰＧＷ＿Ａ３０が、ＳＧＷ＿Ａ３５及び／またはＰＣＲＦ＿Ａ６０及び／又はｅＰＤＧ＿Ａ６５と及び／またはＡＡＡ＿Ａ５５及び／またはＴＷＡＧ＿Ａ７４及び／又はＰＤＮ＿Ａ５からユーザデータ及び又は制御データを送受信する送受信機能部である。
【０２５５】
記憶部＿Ｄ１６４０は、ＰＧＷ＿Ａ３０の各動作に必要なプログラムや、データなどを記憶する機能部である。記憶部＿Ｄ１６４０は、例えば、半導体メモリや、ＨＤＤ（Ｈａｒｄ  Ｄｉｓｋ  Ｄｒｉｖｅ）等により構成されている。
【０２５６】
記憶部＿Ｄ１６４０は、少なくとも、後述する通信手続き内で送受信する制御メッセージに含まれる識別情報及びまたは制御情報及び又はフラグ及び又はパラメータを記憶してもよい。
【０２５７】
記憶部＿Ｄ１６４０は、図に示すように、ＥＰＳベアラコンテキスト１６４２を記憶する。なお、ＥＰＳベアラコンテキストの中には、ＵＥごとに記憶されるものと、ＡＰＮごとに記憶されるものと、ＰＤＮコネクションごとに記憶されるものと、ベアラごとに記憶されるものとが分かれて記憶されてもよい。
【０２５８】
図１７（ｂ）は、ＵＥごとに記憶されるＥＰＳベアラコンテキストに含まれる情報要素を示す。図に示すように、ＵＥごとに記憶されるＥＰＳベアラコンテキストは、ＩＭＳＩ、ＩＭＳＩ−ｕｎａｕｔｈｅｎｔｉｃａｔｅｄ−ｉｎｄｉｃａｔｏｒ、ＭＥ  Ｉｄｅｎｔｉｔｙ、ＭＳＩＳＤＮ、Ｓｅｌｅｃｔｅｄ  ＣＮ  ｏｐｅｒａｔｏｒ  ｉｄ、ＲＡＴ  ｔｙｐｅ、Ｔｒａｃｅ  ｒｅｆｅｒｅｎｃｅ、Ｔｒａｃｅ  ｔｙｐｅ、Ｔｒｉｇｇｅｒ  ｉｄ、ＯＭＣ  ｉｄｅｎｔｉｔｙを含む。
【０２５９】
ＩＭＳＩは、ＵＥを使用するユーザに割り当てられる、識別情報である。
【０２６０】
ＩＭＳＩ−ｕｎａｕｔｈｅｎｔｉｃａｔｅｄ−ｉｎｄｉｃａｔｏｒは、このＩＭＳＩが認証されていない事を示す指示情報である。
【０２６１】
ＭＥ  ＩｄｅｎｔｉｔｙはＵＥのＩＤであり、例えば、ＩＭＥＩ／ＩＭＩＳＶであってもよい。
【０２６２】
ＭＳＩＳＤＮは、ＵＥの基本的な電話番号を表す。ＭＳＩＳＤＮはＨＳＳ＿Ａ５０の記憶部により示される。
【０２６３】
Ｓｅｌｅｃｔｅｄ  ＣＮ  ｏｐｅｒａｔｏｒ  ＩＤはオペレータ間でネットワークを共有するために使用する、選択されたコアネットワークオペレータの識別情報である。
【０２６４】
ＲＡＴ  ｔｙｐｅは、ＵＥの最近のＲＡＴ（Ｒａｄｉｏ  Ａｃｃｅｓｓ  Ｔｅｃｈｎｏｌｏｇｙ）を示す。ＲＡＴ  ｔｙｐｅは例えば、Ｅ−ＵＴＲＡ（ＬＴＥ）や、ＵＴＲＡなどであってよい。
【０２６５】
Ｔｒａｃｅ  ｒｅｆｅｒｅｎｃｅは、特定のトレースの記録、または記録の集合を識別する識別情報である。
【０２６６】
Ｔｒａｃｅ  ｔｙｐｅは、トレースのタイプを示す。例えば、ＨＳＳがトレースをするタイプ、及び／または、ＭＭＥやＳＧＷやＰＧＷがトレースするタイプを示してもよい。
【０２６７】
Ｔｒｉｇｇｅｒ  ＩＤは、トレースを開始する構成要素を識別する識別情報である。
【０２６８】
ＯＭＣ  Ｉｄｅｎｔｉｔｙは、トレースされた記録を受信したＯＭＣを識別する識別情報である。
【０２６９】
次に、図１７（ｃ）にＡＰＮごとに記憶されるＥＰＳベアラコンテキストを示す。図に示すように、ＰＧＷ記憶部のＡＰＮごとに記憶されるＥＰＳベアラコンテキストは、ＡＰＮ  ｉｎ  ｕｓｅ、ＡＰＮ−ＡＭＢＲを含める。
【０２７０】
ＡＰＮ  ｉｎ  Ｕｓｅは、最近使用されたＡＰＮを示す。このＡＰＮはＡＰＮネットワークの識別情報と、デフォルトのオペレータの識別情報により構成される。この情報はＳＧＷから取得する。
【０２７１】
ＡＰＮ−ＡＭＢＲは、このＡＰＮに対して確立された全てのＮｏｎ−ＧＢＲベアラ（非保障ベアラ）を共有するための上り通信および下り通信のＭＢＲ（Ｍａｘｉｍｕｍ  Ｂｉｔ  Ｒａｔｅ）の最大値を示す。
【０２７２】
また、図１８（ｄ）にＰＤＮコネクションごとに記憶されるＰＤＮコネクションごとのＥＰＳベアラコンテキストを示す。図に示すように、ＰＤＮコネクションごとのＥＰＳベアラコンテキストは、ＩＰ  Ａｄｄｒｅｓｓ、ＰＤＮ  ｔｙｐｅ、Ｓ−ＧＷ  Ａｄｄｒｅｓｓ  ｉｎ  Ｕｓｅ（制御情報）、Ｓ−ＧＷ  ＴＥＩＤ  ｆｏｒ  Ｓ５／Ｓ８（制御情報）、Ｓ−ＧＷ  Ａｄｄｒｅｓｓ  ｉｎ  Ｕｓｅ（ユーザデータ）、Ｓ−ＧＷ  ＧＲＥ  Ｋｅｙ  ｆｏｒ  ｄｏｗｎｌｉｎｋ  ｔｒａｆｆｉｃ（ユーザデータ）、Ｐ−ＧＷ  ＩＰ  ａｄｄｒｅｓｓ  ｆｏｒ  Ｓ５／Ｓ８（制御情報）、Ｐ−ＧＷ  ＴＥＩＤ  ｆｏｒ  Ｓ５／Ｓ８（制御情報）、Ｐ−ＧＷ  Ａｄｄｒｅｓｓ  ｉｎ  Ｕｓｅ（ユーザデータ）、Ｐ−ＧＷ  ＧＲＥ  Ｋｅｙ  ｆｏｒ  ｕｐｌｉｎｋ  ｔｒａｆｆｉｃ  （ユーザデータ）、Ｍ
Ｓ  Ｉｎｆｏ  Ｃｈａｎｇｅ  Ｒｅｐｏｒｔｉｎｇ  ｓｕｐｐｏｒｔ  ｉｎｄｉｃａｔｉｏｎ、ＭＳ  Ｉｎｆｏ  Ｃｈａｎｇｅ  Ｒｅｐｏｒｔｉｎｇ  Ａｃｔｉｏｎ、ＣＳＧ  Ｉｎｆｏｒｍａｔｉｏｎ  Ｒｅｐｏｒｔｉｎｇ  Ａｃｔｉｏｎ、Ｐｒｅｓｅｎｃｅ  Ｒｅｐｏｒｔｉｎｇ  Ａｒｅａ  Ａｃｔｉｏｎ、ＢＣＭ、Ｄｅｆａｕｌｔ  Ｂｅａｒｅｒ、ＥＰＳ  ＰＤＮ  Ｃｈａｒｇｉｎｇ  Ｃｈａｒａｃｔｅｒｉｓｔｉｃｓを含める。
【０２７３】
ＩＰ  Ａｄｄｒｅｓｓは、このＰＤＮコネクションに対してＵＥに割り当てられたＩＰアドレスを示す。ＩＰアドレスはＩＰｖ４及び／またはＩＰｖ６  ｐｒｅｆｉｘであってよい。
【０２７４】
ＰＤＮ  ｔｙｐｅは、ＩＰアドレスの種類を示す。ＰＤＮ  ｔｙｐｅは例えば、ＩＰｖ４またはＩＰｖ６またはＩＰｖ４ｖ６を示す。
【０２７５】
Ｓ−ＧＷ  Ａｄｄｒｅｓｓ  ｉｎ  Ｕｓｅ（制御情報）は、制御情報を送信するのに最近用いられるＳＧＷのＩＰアドレスである。
【０２７６】
Ｓ−ＧＷ  ＴＥＩＤ  ｆｏｒ  Ｓ５／Ｓ８（制御情報）は、ＳＧＷとＰＧＷ間の制御情報の送受信に用いるＳＧＷのＴＥＩＤである。
【０２７７】
Ｓ−ＧＷ  Ａｄｄｒｅｓｓ  ｉｎ  Ｕｓｅ（ユーザデータ）は、ＳＧＷとＰＧＷ間のインターフェースでユーザデータの送信に最近用いられたＳＧＷのＩＰアドレスである。
【０２７８】
Ｓ−ＧＷ  ＧＲＥ  Ｋｅｙ  ｆｏｒ  ｄｏｗｎｌｉｎｋ  ｔｒａｆｆｉｃ（ユーザデータ）は、ＳＧＷとＰＧＷ間のインターフェースで、ＰＧＷからＳＧＷへのユーザデータの下り通信において使用するために割り当てられたＧＲＥ鍵である。
【０２７９】
Ｐ−ＧＷ  ＩＰ  ａｄｄｒｅｓｓ  ｆｏｒ  Ｓ５／Ｓ８（制御情報）は、制御情報の通信に用いるＰＧＷのＩＰドレスである。
【０２８０】
Ｐ−ＧＷ  ＴＥＩＤ  ｆｏｒ  Ｓ５／Ｓ８（制御情報）は、ＳＧＷとＰＧＷ間のインターフェースを用いた制御情報の通信の為のＰＧＷのＴＥＩＤである。
【０２８１】
Ｐ−ＧＷ  Ａｄｄｒｅｓｓ  ｉｎ  Ｕｓｅ（ユーザデータ）は、ＳＧＷとＰＧＷ間のインターフェースを用いたユーザデータの送信に最近用いられたＰＧＷのＩＰアドレスである。
【０２８２】
Ｐ−ＧＷ  ＧＲＥ  Ｋｅｙ  ｆｏｒ  ｕｐｌｉｎｋ  ｔｒａｆｆｉｃ  （ユーザデータ）は、ＳＧＷとＰＧＷ間のユーザデータの上り通信、つまりＳＧＷからＰＧＷへのユーザデータの送信、のために割り当てられたＧＲＥ鍵である。
【０２８３】
ＭＳ  Ｉｎｆｏ  Ｃｈａｎｇｅ  Ｒｅｐｏｒｔｉｎｇ  ｓｕｐｐｏｒｔ  ｉｎｄｉｃａｔｉｏｎは、ＭＭＥ及び／またはＳＧＳＮがユーザの位置情報及び／またはユーザのＣＳＧ情報を通知する処理をサポートすることを示す。
【０２８４】
ＭＳ  Ｉｎｆｏ  Ｃｈａｎｇｅ  Ｒｅｐｏｒｔｉｎｇ  Ａｃｔｉｏｎは、ＭＭＥ及び／又はＳＧＳＮがユーザの位置情報の変更を送信することが要求されているかどうかを示す情報である。
【０２８５】
ＣＳＧ  Ｉｎｆｏｒｍａｔｉｏｎ  Ｒｅｐｏｒｔｉｎｇ  Ａｃｔｉｏｎは、ＭＭＥ及び／またはＳＧＳＮがユーザのＣＳＧ情報の変更の送信を要求されているかどうかを示す情
報である。この情報は、（ａ）ＣＳＧセルに対するものと、（ｂ）ユーザがＣＳＧメンバーであるハイブリッドセルに対するものと、（ｃ）ユーザがＣＳＧメンバーでないハイブリッドセルに対するものと、またこれらを組み合わせたものと、別に示す。
【０２８６】
Ｐｒｅｓｅｎｃｅ  Ｒｅｐｏｒｔｉｎｇ  Ａｒｅａ  Ａｃｔｉｏｎは、ＵＥが存在報告エリア（Ｐｒｅｓｅｎｃｅ  Ｒｅｐｏｒｔｉｎｇ  Ａｒｅａ）に存在するかどうかの変更を通知する必要があることを示す。この情報要素は、存在報告エリアの識別情報と、存在報告エリアに含まれる要素により分かれている。
【０２８７】
ＢＣＭ（Ｂｅａｒｅｒ  Ｃｏｎｔｒｏｌ  Ｍｏｄｅ）は、ＧＥＲＡＮ／ＵＴＲＡＮに対する交渉されたベアラの制御状態を示す。
【０２８８】
Ｄｅｆａｕｌｔ  Ｂｅａｒｅｒは、ＰＤＮコネクション確立時に取得、及び又は、生成する情報であり、ＰＤＮコネクションに対応づけられたデフォルトベアラを識別するためのＥＰＳベアラ識別情報である。
【０２８９】
ＥＰＳ  ＰＤＮ  Ｃｈａｒｇｉｎｇ  Ｃｈａｒａｃｔｅｒｉｓｔｉｃｓは、課金特性である。課金特性は例えば、通常（ノーマル）、プリペイド、課金率固定、即時請求を示してもよい。
【０２９０】
更に、図１８（ｅ）に、ＥＰＳベアラごとに記憶されるＥＰＳベアラコンテキストを示す。図に示すように、ＥＰＳベアラコンテキストは、ＥＰＳ  Ｂｅａｒｅｒ  Ｉｄ  、ＴＦＴ、Ｓ−ＧＷ  Ａｄｄｒｅｓｓ  ｉｎ  Ｕｓｅ（ユーザデータ）、Ｓ−ＧＷ  ＴＥＩＤ
ｆｏｒ  Ｓ５／Ｓ８  （ユーザデータ）、Ｐ−ＧＷ  ＩＰ  ａｄｄｒｅｓｓ  ｆｏｒ  Ｓ５／Ｓ８  （ユーザデータ）、Ｐ−ＧＷ  ＴＥＩＤ  ｆｏｒ  Ｓ５／Ｓ８  （ユーザデータ）、ＥＰＳ  Ｂｅａｒｅｒ  ＱｏＳ、Ｃｈａｒｇｉｎｇ  Ｉｄを含める。
【０２９１】
ＥＰＳ  Ｂｅａｒｅｒ  Ｉｄは、ＵＥのＥ−ＵＴＲＡＮを介したアクセスを識別する識別情報である。言い換えると、  ＥＰＳ  Ｂｅａｒｅｒ  Ｉｄは、ＥＰＳベアラの識別情報である。また、ＥＰＳ  Ｂｅａｒｅｒ  Ｉｄは、ＳＲＢ、及び又は、ＣＲＢを識別する識別情報であってもよいし、ＤＲＢを識別する識別情報であってもよい。
【０２９２】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。言い換えると、ＴＦＴは送受信するユーザデータの一部を識別する情報であり、ＰＧＷ＿Ａ３０は、ＴＦＴによって識別されたユーザデータを、ＴＦＴに関連付けたＥＰＳベアラを用いて送受信する。さらに言い換えると、ＰＧＷ＿Ａ３０は、ＴＦＴによって識別されたユーザデータを、ＴＦＴに関連づけたＲＢを含むＥＰＳベアラを用いて送受信する。
【０２９３】
また、ＰＧＷ＿Ａ３０は、ＴＦＴで識別できないユーザデータを、デフォルトベアラを用いて送受信してもよい。
【０２９４】
また、ＰＧＷ＿Ａ３０は、デフォルトベアラに関連付けられてＴＦＴを予め記憶しておいてもよい。
【０２９５】
Ｓ‐ＧＷ  Ａｄｄｒｅｓｓ  ｉｎ  Ｕｓｅ（ユーザデータ）は、ユーザデータの送信に最近用いられたＳＧＷのＩＰアドレスである。
【０２９６】
Ｓ‐ＧＷ  ＴＥＩＤ  ｆｏｒ  Ｓ５／Ｓ８  （ユーザデータ）は、ＳＧＷとＰＧＷ間のインターフェースを用いたユーザデータの通信の為のＳＧＷのＴＥＩＤである。
【０２９７】
Ｐ‐ＧＷ  ＩＰ  ａｄｄｒｅｓｓ  ｆｏｒ  Ｓ５／Ｓ８（ユーザデータ）は、ＰＧＷから受信するユーザデータの為のＰＧＷのＩＰアドレスである。
【０２９８】
Ｐ‐ＧＷ  ＴＥＩＤ  ｆｏｒ  Ｓ５／Ｓ８（ユーザデータ）は、ＳＧＷとＰＧＷ間のユーザデータの通信のためのＰＧＷのＴＥＩＤである。
【０２９９】
ＥＰＳ  Ｂｅａｒｅｒ  ＱｏＳは、ベアラのＱｏＳを示し、ＡＲＰ、ＧＢＲ、ＭＢＲ、ＱＣＩが含まれてもよい。ここでＡＲＰは、ベアラを維持することに関する優先度を表す情報である。また、ＧＢＲ（Ｇｕａｒａｎｔｅｅｄ  Ｂｉｔ  Ｒａｔｅ）は帯域保障されたビットレートを表し、ＭＢＲ（Ｍａｘｉｍｕｍ  Ｂｉｔ  Ｒａｔｅ）は、最大ビットレートをあらわす。ＱＣＩは、帯域制御の有無や遅延許容時間、パケットロス率などに応じてクラスを分けられる。ＱＣＩは優先度を示す情報を含める。
【０３００】
Ｃｈａｒｇｉｎｇ  Ｉｄは、ＳＧＷとＰＧＷで生成された課金に関する記録を識別するための課金識別情報である。
【０３０１】
［１．２．５．Ｃ−ＳＧＮの構成］
以下、Ｃ−ＳＧＮ＿Ａ９５の装置構成を説明する。図１９はＣ−ＳＧＮ＿Ａ９５の装置構成を示す。図に示すように、Ｃ−ＳＧＮ＿Ａ９５はネットワーク接続部＿Ｅ１９２０と、制御部＿Ｅ１９００と記憶部＿Ｅ１９４０で構成されている。ネットワーク接続部＿Ｅ１９２０と記憶部＿Ｅ１９４０は制御部＿Ｅ１９００と、バスを介して接続されている。
【０３０２】
制御部＿Ｅ１９００はＣ−ＳＧＮ＿Ａ９５を制御するための機能部である。制御部＿Ｅ１９００は、記憶部＿Ｅ１９４０に記憶されている各種プログラムを読みだして実行することにより各種処理を実現する。
【０３０３】
ネットワーク接続部＿Ｅ１９２０は、Ｃ−ＳＧＮ＿Ａ９５が、ｅＮＢ＿Ａ４５及び／またはＨＳＳ＿Ａ５０及び／またはＰＤＮ＿Ａ５と接続するための機能部である。また、ネットワーク接続部＿Ｅ１９２０は、Ｃ−ＳＧＮ＿Ａ９５が、ｅＮＢ＿Ａ４５及び／またはＨＳＳ＿Ａ５０及び／またはＰＤＮ＿Ａ５から、ユーザデータ及び又は制御データを送受信する送受信機能部である。
【０３０４】
記憶部＿Ｅ１９４０は、Ｃ−ＳＧＮ＿Ａ９５の各動作に必要なプログラムや、データなどを記憶する機能部である。記憶部＿Ｅ１９４０は、例えば、半導体メモリや、ＨＤＤ（Ｈａｒｄ  Ｄｉｓｋ  Ｄｒｉｖｅ）等により構成されている。
【０３０５】
記憶部＿Ｅ１９４０は、少なくとも、後述する通信手続き内で送受信する制御メッセージに含まれる識別情報及びまたは制御情報及び又はフラグ及び又はパラメータを記憶してもよい。
【０３０６】
記憶部＿Ｅ１９４０は、図に示すように、コンテキストＡ１９４２と、コンテキストＢ１９４４と、コンテキストＣ１９４６と、コンテキストＤ１９４８を記憶する。
【０３０７】
コンテキストＡ１９４２は、図６に示すＭＭＥコンテキスト６４２であってよい。また、コンテキストＢ１９４４は、図６に示すセキュリティーコンテキスト６４８であってよい。また、コンテキストＣ１９４６は、図６に示すＭＭＥ緊急構成データ６５０であってよい。
また、コンテキストＤ１９４８は、図１３に示すＥＰＳベアラコンテキスト１３４２であってよい。また、コンテキストＥ１９５０は、図１６に示すＥＰＳベアラコンテキスト１
６４２であってよい。
【０３０８】
なお、コンテキストＡ１９４２〜コンテキストＥ１９５０に同じ情報要素が含まれる場合、必ずしも重複して記憶部＿Ｅ１９４０で記憶される必要はなく、いずれかのコンテキストに記憶されていれば良い。
【０３０９】
具体的には、例えば、ＩＭＳＩは、コンテキストＡ１９４２と、コンテキストＤ１９４８と、コンテキストＥ１９５０のそれぞれに含まれてもよいし、いずれかのコンテキストに記憶されていてもよい。
【０３１０】
また、記憶部＿Ｅ１９４０には、ＴＦＴが含まれてもよい。
【０３１１】
ここで、ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。言い換えると、ＴＦＴは送受信するユーザデータの一部を識別する情報であり、Ｃ−ＳＧＮ＿Ａ９５は、ＴＦＴによって識別されたユーザデータを、ＴＦＴに関連付けたＥＰＳベアラを用いて送受信する。さらに言い換えると、Ｃ−ＳＧＮ＿Ａ９５は、ＴＦＴによって識別されたユーザデータを、ＴＦＴに関連づけたＲＢを含むＥＰＳベアラを用いて送受信する。
【０３１２】
また、Ｃ−ＳＧＮ＿Ａ９５は、ＴＦＴで識別できないユーザデータを、デフォルトベアラを用いて送受信してもよい。
【０３１３】
また、Ｃ−ＳＧＮ＿Ａ９５は、デフォルトベアラに関連付けられてＴＦＴを予め記憶しておいてもよい。
【０３１４】
［１．２．６．ＵＥの構成］
図２０はＵＥ＿Ａ１０の装置構成を示す。図に示すように、ＵＥ＿Ａ１０は送受信部＿Ｆ２０２０と、制御部＿Ｆ２０００と記憶部＿Ｆ２０４０で構成されている。送受信部＿Ｆ２０２０と記憶部＿Ｆ２０４０は制御部＿Ｆ２０００と、バスを介して接続されている。
【０３１５】
制御部＿Ｆ２０００はＵＥ＿Ａ１０を制御するための機能部である。制御部＿Ｆ２０００は、記憶部＿Ｆ２０４０に記憶されている各種プログラムを読みだして実行することにより各種処理を実現する。
【０３１６】
送受信部＿Ｆ２０２０は、ＵＥ＿Ａ１０がＬＴＥ基地局に接続し、ＩＰアクセスネットワークへ接続するための機能部である。また、送受信部＿Ｆ２０２０には、外部アンテナ＿Ｆ２０１０が接続されている。
【０３１７】
言い換えると、送受信部＿Ｆ２０２０は、ＵＥ＿Ａ１０がｅＮＢ＿Ａ４５と接続するための機能部である。さらに、送受信部＿Ｆ２０２０は、ＵＥ＿Ａ１０が、ｅＮＢ＿Ａ４５からユーザデータ及び又は制御データを送受信する送受信機能部である。
【０３１８】
記憶部＿Ｆ２０４０は、ＵＥ＿Ａ１０の各動作に必要なプログラムや、データなどを記憶する機能部である。記憶部＿Ｆ２０４０は、例えば、半導体メモリや、ＨＤＤ（Ｈａｒｄ  Ｄｉｓｋ  Ｄｒｉｖｅ）等により構成されている。
【０３１９】
記憶部＿Ｆ２０４０は、少なくとも、後述する通信手続き内で送受信する制御メッセージに含まれる識別情報及びまたは制御情報及び又はフラグ及び又はパラメータを記憶してもよい。
【０３２０】
記憶部＿Ｆ２０４０は、図に示すように、ＵＥコンテキスト２０４２を記憶する。以下、記憶部＿Ｆ２０４０で記憶される情報要素について説明する。
【０３２１】
図２０は、ＵＥごとに記憶されるＵＥコンテキストに含まれる情報要素を示す。図に示すように、ＵＥごとに記憶されるＵＥコンテキストは、ＩＭＳＩ、ＥＭＭ  Ｓｔａｔｅ、ＧＵＴＩ、ＭＥ  Ｉｄｅｎｔｉｔｙ、Ｔｒａｃｋｉｎｇ  Ａｒｅａ  Ｌｉｓｔ、ｌａｓｔ
ｖｉｓｉｔｅｄ  ＴＡＩ、Ｓｅｌｅｃｔｅｄ  ＮＡＳ  Ａｌｇｏｒｉｔｈｍ、Ｓｅｌｅｃｔｅｄ  ＡＳ  Ａｌｇｏｒｉｔｈｍ、ｅＫＳＩ、Ｋ＿ＡＳＭＥ、ＮＡＳ  Ｋｅｙｓ  ａｎｄ  ＣＯＵＮＴ、ＴＩＮ、ＵＥ  Ｓｐｅｃｉｆｉｃ  ＤＲＸ  Ｐａｒａｍｅｔｅｒｓ、Ａｌｌｏｗｅｄ  ＣＳＧ  ｌｉｓｔ、Ｏｐｅｒａｔｏｒ  ＣＳＧ  ｌｉｓｔを含める。
【０３２２】
ＩＭＳＩは、加入者の永久的な識別情報である。
【０３２３】
ＥＭＭ  Ｓｔａｔｅは、ＵＥの移動管理状態を示す。例えば、ＵＥがネットワークに登録されているＥＭＭ−ＲＥＧＩＳＴＥＲＥＤ（登録状態、ｒｅｇｉｓｔｅｒｅｄ状態）、またはＵＥがネットワークに登録されていないＥＭＭ−ＤＥＲＥＧＩＳＴＥＲＤ（非登録状態、ｄｅｒｅｇｉｓｔｅｒｅｄ状態）であってもよい。
【０３２４】
ＧＵＴＩは、Ｇｌｏｂａｌｌｙ  Ｕｎｉｑｕｅ  Ｔｅｍｐｏｒａｒｙ  Ｉｄｅｎｔｉｔｙの略であり、ＵＥの一時的な識別情報である。ＧＵＴＩはＭＭＥの識別情報（ＧＵＭＭＥＩ：Ｇｌｏｂａｌｌｙ  Ｕｎｉｑｕｅ  ＭＭＥ  Ｉｄｅｎｔｉｆｉｅｒ）と特定ＭＭＥ内でのＵＥの識別情報（Ｍ−ＴＭＳＩ）により構成される。
【０３２５】
ＭＥ  Ｉｄｅｎｔｉｔｙは、ＭＥのＩＤであり、例えば、ＩＭＥＩ／ＩＭＩＳＶであってもよい。
【０３２６】
Ｔｒａｃｋｉｎｇ  Ａｒｅａ  Ｌｉｓｔは、ＵＥに割り当てたトラッキングエリア識別情報のリストである。
【０３２７】
ｌａｓｔ  ｖｉｓｉｔｅｄ  ＴＡＩはＴｒａｃｋｉｎｇ  Ａｒｅａ  Ｌｉｓｔに含まれるトラッキングエリア識別情報であり、ＵＥが訪れた最新のトラッキングエリアの識別情報である。
【０３２８】
Ｓｅｌｅｃｔｅｄ  ＮＡＳ  Ａｌｇｏｒｉｔｈｍは、ＮＡＳの選択されたセキュリティーアルゴリズムである。
【０３２９】
Ｓｅｌｅｃｔｅｄ  ＡＳ  Ａｌｇｏｒｉｔｈｍは、ＡＳの選択されたセキュリティーアルゴリズムである。
【０３３０】
ｅＫＳＩは、Ｋ＿ＡＳＭＥを示す鍵の集合である。ＵＴＲＡＮまたはＥ−ＵＴＲＡＮのセキュリティー認証により取得したセキュリティー鍵を利用するかどうかを示してもよい。
【０３３１】
Ｋ＿ＡＳＭＥは、鍵ＣＫとＩＫに基づき生成される、Ｅ−ＵＴＲＡＮの鍵階層化の鍵である。
【０３３２】
ＮＡＳ  Ｋｅｙｓ  ａｎｄ  ＣＯＵＮＴは、鍵Ｋ＿ＮＡＳｉｎｔと、鍵Ｋ＿ＮＡＳｅｎｃとＮＡＳ  ＣＯＵＮＴにより構成される。Ｋ＿ＮＡＳｉｎｔは、ＵＥとＭＭＥ間の暗号化のための鍵であり、Ｋ＿ＮＡＳｅｎｃは、ＵＥとＭＭＥ間の安全性保護のための鍵であ
る。また、ＮＡＳ  ＣＯＵＮＴはＵＥとＭＭＥ間のセキュリティーが確立された、新しい鍵が設定された場合にカウントを開始する、カウントである。
【０３３３】
ＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）は、アタッチ手続きや、ＲＡＵ／ＴＡＵ（位置情報更新手続き）においてＵＥの中で使用される一時的な識別情報である。
【０３３４】
ＵＥ  Ｓｐｅｃｉｆｉｃ  ＤＲＸ  Ｐａｒａｍｅｔｅｒｓは、選択されたＵＥのＤＲＸ（Ｄｉｓｃｏｎｔｉｎｕｏｕｓ  Ｒｅｃｅｐｔｉｏｎ）サイクル長である。
【０３３５】
Ａｌｌｏｗｅｄ  ＣＳＧ  ｌｉｓｔは、ユーザとオペレータ両方の制御の下に、許可されたＵＥが属するメンバーのＣＳＧ  ＩＤと関連付けられたＰＬＭＮのリストである。
【０３３６】
Ｏｐｅｒａｔｏｒ  ＣＳＧ  ｌｉｓｔは、オペレータのみの制御の下に、許可されたＵＥが属するメンバーのＣＳＧ  ＩＤと関連付けられたＰＬＭＮのリストである。
【０３３７】
次に、図２１（ｃ）にＰＤＮコネクションごとに記憶されるＰＤＮコネクションごとのＵＥコンテキストを示す。図に示すように、ＰＤＮコネクションごとのＵＥコンテキストは、ＡＰＮ  ｉｎ  Ｕｓｅ、ＡＰＮ−ＡＭＢＲ、Ａｓｓｉｇｎｅｄ  ＰＤＮ  Ｔｙｐｅ、ＩＰ  Ａｄｄｒｅｓｓ、Ｄｅｆａｕｌｔ  Ｂｅａｒｅｒ、ＷＬＡＮ  ｏｆｆｌｏａｄａｂｉｌｉｔｙを含める。
【０３３８】
ＡＰＮ  ｉｎ  Ｕｓｅは、最近使用されたＡＰＮである。このＡＰＮは、ネットワークの識別情報と、デフォルトのオペレータの識別情報とで構成されてよい。
【０３３９】
ＡＰＮ−ＡＭＢＲは、Ｎｏｎ−ＧＢＲベアラ（非保障ベアラ）を共有するための上り通信および下り通信のＭＢＲの最大値を示す。ＡＰＮ−ＡＭＢＲは、ＡＰＮごとに確立される。
【０３４０】
Ａｓｓｉｇｎｅｄ  ＰＤＮ  Ｔｙｐｅは、ネットワークから割り当てられたＰＤＮのタイプである。Ａｓｓｉｇｎｅｄ  ＰＤＮ  Ｔｙｐｅは、例えば、ＩＰｖ４や、ＩＰｖ６や、ＩＰｖ４ｖ６であってよい。
【０３４１】
ＩＰ  Ａｄｄｒｅｓｓは、ＵＥに割り当てられたＩＰアドレスであり、ＩＰｖ４アドレス、またはＩＰｖ６  ｐｒｅｆｉｘであってよい。
【０３４２】
Ｄｅｆａｕｌｔ  Ｂｅａｒｅｒは、ＰＤＮコネクション確立時にコアネットワーク＿Ａ９０から取得する情報であり、ＰＤＮコネクションに対応づけられたデフォルトベアラを識別するＥＰＳベアラ識別情報である。
【０３４３】
ＷＬＡＮ  ｏｆｆｌｏａｄａｂｉｌｉｔｙは、ＷＬＡＮと３ＧＰＰ間のインターワーキング機能を用いてＷＬＡＮへオフロードすることを許可するか、または３ＧＰＰアクセスを維持するかどうかを示すＷＬＡＮオフロードの許可情報である。
【０３４４】
図２１（ｄ）は、ＵＥの記憶部で記憶されるベアラごとのＵＥコンテキストを示す。図に示すように、ベアラごとのＵＥコンテキストは、ＥＰＳ  Ｂｅａｒｅｒ  ＩＤ、ＴＩ、ＥＰＳ  ｂｅａｒｅｒ  ＱｏＳ、ＴＦＴを含める。
【０３４５】
ＥＰＳ  Ｂｅａｒｅｒ  ＩＤは、ＥＰＳベアラの識別情報である。また、ＥＰＳ  Ｂｅａｒｅｒ  ＩＤは、ＳＲＢ、及び又は、ＣＲＢを識別する識別情報であってもよいし、Ｄ
ＲＢを識別する識別情報であってもよい。
【０３４６】
ＴＩはＴｒａｎｓａｃｔｉｏｎ  Ｉｄｅｎｔｉｆｉｅｒの略であり、双方向のメッセージフロー（Ｔｒａｎｓａｃｔｉｏｎ）を識別する識別情報である。
【０３４７】
ＴＦＴは、Ｔｒａｆｆｉｃ  Ｆｌｏｗ  Ｔｅｍｐｌａｔｅの略であり、ＥＰＳベアラと関連づけられた全てのパケットフィルターを示す。言い換えると、ＴＦＴは送受信するユーザデータの一部を識別する情報であり、ＵＥ＿Ａ１０は、ＴＦＴによって識別されたユーザデータを、ＴＦＴに関連付けたＥＰＳベアラを用いて送受信する。さらに言い換えると、ＵＥ＿Ａ１０は、ＴＦＴによって識別されたユーザデータを、ＴＦＴに関連づけたＲＢを用いて送受信する。
【０３４８】
また、ＵＥ＿Ａ１０は、ＴＦＴで識別できないユーザデータを、デフォルトベアラを用いて送受信してもよい。
【０３４９】
また、ＵＥ＿Ａ１０は、デフォルトベアラに関連付けられてＴＦＴを予め記憶しておいてもよい。
【０３５０】
［１．３．通信手続きの説明］
次に、本実施形態における通信手続きを図２２を用いて説明する。
【０３５１】
本実施形態における通信手続きは、図２２に示すように、まずアタッチ手続き（Ｓ２２００）を実行する。ＵＥ＿Ａ１０、及び又はｅＮＢ＿Ａ４５、及び又はＣ−ＳＧＮ＿Ａ９５は、アタッチ手続き（Ｓ２２００）においてデータの送受信方法を決定してもよい。具体的なデータ送受信方法としては、第１の送受信手続き、又は第２の送受信手続き、又は第３の送受信手続きのいずれかの手続きを基にした送受信であってよい。
【０３５２】
次に、後述する条件に応じてＰＤＮ接続手続き（Ｓ２２０２）を実行してもよい。
【０３５３】
次に、ＵＥ＿Ａ１０、及び又はｅＮＢ＿Ａ４５、及び又はＣ−ＳＧＮ＿Ａ９５は、アタッチ手続きで決定した送受信方法に基づいて第１のデータ送受信（Ｓ２２０４）を行っても良い。
【０３５４】
次に、送受信方法変更手続き（Ｓ２２０６）を実行してもよい。ＵＥ＿Ａ１０、及び又はｅＮＢ＿Ａ４５、及び又はＣ−ＳＧＮ＿Ａ９５は、送受信方法変更手続きにより、データの送受信方法を変更してもよい。
【０３５５】
次に、ＵＥ＿Ａ１０、及び又はｅＮＢ＿Ａ４５、及び又はＣ−ＳＧＮ＿Ａ９５は、送受信方法変更手続きで決定した送受信方法に基づいて第２のデータ送受信（Ｓ２２０８）を行っても良い。
【０３５６】
各手続きが実行される条件や処理の詳細を以下で説明する。
【０３５７】
ここで、第１の送受信手続きは、ＵＥ＿Ａ１０、及び又はｅＮＢ＿Ａ４５、及び又はＣ−ＳＧＮ＿Ａ９５が、ＤＲＢを確立せず、コネクションレスの通信を用いてユーザデータを送受信する手続きである。
【０３５８】
言い換えると、第１の送受信手続きは、制御メッセージを送受信するためのＳＲＢ、及び又は、ＣＲＢを用いてユーザデータを送信する手続きであってよい。
【０３５９】
ここで、第２の送受信手続きは、本実施形態におけるアイドルモードにあるＵＥ＿Ａ１０、及び又はｅＮＢ＿Ａ４５、及び又はＣ−ＳＧＮ＿Ａ９５が、ユーザデータを送受信する手続きである。
【０３６０】
より詳細には、第２の送受信手続きは、ＵＥ＿Ａ１０、及び又はｅＮＢ＿Ａ４５、及び又はＣ−ＳＧＮ＿Ａ９５が、本実施形態におけるアイドルモードからアクティブモードに遷移した後、確立したＤＲＢを用いてユーザデータを送受信する手続きである。
【０３６１】
さらに、第２の送受信手続きは、ユーザデータの送受信が完了した後、ＵＥ＿Ａ１０、及び又はｅＮＢ＿Ａ４５、及び又はＣ−ＳＧＮ＿Ａ９５が、アクティブモードから本実施形態におけるアイドルモードに遷移する手続き含む手続きであってもよい。
【０３６２】
なお、本実施形態におけるアイドルモードでは、ＲＢのリソースを解放するが、ＵＥ＿Ａ１０、及び又はｅＮＢ＿Ａ４５、及び又はＣ−ＳＧＮ＿Ａ９５が、ＤＲＢ、及び又はデフォルトベアラのためのコンテキストを保持し続けることを示すモードであってもよい。
【０３６３】
ここで、第３の送受信手続きは、従来のアイドルモードにあるＵＥ＿Ａ１０、及び又はｅＮＢ＿Ａ４５、及び又はＣ−ＳＧＮ＿Ａ９５が、ユーザデータを送受信する手続きである。
【０３６４】
より詳細には、第３の送受信手続きは、ＵＥ＿Ａ１０、及び又はｅＮＢ＿Ａ４５、及び又はＣ−ＳＧＮ＿Ａ９５が、従来のアイドルモードからアクティブモードに遷移した後、確立したＤＲＢを用いてユーザデータを送受信する手続きである。
【０３６５】
さらに、第３の送受信手続きは、ユーザデータの送受信が完了した後、ＵＥ＿Ａ１０、及び又はｅＮＢ＿Ａ４５、及び又はＣ−ＳＧＮ＿Ａ９５が、アクティブモードから従来のアイドルモードに遷移する手続き含む手続きであってもよい。
【０３６６】
言い換えると、第３の送受信手続きは従来のユーザデータの送受信手続きであってもよい。
【０３６７】
また、従来のアイドルモードでは、ＲＢのリソースを解放し、ＵＥ＿Ａ１０、及び又はｅＮＢ＿Ａ４５、及び又はＣ−ＳＧＮ＿Ａ９５が、ＤＲＢ、及び又はデフォルトベアラのためのコンテキストを破棄することを示すモードであってもよい。なお、本実施形態では、このようなアイドルモードを、前述した本実施形態のアイドルモードと区別するために従来のアイドルモードと記載する。
【０３６８】
なお、詳細な各送受信手続きの説明は後述する。
【０３６９】
ここで、各手続きの詳細手順を説明する前に、重複説明を避けるために本実施形態特有の用語や、各手続きに用いる主要な識別情報を予め説明する。
【０３７０】
本実施形態におけるコネクションレスの通信とは、ＵＥ＿Ａ１０がデータパケットを含むＮＡＳ（Ｎｏｎ  Ａｃｃｅｓｓ  Ｓｔｒａｔｕｍ）メッセージをＲＲＣ（Ｒａｄｉｏ  Ｒｓｏｕｒｃｅ  Ｃｏｎｔｒｏｌ)メッセージに含めてｅＮＢ＿Ａ４５に送信する処理を
少なくとも行う通信であってよい。及び、又は、ＲＲＣコネクションを確立することなくＵＥ＿Ａ１０とｅＮＢ＿Ａ４５との間でデータパケットの送受信を行う通信であってよい。及び、又は、ＵＥ＿Ａ１０がアイドル状態においてデータパケットの送受信を行う通信であってよい。さらに、言い換えると、コネクションレス通信とは、ＳＲＢ又はＣＲＢを用いたユーザデータの送受信を行う通信であってよい。
【０３７１】
また、本実施形態におけるアクティブモードとは、ＵＥ＿Ａ１０、及び又はｅＮＢ＿Ａ４５、及び又はＣ−ＳＧＮ＿Ａ９５が、ＤＲＢ、及び又はＤｅｆａｕｌｔ Ｂｅａｒｅｒ
、及び又はＰＤＮコネクションを確立して、ユーザデータの送受信が可能な状態を示すモードであってもよい。
【０３７２】
なお、本実施形態におけるＤＲＢとは、ユーザデータの送受信のために確立する無線ベアラ等の通信路であってよい。
【０３７３】
また、本実施形態におけるＰＤＮコネクションとは、ＵＥ＿Ａ１０とＣ−ＳＧＮ＿Ａ９５との間に確立するユーザデータ送受信のためのコネクションであってよい。
【０３７４】
また、本実施形態におけるアイドルモード、及び又は、従来のアイドルモードとは、ＵＥ＿Ａ１０、及び又はｅＮＢ＿Ａ４５、及び又はＣ−ＳＧＮ＿Ａ９５が、ＤＲＢ、及び又はＤｅｆａｕｌｔ Ｂｅａｒｅｒのリソースを解放し、ユーザデータの送受信ができない
状態を示すモードであってもよい。
【０３７５】
また、本実施形態におけるアタッチ完了状態とは、認証を得てネットワークに接続をした状態である。ＵＥ＿Ａ１０とＰＤＮ＿Ａ５との間でユーザデータの送受信が可能な状態のことである。
【０３７６】
より詳細には、アタッチ完了状態とは、ＵＥ＿Ａ１０、及び又はＰＤＮ＿Ａ５、及び又はｅＮＢ＿Ａ４５、及び又はＣ−ＳＧＮ＿Ａ９５がユーザデータの送受信を行うことができる状態であってよい。
【０３７７】
なお、アタッチ完了状態には以下の第１のモードと、第２のモードと、第３のモードと、第４のモードと、第５のモードがあってよい。各モードは、ＰＤＮコネクション確立の有無、及び又はデータ送受信方法の違い、及び又はアイドルモード遷移時の記憶情報の違い等によって区別可能であり、以下に各モードの詳細説明を行う。
【０３７８】
ここで、第１のモードとは、ＵＥ＿Ａ１０、及び又はｅＮＢ＿Ａ４５、及び又はＣ−ＳＧＮ＿Ａ９５がＰＤＮコネクションを確立しているモードであってよい。
【０３７９】
及び又は、第１のモードは、ＵＥ＿Ａ１０、及び又はｅＮＢ＿Ａ４５、及び又はＣ−ＳＧＮ＿Ａ９５がデフォルトベアラを確立しているモードであってもよい。
【０３８０】
及び又は、第１のモードは、ＵＥ＿Ａ１０、及び又はｅＮＢ＿Ａ４５、及び又はＣ−ＳＧＮ＿Ａ９５がデディケイテッドベアラを確立していないモードであってもよい。
【０３８１】
及び又は、第１のモードは、ＵＥ＿Ａ１０、及び又はｅＮＢ＿Ａ４５、及び又はＣ−ＳＧＮ＿Ａ９５がユーザデータを送受信することが可能なモードであってよい。
【０３８２】
及び又は、第１のモードは、ＵＥ＿Ａ１０、及び又はｅＮＢ＿Ａ４５、及び又はＣ−ＳＧＮ＿Ａ９５がコネクションレスにユーザデータを送受信するモードであってもよい。
【０３８３】
及び又は、第１のモードは、ＵＥ＿Ａ１０、及び又はｅＮＢ＿Ａ４５がＲＲＣコネクションを確立せずにユーザデータを送受信するモードであってもよい。
【０３８４】
及び又は、第１のモードは、ＵＥ＿Ａ１０、及び又はＣ−ＳＧＮ＿Ａ９５がＮＡＳメッセージに含めてユーザデータを送受信するモードであってもよい。
【０３８５】
及び又は、第１のモードは、ＵＥ＿Ａ１０、及び又はｅＮＢ＿Ａ４５がＲＲＣメッセージに含めてユーザデータを送受信するモードであってもよい。
【０３８６】
及び又は、第１のモードは、ＵＥ＿Ａ１０、及び又はｅＮＢ＿Ａ４５がＲＲＣメッセージに含めてＮＡＳ  ＰＤＵ（Ｐａｃｋｅｔ  Ｄａｔａ  Ｕｎｉｔ）を送受信するモードであってもよい。なお、ＮＡＳ  ＰＤＵは、ＮＡＳメッセージにユーザデータを含めた制御メッセージであってもよい。
【０３８７】
及び又は、第１のモードは、ＵＥ＿Ａ１０、及び又はｅＮＢ＿Ａ４５がＳＲＢを用いてユーザデータを送受信するモードであってもよい。
【０３８８】
及び又は、第１のモードは、ＵＥ＿Ａ１０、及び又はｅＮＢ＿Ａ４５がＣＲＢを用いてユーザデータを送受信するモードであってもよい。
【０３８９】
なお、ＳＲＢ及びＣＲＢは、制御メッセージの送受信に用いられる無線ベアラ等の通信路であってよい。
【０３９０】
及び又は、第１のモードは、ＵＥ＿Ａ１０、及び又はｅＮＢ＿Ａ４５、及び又はＣ−ＳＧＮ＿Ａ９５が制御情報送受信するベアラを用いてユーザデータを送受信するモードであってもよい。
【０３９１】
なお、第１のモードの場合、ＵＥ＿Ａ１０、及び又はｅＮＢ＿Ａ４５、及び又はＣ−ＳＧＮ＿Ａ９５は、第１の送受信手続きを用いてユーザデータを送受信してもよい。
【０３９２】
及び又は、第１のモードの場合、ＵＥ＿Ａ１０、及び又はｅＮＢ＿Ａ４５、及び又はＣ−ＳＧＮ＿Ａ９５は、第１の送受信手続きを用いてユーザデータを送受信する方法を１つ目の送受信方法としてもよい。
【０３９３】
及び又は、第１のモードの場合、ＵＥ＿Ａ１０、及び又はｅＮＢ＿Ａ４５、及び又はＣ−ＳＧＮ＿Ａ９５は、ＳＲＢ、及び又は、ＣＲＢを含むＥＰＳベアラをデフォルトベアラとしてもよい。
【０３９４】
なお、デフォルトベアラは、１本目のベアラであってもよく、１つ目の送受信方法でユーザデータを送受信するためのベアラであってもよい。
【０３９５】
ここで、第２のモードとは、ＵＥ＿Ａ１０、及び又はｅＮＢ＿Ａ４５、及び又はＣ−ＳＧＮ＿Ａ９５がＰＤＮコネクションを確立していないモードであってよい。
【０３９６】
及び又は、第２のモードは、ＵＥ＿Ａ１０、及び又はｅＮＢ＿Ａ４５、及び又はＣ−ＳＧＮ＿Ａ９５がデフォルトベアラを確立していないモードであってもよい。
【０３９７】
及び又は、第２のモードは、ＵＥ＿Ａ１０、及び又はｅＮＢ＿Ａ４５、及び又はＣ−ＳＧＮ＿Ａ９５がデディケイテッドベアラを確立していないモードであってもよい。
【０３９８】
及び又は、第２のモードは、ＵＥ＿Ａ１０、及び又はｅＮＢ＿Ａ４５、及び又はＣ−ＳＧＮ＿Ａ９５がユーザデータを送受信することが不可能なモードであってよい。
【０３９９】
及び又は、第２のモードは、ＵＥ＿Ａ１０、及び又はｅＮＢ＿Ａ４５、及び又はＣ−ＳＧＮ＿Ａ９５がコネクションレスにユーザデータを送受信することを決定したモードであ
ってもよい。
【０４００】
及び又は、第２のモードは、ＵＥ＿Ａ１０、及び又はｅＮＢ＿Ａ４５がＲＲＣコネクションを確立せずにユーザデータを送受信することを決定したモードであってもよい。
【０４０１】
及び又は、第２のモードは、ＵＥ＿Ａ１０、及び又はＣ−ＳＧＮ＿Ａ９５がＮＡＳメッセージに含めてユーザデータを送受信することを決定したモードであってもよい。
【０４０２】
及び又は、第２のモードは、ＵＥ＿Ａ１０、及び又はｅＮＢ＿Ａ４５がＲＲＣメッセージに含めてユーザデータを送受信することを決定したモードであってもよい。
【０４０３】
及び又は、第２のモードは、ＵＥ＿Ａ１０、及び又はｅＮＢ＿Ａ４５がＲＲＣメッセージに含めてＮＡＳ  ＰＤＵ（Ｐａｃｋｅｔ  Ｄａｔａ  Ｕｎｉｔ）を送受信することを決定したモードであってもよい。なお、ＮＡＳ  ＰＤＵは、ＮＡＳメッセージにユーザデータを含めた制御メッセージであってもよい。
【０４０４】
及び又は、第２のモードは、ＵＥ＿Ａ１０、及び又はｅＮＢ＿Ａ４５がＳＲＢを用いてユーザデータを送受信することを決定したモードであってもよい。
【０４０５】
及び又は、第２のモードは、ＵＥ＿Ａ１０、及び又はｅＮＢ＿Ａ４５がＣＲＢを用いてユーザデータを送受信することを決定したモードであってもよい。
【０４０６】
なお、ＳＲＢ及びＣＲＢは、制御メッセージの送受信に用いられる無線ベアラ等の通信路であってよい。
【０４０７】
及び又は、第２のモードは、ＵＥ＿Ａ１０、及び又はｅＮＢ＿Ａ４５、及び又はＣ−ＳＧＮ＿Ａ９５が制御情報送受信するベアラを用いてユーザデータを送受信することを決定したモードであってもよい。
【０４０８】
なお、第２のモードの場合、ＵＥ＿Ａ１０、及び又はｅＮＢ＿Ａ４５、及び又はＣ−ＳＧＮ＿Ａ９５は、第１の送受信手続きを用いてユーザデータを送受信することを決定してもよい。
【０４０９】
及び又は、第２のモードの場合、ＵＥ＿Ａ１０、及び又はｅＮＢ＿Ａ４５、及び又はＣ−ＳＧＮ＿Ａ９５は、第１の送受信手続きを用いてユーザデータを送受信する方法を１つ目の送受信方法とすることを決定してもよい。
【０４１０】
及び又は、第２のモードの場合、ＵＥ＿Ａ１０、及び又はｅＮＢ＿Ａ４５、及び又はＣ−ＳＧＮ＿Ａ９５は、ＳＲＢ、及び又は、ＣＲＢを含むＥＰＳベアラをデフォルトベアラとすることを決定してもよい。
【０４１１】
なお、デフォルトベアラは、１本目のベアラであってもよく、１つ目の送受信方法でユーザデータを送受信するためのベアラであってもよい。
【０４１２】
ここで、第３のモードとは、ＵＥ＿Ａ１０、及び又はｅＮＢ＿Ａ４５、及び又はＣ−ＳＧＮ＿Ａ９５がＰＤＮコネクションを確立しているモードであってよい。
【０４１３】
及び又は、第３のモードは、ＵＥ＿Ａ１０、及び又はｅＮＢ＿Ａ４５、及び又はＣ−ＳＧＮ＿Ａ９５がアイドルモードに遷移した場合にコンテキストを保持し続けるモードであってもよい。
【０４１４】
及び又は、第３のモードは、ＵＥ＿Ａ１０、及び又はｅＮＢ＿Ａ４５、及び又はＣ−ＳＧＮ＿Ａ９５がデフォルトベアラを確立しているモードであってもよい。
【０４１５】
及び又は、第３のモードは、ＵＥ＿Ａ１０、及び又はｅＮＢ＿Ａ４５、及び又はＣ−ＳＧＮ＿Ａ９５がデディケイテッドベアラを確立していないモードであってもよい。
【０４１６】
及び又は、第３のモードは、ＵＥ＿Ａ１０、及び又はｅＮＢ＿Ａ４５、及び又はＣ−ＳＧＮ＿Ａ９５がユーザデータを送受信することが可能なモードであってよい。
【０４１７】
及び又は、第３のモードは、ＵＥ＿Ａ１０、及び又はｅＮＢ＿Ａ４５、及び又はＣ−ＳＧＮ＿Ａ９５が確立したコネクションを用いてユーザデータを送受信するモードであってもよい。
【０４１８】
及び又は、第３のモードは、ＵＥ＿Ａ１０、及び又はｅＮＢ＿Ａ４５がＲＲＣコネクションを確立してユーザデータを送受信するモードであってもよい。
【０４１９】
及び又は、第３のモードは、ＵＥ＿Ａ１０、及び又はｅＮＢ＿Ａ４５がＤＲＢを用いてユーザデータを送受信するモードであってもよい。
【０４２０】
及び又は、第３のモードは、ＵＥ＿Ａ１０、及び又はｅＮＢ＿Ａ４５、及び又はＣ−ＳＧＮ＿Ａ９５がユーザデータを送受信するためのベアラを確立してユーザデータを送受信するモードであってもよい。
【０４２１】
及び又は、第３のモードは、ＵＥ＿Ａ１０、及び又はｅＮＢ＿Ａ４５、及び又はＣ−ＳＧＮ＿Ａ９５がアイドルモードに遷移してもコンテキストは保持し続けるモードであってもよい。
【０４２２】
及び又は、第３のモードは、ＵＥ＿Ａ１０、及び又はｅＮＢ＿Ａ４５がＲＲＣの第３のメッセージにＮＡＳメッセージを入れて送受信することができるモードであってもよい。
【０４２３】
なお、第３のモードの場合、ＵＥ＿Ａ１０、及び又はｅＮＢ＿Ａ４５、及び又はＣ−ＳＧＮ＿Ａ９５は、第２の送受信手続きを用いてユーザデータを送受信してもよい。
【０４２４】
及び又は、第３のモードの場合、ＵＥ＿Ａ１０、及び又はｅＮＢ＿Ａ４５、及び又はＣ−ＳＧＮ＿Ａ９５は、第２の送受信手続きを用いてユーザデータを送受信する方法を１つ目の送受信方法としてもよい。
【０４２５】
及び又は、第３のモードの場合、ＵＥ＿Ａ１０、及び又はｅＮＢ＿Ａ４５、及び又はＣ−ＳＧＮ＿Ａ９５は、ＤＲＢを含むＥＰＳベアラをデフォルトベアラとしてもよい。
【０４２６】
なお、デフォルトベアラは、１本目のベアラであってもよく、１つ目の送受信方法でユーザデータを送受信するためのベアラであってもよい。
【０４２７】
なお、第３のモードに遷移した際に確立しているＰＤＮコネクションは、ユーザデータの送受信がないなどの条件に応じて本実施形態におけるアイドルモードに遷移してもよい。
【０４２８】
ここで、第４のモードとは、ＵＥ＿Ａ１０、及び又はｅＮＢ＿Ａ４５、及び又はＣ−ＳＧＮ＿Ａ９５がＰＤＮコネクションを確立していないモードであってよい。
【０４２９】
及び又は、第４のモードは、ＵＥ＿Ａ１０、及び又はｅＮＢ＿Ａ４５、及び又はＣ−ＳＧＮ＿Ａ９５がデフォルトベアラを確立していないモードであってもよい。
【０４３０】
及び又は、第４のモードは、ＵＥ＿Ａ１０、及び又はｅＮＢ＿Ａ４５、及び又はＣ−ＳＧＮ＿Ａ９５がデディケイテッドベアラを確立していないモードであってもよい。
【０４３１】
及び又は、第４のモードは、ＵＥ＿Ａ１０、及び又はｅＮＢ＿Ａ４５、及び又はＣ−ＳＧＮ＿Ａ９５がユーザデータを送受信することが不可能なモードであってよい。
【０４３２】
及び又は、第４のモードは、ＵＥ＿Ａ１０、及び又はｅＮＢ＿Ａ４５、及び又はＣ−ＳＧＮ＿Ａ９５がコネクションを確立してユーザデータを送受信することを決定したモードであってもよい。
【０４３３】
及び又は、第４のモードは、ＵＥ＿Ａ１０、及び又はｅＮＢ＿Ａ４５がＲＲＣコネクションを確立してユーザデータを送受信することを決定したモードであってもよい。
【０４３４】
及び又は、第４のモードは、ＵＥ＿Ａ１０、及び又はｅＮＢ＿Ａ４５がＤＲＢを用いてユーザデータを送受信することを決定したモードであってもよい。
【０４３５】
及び又は、第４のモードは、ＵＥ＿Ａ１０、及び又はｅＮＢ＿Ａ４５、及び又はＣ−ＳＧＮ＿Ａ９５がユーザデータを送受信するためのベアラを確立してユーザデータを送受信することを決定したモードであってもよい。
【０４３６】
及び又は、第４のモードは、ＵＥ＿Ａ１０、及び又はｅＮＢ＿Ａ４５、及び又はＣ−ＳＧＮ＿Ａ９５がアイドルモードに遷移してもコンテキストは保持し続けることを決定したモードであってもよい。
【０４３７】
及び又は、第４のモードは、ＵＥ＿Ａ１０、及び又はｅＮＢ＿Ａ４５がＲＲＣの第３のメッセージにＮＡＳメッセージを入れて送受信することができることを決定したモードであってもよい。
【０４３８】
なお、第４のモードの場合、ＵＥ＿Ａ１０、及び又はｅＮＢ＿Ａ４５、及び又はＣ−ＳＧＮ＿Ａ９５は、第２の送受信手続きを用いてユーザデータを送受信することを決定してもよい。
【０４３９】
及び又は、第４のモードの場合、ＵＥ＿Ａ１０、及び又はｅＮＢ＿Ａ４５、及び又はＣ−ＳＧＮ＿Ａ９５は、第２の送受信手続きを用いてユーザデータを送受信する方法を１つ目の送受信方法とすることを決定してもよい。
【０４４０】
及び又は、第４のモードの場合、ＵＥ＿Ａ１０、及び又はｅＮＢ＿Ａ４５、及び又はＣ−ＳＧＮ＿Ａ９５は、ＤＲＢを含むＥＰＳベアラをデフォルトベアラとすることを決定してもよい。
【０４４１】
なお、デフォルトベアラは、１本目のベアラであってもよく、１つ目の送受信方法でユーザデータを送受信するためのベアラであってもよい。
【０４４２】
ここで、第５のモードとは、ＵＥ＿Ａ１０、及び又はｅＮＢ＿Ａ４５、及び又はＣ−ＳＧＮ＿Ａ９５がＰＤＮコネクションを確立しているモードであってよい。
【０４４３】
及び又は、第５のモードは、ＵＥ＿Ａ１０、及び又はｅＮＢ＿Ａ４５、及び又はＣ−ＳＧＮ＿Ａ９５がデフォルトベアラを確立しているモードであってもよい。
【０４４４】
及び又は、第５のモードは、ＵＥ＿Ａ１０、及び又はｅＮＢ＿Ａ４５、及び又はＣ−ＳＧＮ＿Ａ９５がユーザデータを送受信することが可能なモードであってよい。
【０４４５】
及び又は、第５のモードは、ＵＥ＿Ａ１０、及び又はｅＮＢ＿Ａ４５がＤＲＢを用いてユーザデータを送受信するモードであってもよい。
【０４４６】
及び又は、第５のモードは、ＵＥ＿Ａ１０、及び又はｅＮＢ＿Ａ４５、及び又はＣ−ＳＧＮ＿Ａ９５がユーザデータを送受信するためのベアラを確立してユーザデータを送受信するモードであってもよい。
【０４４７】
及び又は、第５のモードは、ＵＥ＿Ａ１０、及び又はｅＮＢ＿Ａ４５、及び又はＣ−ＳＧＮ＿Ａ９５がデフォルトベアラを確立してユーザデータを送受信するモードであってもよい。
【０４４８】
及び又は、第５のモードは、ＵＥ＿Ａ１０、及び又はｅＮＢ＿Ａ４５、及び又はＣ−ＳＧＮ＿Ａ９５が２本以上のベアラを確立してユーザデータを送受信するモードであってもよい。
【０４４９】
及び又は、第５のモードは、ＵＥ＿Ａ１０、及び又はｅＮＢ＿Ａ４５、及び又はＣ−ＳＧＮ＿Ａ９５がアイドルモードに遷移したらコンテキストは破棄するモードであってもよい。
【０４５０】
及び又は、第５のモードは、ＵＥ＿Ａ１０、及び又はｅＮＢ＿Ａ４５がＲＲＣの第３のメッセージにＮＡＳメッセージを入れて送受信することができないモードであってもよい。
【０４５１】
なお、第５のモードの場合、ＵＥ＿Ａ１０、及び又はｅＮＢ＿Ａ４５、及び又はＣ−ＳＧＮ＿Ａ９５は、第３の送受信手続きを用いてユーザデータを送受信してもよい。
【０４５２】
及び又は、第５のモードの場合、ＵＥ＿Ａ１０、及び又はｅＮＢ＿Ａ４５、及び又はＣ−ＳＧＮ＿Ａ９５は、第３の送受信手続きを用いてユーザデータを送受信する方法を１つ目の送受信方法としてもよい。
【０４５３】
及び又は、第５のモードの場合、ＵＥ＿Ａ１０、及び又はｅＮＢ＿Ａ４５、及び又はＣ−ＳＧＮ＿Ａ９５は、ＤＲＢを含むＥＰＳベアラをデフォルトベアラとしてもよい。
【０４５４】
なお、デフォルトベアラは、１本目のベアラであってもよく、１つ目の送受信方法でユーザデータを送受信するためのベアラであってもよい。
【０４５５】
なお、第５のモードに遷移した際に確立しているＰＤＮコネクションは、ユーザデータの送受信がないなどの条件に応じて従来のアイドルモードに遷移してもよい。
【０４５６】
本実施形態における第１の識別情報は、Ｐｒｅｆｅｒｒｅｄ  Ｎｅｔｗｏｒｋ  Ｂｅｈａｖｉｏｒであってよい。
【０４５７】
なお、第１の識別情報は、第２から第６の識別情報のうち、１つ以上の意味を含む識別情報であってもよい。言い換えると、第２から第６の識別情報のうち１つ以上の識別情報
は、第１の識別情報に含まれて送受信されてもよい。
【０４５８】
本実施形態における第２の識別情報は、ＵＥ  Ｃｏｎｔｒｏｌ  Ｐｌａｎｅ  ＣＩｏＴ
ＥＰＳ  ｏｐｔｉｍｉｓａｔｉｏｎ  Ｃａｐａｂｉｌｉｔｙであってよい。言い換えると、第２の識別情報は、ＵＥ＿Ａ１０が第１の送受信手続きを用いたユーザデータの送受信を行う能力を有することを示す情報であってよい。
【０４５９】
本実施形態における第３の識別情報は、ＵＥ  Ｕｓｅｒ  Ｐｌａｎｅ  ＣＩｏＴ  ＥＰＳ  ｏｐｔｉｍｉｓａｔｉｏｎ  Ｃａｐａｂｉｌｉｔｙであってよい。言い換えると、第３の識別情報は、ＵＥ＿Ａ１０が第２の送受信手続きを用いたユーザデータの送受信を行う能力を有することを示す情報であってよい。
【０４６０】
本実施形態における第４の識別情報は、ＵＥ  ＣＩｏＴ  ＥＰＳ  ｏｐｔｉｍｉｓａｔｉｏｎ  Ｐｒｅｆｅｒｅｎｃｅであってよい。言い換えると、第４の識別情報は、ＵＥ＿Ａ１０が要求するユーザデータの送受信方法を示す情報であってよい。
【０４６１】
本実施形態における第５の識別情報は、ＵＥ  Ｓ１−ｕ  ｄａｔａ  ｔｒａｎｓｆｅｒ
Ｃａｐａｂｉｌｉｔｙであってよい。言い換えると、第５の識別情報は、ＵＥ＿Ａ１０が第３の送受信手続きを用いたユーザデータの送受信を行う能力を有することを示す情報であってよい。
【０４６２】
本実施形態における第６の識別情報は、ＰＤＮコネクションを確立するか否かを示す情報であってよい。
【０４６３】
本実施形態における第７の識別情報は、Ｓｕｐｐｏｒｔｅｄ  Ｎｅｔｗｏｒｋ  Ｂｅｈａｖｉｏｒであってよい。
【０４６４】
なお、第７の識別情報は、第８から第１６の識別情報のうち、１つ以上の意味を含む識別情報であってもよい。言い換えると、第８から第１６の識別情報のうち１つ以上の識別情報は、第７の識別情報に含まれて送受信されてもよい。
【０４６５】
本実施形態における第８の識別情報は、Ｎｅｔｗｏｒｋ  Ｃｏｎｔｒｏｌ  Ｐｌａｎｅ
ＣＩｏＴ  ＥＰＳ  ｏｐｔｉｍｉｓａｔｉｏｎ  Ｃａｐａｂｉｌｉｔｙであってよい。言い換えると、第８の識別情報は、コアネットワーク＿Ａ９０が第１の送受信手続きを用いたユーザデータの送受信を行う能力を有することを示す情報であってよい。
【０４６６】
本実施形態における第９の識別情報は、Ｎｅｔｗｏｒｋ  Ｕｓｅｒ  Ｐｌａｎｅ  ＣＩｏＴ  ＥＰＳ  ｏｐｔｉｍｉｓａｔｉｏｎ  Ｃａｐａｂｉｌｉｔｙであってよい。言い換えると、第９の識別情報は、コアネットワーク＿Ａ９０が第２の送受信手続きを用いたユーザデータの送受信を行う能力を有することを示す情報であってよい。
【０４６７】
本実施形態における第１０の識別情報は、Ｎｅｔｗｏｒｋ  Ｃｏｎｔｒｏｌ  Ｐｌａｎｅ  ＣＩｏＴ  ＥＰＳ  ｏｐｔｉｍｉｓａｔｉｏｎ  Ａｌｌｏｗａｎｃｅであってよい。言い換えると、第１０の識別情報は、コアネットワーク＿Ａ９０が第１の送受信手続きを用いたユーザデータの送受信を許可することを示す情報であってよい。
【０４６８】
本実施形態における第１１の識別情報は、Ｎｅｔｗｏｒｋ  Ｕｓｅｒ  Ｐｌａｎｅ  ＣＩｏＴ  ＥＰＳ  ｏｐｔｉｍｉｓａｔｉｏｎ  Ａｌｌｏｗａｎｃｅであってよい。言い換えると、第１１の識別情報は、コアネットワーク＿Ａ９０が第２の送受信手続きを用いたユーザデータの送受信を許可することを示す情報であってよい。
【０４６９】
本実施形態における第１２の識別情報は、Ｎｅｔｗｏｒｋ  ＣＩｏＴ  ＥＰＳ  ｏｐｔｉｍｉｓａｔｉｏｎ  Ｐｒｅｆｅｒｅｎｃｅであってよい。言い換えると、第１２の識別情報は、コアネットワーク＿Ａ９０が要求するユーザデータの送受信方法を示す情報であってよい。
【０４７０】
本実施形態における第１３の識別情報は、Ａｕｔｈｏｒｉｚｅｄ  ＣＩｏＴ  ＥＰＳ  ｏｐｔｉｍｉｓａｔｉｏｎ  Ｐｒｅｆｅｒｅｎｃｅであってよい。言い換えると、第１３の識別情報は、承認されたユーザデータの送受信方法を示す情報であってよい。
【０４７１】
本実施形態における第１４の識別情報は、Ｎｅｔｗｏｒｋ  Ｓ１−ｕ  ｄａｔａ  ｔｒａｎｓｆｅｒ  Ｃａｐａｂｉｌｉｔｙであってよい。言い換えると、第１４の識別情報は、コアネットワーク＿Ａ９０が第３の送受信手続きを用いたユーザデータの送受信を行う能力を有することを示す情報であってよい。
【０４７２】
本実施形態における第１５の識別情報は、ＰＤＮコネクションを確立するか否かを示す情報であってよい。
【０４７３】
本実施形態における第１６の識別情報は、ＥＰＳ  Ｂｅａｒｅｒ  ＩＤであってよい。なお、第１６の識別情報は、アタッチ受諾メッセージ、及び又は、デフォルトＥＰＳベアラコンテキストアクティブ化要求メッセージに含まれて送受信されてもよい。
【０４７４】
本実施形態における第１７の識別情報は、ＥＰＳ  Ｂｅａｒｅｒ  ＩＤであってよい。なお、第１７の識別情報は、ベアラリソース変更要求メッセージ、及び又は、ＥＰＳベアラコンテキスト変更要求メッセージ、及び又は、ＥＰＳベアラコンテキスト非アクティブ化要求メッセージに含まれて送受信されてもよい。
【０４７５】
また、第１６の識別情報、及び又は、第１７の識別情報は、及び又は、第２６の識別情報は、ＳＲＢ、及び又は、ＣＲＢを識別する識別情報をあってもよいし、ＤＲＢを識別する識別情報であってもよい。
【０４７６】
本実施形態における第１８の識別情報は、要求する変更後の送受信方法を示す情報であってよい。なお、第１８の識別情報は、第１の送受信手続きを用いた方法を示す情報であってもよいし、第２の送受信手続きを用いた方法を示す情報であってもよい。
【０４７７】
本実施形態における第１９の識別情報は、要求する変更後のＲＢの種類を示す情報であってよい。なお、第１９の識別情報は、ＳＲＢを示す情報であってもよいし、ＤＲＢを示す情報であってよい。
【０４７８】
本実施形態における第２０の識別情報は、要求する変更後のアタッチ完了状態のモードを示す情報であってよい。なお、第２０の識別情報は、第１のモードを示す情報であってもよいし、第３のモードを示す情報であってよい。
【０４７９】
本実施形態における第２１の識別情報は、送受信方法の変更を要求することを示す情報であってよい。
【０４８０】
本実施形態における第２２の識別情報は、Ｕｐｄａｔｅｄ  ＵＥ  ＣＩｏＴ  ＥＰＳ  ｏｐｔｉｍｉｓａｔｉｏｎ  Ｐｒｅｆｅｒｅｎｃｅであってよい。言い換えると、第２２の識別情報は、ＵＥ＿Ａ１０が要求する更新後のユーザデータの送受信方法を示す情報であってよい。
【０４８１】
本実施形態における第２３の識別情報は、Ｕｐｄａｔｅｄ  Ｎｅｔｗｏｒｋ  ＣＩｏＴ
ＥＰＳ  ｏｐｔｉｍｉｓａｔｉｏｎ  Ｐｒｅｆｅｒｅｎｃｅであってよい。言い換えると、第２３の識別情報は、コアネットワーク＿Ａ９０が要求する更新後のユーザデータの送受信方法を示す情報であってよい。
【０４８２】
本実施形態における第２４の識別情報は、ＰＤＮコネクションの再確立を要求することを示す情報であってよい。
【０４８３】
本実施形態における第２５の識別情報は、デフォルトベアラの再確立を要求することを示す情報であってよい。
【０４８４】
本実施形態における第２６の識別情報は、ＥＰＳ  Ｂｅａｒｅｒ  ＩＤであってよい。なお、第２６の識別情報は、ＥＰＳベアラコンテキスト変更要求メッセージ、及び又は、ＥＰＳベアラコンテキスト変更受諾メッセージ、及び又は、ＥＰＳベアラコンテキスト非アクティブ化受諾メッセージに含まれて送受信されてもよい。
【０４８５】
本実施形態における第２７の識別情報は、承認した変更後の送受信方法を示す情報であってよい。なお、第２７の識別情報は、第１の送受信手続きを用いた方法を示す情報であってもよいし、第２の送受信手続きを用いた方法を示す情報であってもよい。
【０４８６】
本実施形態における第２８の識別情報は、承認した変更後のＲＢの種類を示す情報であってよい。なお、第２８の識別情報は、ＳＲＢを示す情報であってもよいし、ＤＲＢを示す情報であってよい。
【０４８７】
本実施形態における第２９の識別情報は、承認した変更後のアタッチ完了状態のモードを示す情報であってよい。なお、第２０の識別情報は、第１のモードを示す情報であってもよいし、第３のモードを示す情報であってよい。
【０４８８】
本実施形態における第３０の識別情報は、送受信方法の変更を承認したことを示す情報であってよい。
【０４８９】
本実施形態における第３１の識別情報は、Ｕｐｄａｔｅｄ  ＵＥ  ＣＩｏＴ  ＥＰＳ  ｏｐｔｉｍｉｓａｔｉｏｎ  Ｐｒｅｆｅｒｅｎｃｅであってよい。言い換えると、第３１の識別情報は、ＵＥ＿Ａ１０が要求する更新後のユーザデータの送受信方法を示す情報であってよい。
【０４９０】
本実施形態における第３２の識別情報は、Ｕｐｄａｔｅｄ  Ｎｅｔｗｏｒｋ  ＣＩｏＴ
ＥＰＳ  ｏｐｔｉｍｉｓａｔｉｏｎ  Ｐｒｅｆｅｒｅｎｃｅであってよい。言い換えると、第３２の識別情報は、コアネットワーク＿Ａ９０が要求する更新後のユーザデータの送受信方法を示す情報であってよい。
【０４９１】
本実施形態における第３３の識別情報は、Ｕｐｄａｔｅｄ  Ａｕｔｈｏｒｉｚｅｄ  ＣＩｏＴ  ＥＰＳ  ｏｐｔｉｍｉｓａｔｉｏｎ  Ｐｒｅｆｅｒｅｎｃｅであってよい。言い換えると、第３３の識別情報は、承認された更新後のユーザデータの送受信方法を示す情報であってよい。
【０４９２】
なお、ＵＥ＿Ａ１０、及び又は、ｅＮＢ＿Ａ４５、及び又は、Ｃ−ＳＧＮ＿Ａ９５が各識別情報を保持する場合、ＵＥ＿Ａ１０、及び又は、ｅＮＢ＿Ａ４５、及び又は、Ｃ−ＳＧＮ＿Ａ９５は、各識別情報が示す能力を有してもよい。
【０４９３】
また、本実施形態において、第１から第３３の識別情報のうちの２つ以上の識別情報を同一の制御メッセージに含めて送信する場合には、各識別情報をそれぞれ含めて送信してもよいし、各識別情報が示す意味を併せ持つ一つの識別情報として制御メッセージにふくめてもよい。
【０４９４】
例えば、第１の識別情報は、第２から第６の識別情報が示す意味を併せ持つ識別情報であってもよい。
【０４９５】
なお、各識別情報は、フラグ又はパラメータとして構成される情報要素であってよい。
【０４９６】
［１．３．１．アタッチ手続き例］
まず、アタッチ手続きの例について説明する。なお、アタッチ手続きはＵＥ＿Ａ１０が主導して開始する手続きである。なお、アタッチ手続きでは、ＵＥ＿Ａ１０が、ネットワークへ接続するための手続きである。言い換えると、アタッチ手続きは、ｅＮＢ４５を含むアクセスネットワークに接続する手続きであり、さらに、アクセスネットワーク介してコアネットワークに接続する手続きである。また、ＵＥ＿Ａ１０は、アタッチ手続きにより、ＰＤＮ＿Ａ５との間でユーザデータの送受信を行う通信路を確立する。
なお、ＵＥ＿Ａ１０がアタッチ手続きを開始するトリガは、端末電源投入時などであってもよい。また、これに関わらずＵＥ＿Ａ１０はコアネットワーク＿Ａ９０に接続していない状態であれば任意のタイミングで開始してもよい。また、ＵＥ＿Ａ１０は、コアネットワーク＿Ａ９０へ接続すること、及び又はアタッチ手続きの完了に基づいて、アタッチ完了状態へ遷移してもよい。
【０４９７】
なお以下では、アタッチ手続き例の詳細を説明する。
【０４９８】
以下、図２３を用いてアタッチ手続きの手順の例を説明する。
【０４９９】
まず、ＵＥ＿Ａ１０はアタッチ要求メッセージをＣ−ＳＧＮ＿Ａ９５に送信する（Ｓ２３００）。なお、ＵＥ＿Ａ１０はアタッチ要求メッセージをｅＮＢ＿Ａ４５に送信し、送信されたアタッチ要求メッセージはｅＮＢ＿Ａ４５を介してＣ−ＳＧＮ＿Ａ９５に転送されてもよい。
【０５００】
また、ＵＥ＿Ａ１０はＰＤＮ接続要求メッセージをアタッチ要求メッセージに含めるか否かを選択してもよい。より詳細には、ＵＥ＿Ａ１０は、ＰＤＮ接続要求メッセージを含んだＥＳＭメッセージコンテイナーをアタッチ要求メッセージに含めるか否かを選択してもよい。
【０５０１】
さらに、ＵＥ＿Ａ１０は、ＰＤＮ接続要求メッセージ、及び又は、ＥＳＭメッセージコンテイナーをアタッチ要求メッセージに含めることで、アタッチ手続きに伴ったＰＤＮコネクション確立を要求することを示してもよい。
【０５０２】
逆に、ＵＥ＿Ａ１０は、ＰＤＮ接続要求メッセージ、及び又は、ＥＳＭメッセージコンテイナーをアタッチ要求メッセージに含めないことで、アタッチ手続きに伴ったＰＤＮコネクション確立を要求しないことを示してもよい。
【０５０３】
なお、ＵＥ＿Ａ１０がＰＤＮ接続要求メッセージをアタッチ要求メッセージに含める場合、本実施形態の説明では、アタッチ要求メッセージは、アタッチ要求メッセージ及びＰＤＮ接続要求メッセージを併せたものとして説明する。さらに、本実施形態の説明においてアタッチ要求メッセージに識別情報が含まれると表現した場合には、識別情報がアタッ
チ要求メッセージ及び又はＰＤＮ接続要求メッセージに含まれることを意味する。
【０５０４】
ＵＥ＿Ａ１０は、すくなくとも第１から第６の識別情報のうちの１つ以上の識別情報をアタッチ要求メッセージに含めても良い。ＵＥ＿Ａ１０は、第１から第６の識別情報のうちの１つ以上の識別情報を含めてアタッチ要求メッセージを送信することにより、遷移するアタッチ完了状態のモードを要求してもよい。
【０５０５】
ここで、第１から第６の識別情報のうちの１つ以上の識別情報は、アタッチ要求メッセージに含めてＣ−ＳＧＮ＿Ａ９５に送信するのではなく、アタッチ手続き内でアタッチ要求メッセージとは異なる制御メッセージに含めて送信してもよい。
【０５０６】
例えば、アタッチ要求メッセージを送信したあと、ＵＥ＿Ａ１０はＥＳＭ（ＥＰＳ  Ｓｅｓｓｉｏｎ  Ｍａｎａｇｅｍｅｎｔ）情報の要求と、要求に基づく応答を行う制御メッセージの送受信手続きを実行してもよい（Ｓ２３０２）。
【０５０７】
より詳細には、Ｃ−ＳＧＮ＿Ａ９５は、ＥＳＭ要求メッセージをＵＥ＿Ａ１０に送信する。ＵＥ＿Ａ１０は、ＥＳＭ要求メッセージを受信し、応答メッセージをＣ−ＳＧＮ＿Ａ９５に送信する。この際、ＵＥ＿Ａ１０は、第１から第６の識別情報のうちの１つ以上の識別情報を応答メッセージに含めて送信してもよい。
【０５０８】
ここで、ＵＥ＿Ａ１０は、ＥＳＭ応答メッセージを暗号化して送信してもよい。さらに、ＵＥ＿Ａ１０は、ＥＳＭ応答メッセージを暗号化する為の情報をＣ−ＳＧＮ＿Ａ９５から受信してもよい。Ｃ−ＳＧＮ＿Ａ９５は、アタッチ要求メッセージの受信に伴い、ＮＡＳメッセージを暗号化するための情報をＵＥ＿Ａ１０に送信してもよい。なお、ＮＡＳメッセージを暗号化するための情報を送信するＮＡＳメッセージは、Ｓｅｃｕｒｉｔｙ  Ｍｏｄｅ  Ｃｏｍｍａｎｄメッセージであってよい。
【０５０９】
Ｃ−ＳＧＮ＿Ａ９５は、アタッチ要求メッセージを受信する。さらに、アタッチ要求メッセージの受信、又はＥＳＭ応答メッセージの受信に基づいて、第１から第６の識別情報のうちの１つ以上の識別情報を取得する。
【０５１０】
Ｃ−ＳＧＮ＿Ａ９５は、アタッチ要求メッセージに含まれる情報と、加入者情報と、Ｃ−ＳＧＮ＿Ａ９５がもつ識別情報に基づいて、ＵＥ＿Ａ１０に対してアタッチ完了状態へ遷移すること、及び又は、遷移するアタッチ完了状態を決定してもよい。
【０５１１】
例えば、Ｃ−ＳＧＮ＿Ａ９５は、第１から第１６の識別情報のうちの１つ以上の識別情報、及び又は、ＥＳＭメッセージコンテイナーの有無、及び又は、ＰＤＮ接続要求メッセージの有無に基づいて、遷移するアタッチ完了状態が第１のモードであるか、第２のモードであるか、第３のモードであるか、第４のモードであるか、第５のモードであるかを選択、決定してもよい。以下では、上述した選択、決定処理を第１の決定と表現して説明する（Ｓ２３０４）。
【０５１２】
例えば、アタッチ要求メッセージに第２の識別情報が含まれる、及び又は、第４の識別情報が第１の送受信手続きを用いた方法を示す場合、第１の条件が真であるとする。
【０５１３】
更に、Ｃ−ＳＧＮ＿Ａ９５が第８の識別情報、及び又は、第１０の識別情報を保持する、及び又は、第１２の識別情報、及び又は、第１３の識別情報が第１の送受信手続きを用いた方法を示す場合、第２の条件が真であるとする。
【０５１４】
更に、アタッチ要求メッセージに第３の識別情報が含まれる、及び又は、第４の識別情
報が第２の送受信手続きを用いた方法を示す場合、第３の条件が真であるとする。
【０５１５】
更に、Ｃ−ＳＧＮ＿Ａ９５が第９の識別情報、及び又は、第１１の識別情報を保持する、及び又は、第１２の識別情報、及び又は、第１３の識別情報が第２の送受信手続きを用いた方法を示す場合、第４の条件が真であるとする。
【０５１６】
更に、アタッチ要求メッセージに第５の識別情報が含まれる場合、第５の条件が真であるとする。
【０５１７】
更に、Ｃ−ＳＧＮ＿Ａ９５が第１４の識別情報を保持する場合、第６の条件が真であるとする。
【０５１８】
更に、アタッチ要求メッセージにＥＳＭメッセージコンテイナー、及び又は、ＰＤＮ接続要求メッセージが含まれる、及び又は、第６の識別情報がＰＤＮコネクションを確立することを示す場合、第７の条件が真であるとする。
【０５１９】
更に、第１５の識別情報がＰＤＮコネクションを確立することを示す場合、第８の条件が真であるとする。
【０５２０】
更に、アタッチ要求メッセージにＥＳＭメッセージコンテイナー、及び又は、ＰＤＮ接続要求メッセージが含まない、及び又は、第６の識別情報がＰＤＮコネクションを確立しないことを示す場合、第９の条件が真であるとする。
【０５２１】
更に、第１５の識別情報がＰＤＮコネクションを確立しないことを示す場合、第１０の条件が真であるとする。
【０５２２】
Ｃ−ＳＧＮ＿Ａ９５は、第１の条件が真の場合、及び又は、第２の条件が真の場合、及び又は、第７の条件が真の場合、及び又は、第８の条件が真の場合、第１のモードへ遷移してもよい。
【０５２３】
もしくは、Ｃ−ＳＧＮ＿Ａ９５は、第１の条件が真、且つ、第７の条件が真の場合、及び又は、第１の条件が真、且つ、第８の条件が真の場合、及び又は、第２の条件が真、且つ、第７の条件が真の場合、及び又は、第２の条件が真、且つ、第８の条件が真の場合、及び又は、第１の条件が真、且つ、第２の条件が真の場合、及び又は、第７の条件が真、且つ、第８の条件が真の場合、第１のモードへ遷移してもよい。
【０５２４】
もしくは、Ｃ−ＳＧＮ＿Ａ９５は、第１の条件が真、且つ、第２の条件が真、且つ、第７の条件が真の場合、及び又は、第１の条件が真、且つ、第２の条件が真、且つ、第８の条件が真の場合、及び又は、第１の条件が真、且つ、第７の条件が真、且つ、第８の条件が真の場合、及び又は、第２の条件が真、且つ、第７の条件が真、且つ、第８の条件が真の場合、第１のモードへ遷移してもよい。
【０５２５】
もしくは、Ｃ−ＳＧＮ＿Ａ９５は、第１の条件が真、且つ、第２の条件が真、且つ、第７の条件が真、且つ、第８の条件が真の場合、第１のモードへ遷移してもよい。
【０５２６】
また、Ｃ−ＳＧＮ＿Ａ９５は、上記の条件に限らず、第１のモードへ遷移してもよい。
【０５２７】
Ｃ−ＳＧＮ＿Ａ９５は、第１の条件が真の場合、及び又は、第２の条件が真の場合、及び又は、第９の条件が真の場合、及び又は、第１０の条件が真の場合、第２のモードへ遷移してもよい。
【０５２８】
もしくは、Ｃ−ＳＧＮ＿Ａ９５は、第１の条件が真、且つ、第９の条件が真の場合、及び又は、第１の条件が真、且つ、第１０の条件が真の場合、及び又は、第２の条件が真、且つ、第９の条件が真の場合、及び又は、第２の条件が真、且つ、第１０の条件が真の場合、及び又は、第１の条件が真、且つ、第２の条件が真の場合、及び又は、第９の条件が真、且つ、第１０の条件が真の場合、第２のモードへ遷移してもよい。
【０５２９】
もしくは、Ｃ−ＳＧＮ＿Ａ９５は、第１の条件が真、且つ、第２の条件が真、且つ、第９の条件が真の場合、及び又は、第１の条件が真、且つ、第２の条件が真、且つ、第１０の条件が真の場合、及び又は、第１の条件が真、且つ、第９の条件が真、且つ、第１０の条件が真の場合、及び又は、第２の条件が真、且つ、第９の条件が真、且つ、第１０の条件が真の場合、第２のモードへ遷移してもよい。
【０５３０】
もしくは、Ｃ−ＳＧＮ＿Ａ９５は、第１の条件が真、且つ、第２の条件が真、且つ、第９の条件が真、且つ、第１０の条件が真の場合、第２のモードへ遷移してもよい。
【０５３１】
また、Ｃ−ＳＧＮ＿Ａ９５は、上記の条件に限らず、第２のモードへ遷移してもよい。
【０５３２】
Ｃ−ＳＧＮ＿Ａ９５は、第３の条件が真の場合、及び又は、第４の条件が真の場合、及び又は、第７の条件が真の場合、及び又は、第８の条件が真の場合、第３のモードへ遷移してもよい。
【０５３３】
もしくは、Ｃ−ＳＧＮ＿Ａ９５は、第３の条件が真、且つ、第７の条件が真の場合、及び又は、第３の条件が真、且つ、第８の条件が真の場合、及び又は、第４の条件が真、且つ、第７の条件が真の場合、及び又は、第４の条件が真、且つ、第８の条件が真の場合、及び又は、第３の条件が真、且つ、第４の条件が真の場合、及び又は、第７の条件が真、且つ、第８の条件が真の場合、第３のモードへ遷移してもよい。
【０５３４】
もしくは、Ｃ−ＳＧＮ＿Ａ９５は、第３の条件が真、且つ、第４の条件が真、且つ、第７の条件が真の場合、及び又は、第３の条件が真、且つ、第４の条件が真、且つ、第８の条件が真の場合、及び又は、第３の条件が真、且つ、第７の条件が真、且つ、第８の条件が真の場合、及び又は、第４の条件が真、且つ、第７の条件が真、且つ、第８の条件が真の場合、第３のモードへ遷移してもよい。
【０５３５】
もしくは、Ｃ−ＳＧＮ＿Ａ９５は、第３の条件が真、且つ、第４の条件が真、且つ、第７の条件が真、且つ、第８の条件が真の場合、第３のモードへ遷移してもよい。
【０５３６】
また、Ｃ−ＳＧＮ＿Ａ９５は、上記の条件に限らず、第３のモードへ遷移してもよい。
【０５３７】
Ｃ−ＳＧＮ＿Ａ９５は、第３の条件が真の場合、及び又は、第４の条件が真の場合、及び又は、第９の条件が真の場合、及び又は、第１０の条件が真の場合、第４のモードへ遷移してもよい。
【０５３８】
もしくは、Ｃ−ＳＧＮ＿Ａ９５は、第３の条件が真、且つ、第９の条件が真の場合、及び又は、第３の条件が真、且つ、第１０の条件が真の場合、及び又は、第４の条件が真、且つ、第９の条件が真の場合、及び又は、第４の条件が真、且つ、第１０の条件が真の場合、及び又は、第３の条件が真、且つ、第４の条件が真の場合、及び又は、第９の条件が真、且つ、第１０の条件が真の場合、第４のモードへ遷移してもよい。
【０５３９】
もしくは、Ｃ−ＳＧＮ＿Ａ９５は、第３の条件が真、且つ、第４の条件が真、且つ、第
９の条件が真の場合、及び又は、第３の条件が真、且つ、第４の条件が真、且つ、第１０の条件が真の場合、及び又は、第３の条件が真、且つ、第９の条件が真、且つ、第１０の条件が真の場合、及び又は、第４の条件が真、且つ、第９の条件が真、且つ、第１０の条件が真の場合、第４のモードへ遷移してもよい。
【０５４０】
もしくは、Ｃ−ＳＧＮ＿Ａ９５は、第３の条件が真、且つ、第４の条件が真、且つ、第９の条件が真、且つ、第１０の条件が真の場合、第４のモードへ遷移してもよい。
【０５４１】
また、Ｃ−ＳＧＮ＿Ａ９５は、上記の条件に限らず、第４のモードへ遷移してもよい。
【０５４２】
Ｃ−ＳＧＮ＿Ａ９５は、第５の条件が真の場合、及び又は、第６の条件が真の場合、及び又は、第７の条件が真の場合、及び又は、第８の条件が真の場合、第５のモードへ遷移してもよい。
【０５４３】
もしくは、Ｃ−ＳＧＮ＿Ａ９５は、第５の条件が真、且つ、第７の条件が真の場合、及び又は、第５の条件が真、且つ、第８の条件が真の場合、及び又は、第６の条件が真、且つ、第７の条件が真の場合、及び又は、第６の条件が真、且つ、第８の条件が真の場合、及び又は、第５の条件が真、且つ、第６の条件が真の場合、及び又は、第７の条件が真、且つ、第８の条件が真の場合、第５のモードへ遷移してもよい。
【０５４４】
もしくは、Ｃ−ＳＧＮ＿Ａ９５は、第５の条件が真、且つ、第６の条件が真、且つ、第７の条件が真の場合、及び又は、第５の条件が真、且つ、第６の条件が真、且つ、第８の条件が真の場合、及び又は、第５の条件が真、且つ、第７の条件が真、且つ、第８の条件が真の場合、及び又は、第６の条件が真、且つ、第７の条件が真、且つ、第８の条件が真の場合、第５のモードへ遷移してもよい。
【０５４５】
もしくは、Ｃ−ＳＧＮ＿Ａ９５は、第５の条件が真、且つ、第６の条件が真、且つ、第７の条件が真、且つ、第８の条件が真の場合、第５のモードへ遷移してもよい。
【０５４６】
また、Ｃ−ＳＧＮ＿Ａ９５は、上記の条件に限らず、第５のモードへ遷移してもよい。
【０５４７】
なお、各モードのアタッチ完了状態への遷移の条件は、上記に限らない。
【０５４８】
Ｃ−ＳＧＮ＿Ａ９５は、アタッチ要求メッセージの受信、及び又は、アタッチ受諾メッセージの送信、及び又は、第１の決定に基づいて、ＰＤＮコネクションを確立するための手続きを開始してもよい。
【０５４９】
より詳細には、第１の決定に基づき、第１のモード、及び又は、第３のモード、及び又は、第５のモードに遷移する場合、Ｃ−ＳＧＮ＿Ａ９５は、ＰＤＮコネクションを確立するための手続きを開始してもよい。
【０５５０】
また、第１の決定に基づき、第２のモード、及び又は、第４のモードに遷移する場合、Ｃ−ＳＧＮ＿Ａ９５は、ＰＤＮコネクションを確立するための手続きを開始せず、省略してもよい。
【０５５１】
なお、ＰＤＮコネクションを確立するための手続きは、ＩＰ−ＣＡＮセッション更新手続き、及び又は、デフォルトＥＰＳベアラコンテキストアクティブ化要求メッセージの送受信、及び又は、デフォルトＥＰＳベアラコンテキストアクティブ化受諾メッセージの送受信、及び又は、ＲＲＣコネクション再設定要求メッセージの送受信、及び又は、ＲＲＣ
コネクション再設定完了メッセージの送受信、及び又は、ベアラ設定メッセージの送受信で構成されていてよい。
【０５５２】
Ｃ−ＳＧＮ＿Ａ９５は、第１のモード、及び又は、第３のモード、及び又は、第５のモードに遷移する場合には、ＩＰ−ＣＡＮセッション更新手続きを開始する（Ｓ２３０６）。ＩＰ−ＣＡＮセッション更新手続きは、従来手続きと同様であって良いため詳細説明を省略する。
【０５５３】
Ｃ−ＳＧＮ＿Ａ９５は、第１の決定、及び又は、ＩＰ−ＣＡＮセッション更新手続きの完了に伴い、アタッチ受諾メッセージをｅＮＢ＿Ａ４５に送信する（Ｓ２３０８）。
【０５５４】
また、Ｃ−ＳＧＮ＿Ａ９５は、第１の決定に基づいて、デフォルトＥＰＳベアラコンテキストアクティブ化要求メッセージをアタッチ受諾メッセージと共に送信してもよい。
【０５５５】
なお、Ｃ−ＳＧＮ＿Ａ９５がデフォルトＥＰＳベアラコンテキストアクティブ化要求メッセージをアタッチ受諾メッセージに含める場合、本実施形態の説明では、アタッチ受諾メッセージは、アタッチ受諾メッセージ及びデフォルトＥＰＳベアラコンテキストアクティブ化要求メッセージを併せたものとして説明する。さらに、本実施形態の説明においてアタッチ受諾メッセージに識別情報が含まれると表現した場合には、識別情報がアタッチ受諾メッセージ及び又はデフォルトＥＰＳベアラコンテキストアクティブ化要求メッセージに含まれることを意味する。
【０５５６】
Ｃ−ＳＧＮ＿Ａ９５は、少なくとも第７から第１６の識別情報のうちの１つ以上の識別情報をアタッチ受諾メッセージに含めても良い。
【０５５７】
なお、Ｃ−ＳＧＮ＿Ａ９５は、第１の決定に基づいて、第７から第１６の識別情報のうちの１つ以上の識別情報を変更、及び又は、新たに作成し、アタッチ受諾メッセージに含めてもよい。
【０５５８】
具体的には、Ｃ−ＳＧＮ＿Ａ９５は、第１の決定に基づいて、第１３の識別情報に決定したユーザデータの送受信方法を示す情報を入れてもよい。
【０５５９】
また、デフォルトＥＰＳベアラコンテキストアクティブ化要求メッセージは、第１の決定に基づいて、ＤＲＢ確立することを要求するメッセージであるかどうかを判断されてもよい。
【０５６０】
より詳細には、第１の決定に基づき、第１のモードに遷移する場合、デフォルトＥＰＳベアラコンテキストアクティブ化要求メッセージは、ＤＲＢを確立することを意図しないメッセージであってよい。その場合、デフォルトＥＰＳベアラコンテキストアクティブ化要求メッセージは、Ｄｏｗｎｌｉｎｋ  ｇｅｎｅｒｉｃ  ＮＡＳ  Ｔｒａｎｓｐｏｒｔメッセージであってもよい。
【０５６１】
また、第１の決定に基づき、第３のモード、及び又は、第５のモードに遷移する場合、デフォルトＥＰＳベアラコンテキストアクティブ化受諾メッセージは、ＤＲＢを確立することを意図するメッセージであってよい。
【０５６２】
なお、Ｃ−ＳＧＮ＿Ａ９５は、第１の決定に基づいたアタッチ受諾メッセージの送信に伴い、ＵＥ＿Ａ１０に対する接続状態をアイドルモードにしてもよい。言い換えれば、Ｃ−ＳＧＮ＿Ａ９５はアタッチ完了状態へ遷移することに基づき、ＵＥ＿Ａ１０への接続状態をアイドルモードにしてもよい。より詳細には、Ｃ−ＳＧＮ＿Ａ９５は遷移するアタッ
チ完了状態が第１のモードであることに基づき、ＵＥ＿Ａ１０への接続状態をアイドルモードにしてもよい。言い換えると、Ｃ−ＳＧＮ＿Ａ９５は、第３のモード、及び又は第５のモードのアタッチ完了状態へ遷移するためのアタッチ受諾メッセージを送信する場合、メッセージの送信に伴い、ＵＥ＿Ａ１０への接続状態をアクティブモードにしてもよい。
【０５６３】
ｅＮＢ＿Ａ４５は、アタッチ受諾メッセージを受信し、アタッチ受諾メッセージを含めたＲＲＣメッセージをＵＥ＿Ａ１０に送信する（Ｓ２３１０）。なお、ＲＲＣメッセージは、ＲＲＣコネクション再設定要求メッセージであって良い。また、ＲＲＣメッセージは、Ｄｉｒｅｃｔ  Ｔｒａｎｓｆｅｒメッセージであってもよい。
【０５６４】
ＵＥ＿Ａ１０は、アタッチ受諾メッセージを含むＲＲＣメッセージを受信する。さらに、第７から第１６の識別情報のうちの１つ以上の識別情報がアタッチ受諾メッセージに含まれている場合には、ＵＥ＿Ａ１０は各識別情報を取得する。
【０５６５】
受信したＲＲＣメッセージに応答するために、ＵＥ＿Ａ１０はＲＲＣメッセージをｅＮＢ＿Ａ４５に送信する（Ｓ２３１４）。ＲＲＣメッセージは、ＲＲＣコネクション再設定完了メッセージであってよい。
【０５６６】
ｅＮＢ＿Ａ４５は、ＲＲＣコネクション再設定メッセージを受信し、受信に基づいてベアラ設定メッセージをＣ−ＳＧＮ＿Ａ９５に送信する（Ｓ２３１６）。
【０５６７】
なお、ＵＥ＿Ａ１０、及び又は、ｅＮＢ＿Ａ４５は、第１の決定に基づいて、（Ｓ２３１４）及び（Ｓ２３１６）の手続きを省略してもよい。
【０５６８】
また、ＵＥ＿Ａ１０は、アタッチ受諾メッセージの受信に基づいて、アタッチ完了メッセージを含むＲＲＣメッセージをｅＮＢ＿Ａ４５に送信する（Ｓ２３１８）。
【０５６９】
また、ＵＥ＿Ａ１０は、第１の決定に基づいて、デフォルトＥＰＳベアラコンテキストアクティブ化受諾メッセージをアタッチ完了メッセージと共に送信してもよい。ここで、デフォルトＥＰＳベアラコンテキストアクティブ化受諾メッセージは、デフォルトＥＰＳベアラコンテキストアクティブ化要求メッセージに対する応答メッセージであってよい。
【０５７０】
なお、ＵＥ＿Ａ１０がデフォルトＥＰＳベアラコンテキストアクティブ化受諾メッセージをアタッチ完了メッセージに含める場合、本実施形態の説明では、アタッチ完了メッセージは、アタッチ完了メッセージ及びデフォルトＥＰＳベアラコンテキストアクティブ化受諾メッセージを併せたものとして説明する。さらに、本実施形態の説明においてアタッチ完了メッセージに識別情報が含まれると表現した場合には、識別情報がアタッチ完了メッセージ及び又はデフォルトＥＰＳベアラコンテキストアクティブ化受諾メッセージに含まれることを意味する。
【０５７１】
なお、アタッチ完了メッセージを含めて送信するＲＲＣメッセージは、Ｄｉｒｅｃｔ  Ｔｒａｎｓｆｅｒメッセージであってよい。
【０５７２】
ＵＥ＿Ａ１０は、アタッチ受諾メッセージの受信、及び又はアタッチ完了メッセージの送信に基づいて、アタッチ完了状態へ遷移する。
【０５７３】
ＵＥ＿Ａ１０は、アタッチ受諾メッセージに含まれる情報と、ＵＥ＿Ａ１０がもつ識別情報に基づいて、遷移するアタッチ完了状態を認識、決定してもよい。
【０５７４】
例えば、ＵＥ＿Ａ１０は、第１から第１６の識別情報のうちの１つ以上の識別情報、及
び又は、ＥＳＭメッセージコンテイナーの有無、及び又は、デフォルトＥＰＳベアラコンテキストアクティブ化受諾メッセージの有無に基づいて、遷移するアタッチ完了状態が第１のモードであるか、第２のモードであるか、第３のモードであるか、第４のモードであるか、第５のモードであるかを承認、決定してもよい。以下では、上述した承認、決定処理を第２の決定と表現して説明する（Ｓ２３１２）。
【０５７５】
例えば、ＵＥ＿Ａ１０が第２の識別情報を保持する、及び又は、第４の識別情報が第１の送受信手続きを用いた方法を示す場合、第１１の条件が真であるとする。
【０５７６】
更に、アタッチ受諾メッセージに第８の識別情報、及び又は、第１０の識別情報が含まれる、及び又は、第１２の識別情報、及び又は、第１３の識別情報が第１の送受信手続きを用いた方法を示す、及び又は、第１６の識別情報がＳＲＢ、及び又は、ＣＲＢを識別する識別情報である場合、第１２の条件が真であるとする。
【０５７７】
更に、ＵＥ＿Ａ１０が第３の識別情報を保持する、及び又は、第４の識別情報が第２の送受信手続きを用いた方法を示す場合、第１３の条件が真であるとする。
【０５７８】
更に、アタッチ受諾メッセージに第９の識別情報、及び又は、第１１の識別情報が含まれる、及び又は、第１２の識別情報、及び又は、第１３の識別情報が第２の送受信手続きを用いた方法を示す、及び又は、第１６の識別情報がＤＲＢを識別する識別情報である場合、第１４の条件が真であるとする。
【０５７９】
更に、ＵＥ＿Ａ１０が第５の識別情報を保持する場合、第１５の条件が真であるとする。
【０５８０】
更に、アタッチ受諾メッセージに第１４の識別情報が含まれる、及び又は、第１６の識別情報がＤＲＢを識別する識別情報である場合、第１６の条件が真であるとする。
【０５８１】
更に、アタッチ受諾メッセージにＥＳＭメッセージコンテイナー、及び又は、デフォルトＥＰＳベアラコンテキストアクティブ化要求メッセージが含まれる、及び又は、第６の識別情報がＰＤＮコネクションを確立することを示す場合、第１７の条件が真であるとする。
【０５８２】
更に、第１５の識別情報がＰＤＮコネクションを確立することを示す場合、第１８の条件が真であるとする。
【０５８３】
更に、アタッチ受諾メッセージにＥＳＭメッセージコンテイナー、及び又は、デフォルトＥＰＳベアラコンテキストアクティブ化要求メッセージが含まれない、及び又は、第６の識別情報がＰＤＮコネクションを確立しないことを示す場合、第１９の条件が真であるとする。
【０５８４】
更に、第１５の識別情報がＰＤＮコネクションを確立しないことを示す場合、第２０の条件が真であるとする。
【０５８５】
Ｃ−ＳＧＮ＿Ａ９５は、第１１の条件が真の場合、及び又は、第１２の条件が真の場合、及び又は、第１７の条件が真の場合、及び又は、第１８の条件が真の場合、第１のモードへ遷移してもよい。
【０５８６】
もしくは、Ｃ−ＳＧＮ＿Ａ９５は、第１１の条件が真、且つ、第１７の条件が真の場合、及び又は、第１１の条件が真、且つ、第１８の条件が真の場合、及び又は、第１２の条
件が真、且つ、第１７の条件が真の場合、及び又は、第１２の条件が真、且つ、第１８の条件が真の場合、及び又は、第１１の条件が真、且つ、第１２の条件が真の場合、及び又は、第１７の条件が真、且つ、第１８の条件が真の場合、第１のモードへ遷移してもよい。
【０５８７】
もしくは、Ｃ−ＳＧＮ＿Ａ９５は、第１１の条件が真、且つ、第１２の条件が真、且つ、第１７の条件が真の場合、及び又は、第１１の条件が真、且つ、第１２の条件が真、且つ、第１８の条件が真の場合、及び又は、第１１の条件が真、且つ、第１７の条件が真、且つ、第１８の条件が真の場合、及び又は、第１２の条件が真、且つ、第１７の条件が真、且つ、第１８の条件が真の場合、第１のモードへ遷移してもよい。
【０５８８】
もしくは、Ｃ−ＳＧＮ＿Ａ９５は、第１１の条件が真、且つ、第１２の条件が真、且つ、第１７の条件が真、且つ、第１８の条件が真の場合、第１のモードへ遷移してもよい。
【０５８９】
また、Ｃ−ＳＧＮ＿Ａ９５は、上記の条件に限らず、第１のモードへ遷移してもよい。
【０５９０】
Ｃ−ＳＧＮ＿Ａ９５は、第１１の条件が真の場合、及び又は、第１２の条件が真の場合、及び又は、第１９の条件が真の場合、及び又は、第２０の条件が真の場合、第２のモードへ遷移してもよい。
【０５９１】
もしくは、Ｃ−ＳＧＮ＿Ａ９５は、第１１の条件が真、且つ、第１９の条件が真の場合、及び又は、第１１の条件が真、且つ、第２０の条件が真の場合、及び又は、第１２の条件が真、且つ、第１９の条件が真の場合、及び又は、第１２の条件が真、且つ、第２０の条件が真の場合、及び又は、第１１の条件が真、且つ、第１２の条件が真の場合、及び又は、第１９の条件が真、且つ、第２０の条件が真の場合、第２のモードへ遷移してもよい。
【０５９２】
もしくは、Ｃ−ＳＧＮ＿Ａ９５は、第１１の条件が真、且つ、第１２の条件が真、且つ、第１９の条件が真の場合、及び又は、第１１の条件が真、且つ、第１２の条件が真、且つ、第２０の条件が真の場合、及び又は、第１１の条件が真、且つ、第１９の条件が真、且つ、第２０の条件が真の場合、及び又は、第１２の条件が真、且つ、第１９の条件が真、且つ、第２０の条件が真の場合、第２のモードへ遷移してもよい。
【０５９３】
もしくは、Ｃ−ＳＧＮ＿Ａ９５は、第１１の条件が真、且つ、第１２の条件が真、且つ、第１９の条件が真、且つ、第２０の条件が真の場合、第２のモードへ遷移してもよい。
【０５９４】
また、Ｃ−ＳＧＮ＿Ａ９５は、上記の条件に限らず、第２のモードへ遷移してもよい。
【０５９５】
Ｃ−ＳＧＮ＿Ａ９５は、第１３の条件が真の場合、及び又は、第１４の条件が真の場合、及び又は、第１７の条件が真の場合、及び又は、第１８の条件が真の場合、第３のモードへ遷移してもよい。
【０５９６】
もしくは、Ｃ−ＳＧＮ＿Ａ９５は、第１３の条件が真、且つ、第１７の条件が真の場合、及び又は、第１３の条件が真、且つ、第１８の条件が真の場合、及び又は、第１４の条件が真、且つ、第１７の条件が真の場合、及び又は、第１４の条件が真、且つ、第１８の条件が真の場合、及び又は、第１３の条件が真、且つ、第１４の条件が真の場合、及び又は、第１７の条件が真、且つ、第１８の条件が真の場合、第３のモードへ遷移してもよい。
【０５９７】
もしくは、Ｃ−ＳＧＮ＿Ａ９５は、第１３の条件が真、且つ、第１４の条件が真、且つ
、第１７の条件が真の場合、及び又は、第１３の条件が真、且つ、第１４の条件が真、且つ、第１８の条件が真の場合、及び又は、第１３の条件が真、且つ、第１７の条件が真、且つ、第１８の条件が真の場合、及び又は、第１４の条件が真、且つ、第１７の条件が真、且つ、第１８の条件が真の場合、第３のモードへ遷移してもよい。
【０５９８】
もしくは、Ｃ−ＳＧＮ＿Ａ９５は、第１３の条件が真、且つ、第１４の条件が真、且つ、第１７の条件が真、且つ、第１８の条件が真の場合、第３のモードへ遷移してもよい。
【０５９９】
また、Ｃ−ＳＧＮ＿Ａ９５は、上記の条件に限らず、第３のモードへ遷移してもよい。
【０６００】
Ｃ−ＳＧＮ＿Ａ９５は、第１３の条件が真の場合、及び又は、第１４の条件が真の場合、及び又は、第１９の条件が真の場合、及び又は、第２０の条件が真の場合、第４のモードへ遷移してもよい。
【０６０１】
もしくは、Ｃ−ＳＧＮ＿Ａ９５は、第１３の条件が真、且つ、第１９の条件が真の場合、及び又は、第１３の条件が真、且つ、第２０の条件が真の場合、及び又は、第１４の条件が真、且つ、第１９の条件が真の場合、及び又は、第１４の条件が真、且つ、第２０の条件が真の場合、及び又は、第１３の条件が真、且つ、第１４の条件が真の場合、及び又は、第１９の条件が真、且つ、第２０の条件が真の場合、第４のモードへ遷移してもよい。
【０６０２】
もしくは、Ｃ−ＳＧＮ＿Ａ９５は、第１３の条件が真、且つ、第１４の条件が真、且つ、第１９の条件が真の場合、及び又は、第１３の条件が真、且つ、第１４の条件が真、且つ、第２０の条件が真の場合、及び又は、第１３の条件が真、且つ、第１９の条件が真、且つ、第２０の条件が真の場合、及び又は、第１４の条件が真、且つ、第１９の条件が真、且つ、第２０の条件が真の場合、第４のモードへ遷移してもよい。
【０６０３】
もしくは、Ｃ−ＳＧＮ＿Ａ９５は、第１３の条件が真、且つ、第１４の条件が真、且つ、第１９の条件が真、且つ、第２０の条件が真の場合、第４のモードへ遷移してもよい。
【０６０４】
また、Ｃ−ＳＧＮ＿Ａ９５は、上記の条件に限らず、第４のモードへ遷移してもよい。
【０６０５】
Ｃ−ＳＧＮ＿Ａ９５は、第１５の条件が真の場合、及び又は、第１６の条件が真の場合、及び又は、第１７の条件が真の場合、及び又は、第１８の条件が真の場合、第５のモードへ遷移してもよい。
【０６０６】
もしくは、Ｃ−ＳＧＮ＿Ａ９５は、第１５の条件が真、且つ、第１７の条件が真の場合、及び又は、第１５の条件が真、且つ、第１８の条件が真の場合、及び又は、第１６の条件が真、且つ、第１７の条件が真の場合、及び又は、第１６の条件が真、且つ、第１８の条件が真の場合、及び又は、第１５の条件が真、且つ、第１６の条件が真の場合、及び又は、第１７の条件が真、且つ、第１８の条件が真の場合、第５のモードへ遷移してもよい。
【０６０７】
もしくは、Ｃ−ＳＧＮ＿Ａ９５は、第１５の条件が真、且つ、第１６の条件が真、且つ、第１７の条件が真の場合、及び又は、第１５の条件が真、且つ、第１６の条件が真、且つ、第１８の条件が真の場合、及び又は、第１５の条件が真、且つ、第１７の条件が真、且つ、第１８の条件が真の場合、及び又は、第１６の条件が真、且つ、第１７の条件が真、且つ、第１８の条件が真の場合、第５のモードへ遷移してもよい。
【０６０８】
もしくは、Ｃ−ＳＧＮ＿Ａ９５は、第１５の条件が真、且つ、第１６の条件が真、且つ
、第１７の条件が真、且つ、第１８の条件が真の場合、第５のモードへ遷移してもよい。
【０６０９】
また、Ｃ−ＳＧＮ＿Ａ９５は、上記の条件に限らず、第５のモードへ遷移してもよい。
【０６１０】
なお、各モードのアタッチ完了状態への遷移の条件は、上記に限らない。
【０６１１】
ＵＥ＿Ａ１０、及び又はｅＮＢ＿Ａ４５、及び又はＣ−ＳＧＮ＿Ａ９５は、アタッチ受諾メッセージの送受信、及び又は、アタッチ完了メッセージの送受信、及び又は、第４の決定に基づいて、ＰＤＮコネクションを確立してもよい。なお、ＰＤＮコネクション確立に際し、デフォルトベアラを確立してもよい。また、デフォルトベアラを構成するＲＢはＤＲＢであってよい。もしくは、デフォルトベアラを構成するＲＢはＳＲＢであってよい。
【０６１２】
より詳細には、アタッチ完了状態が第１のモード、及び又は、第３のモードの場合、及び又は、第５のモードの場合、ＵＥ＿Ａ１０、及び又はｅＮＢ＿Ａ４５、及び又はＣ−ＳＧＮ＿Ａ９５は、ＰＤＮコネクション、及び又は、デフォルトベアラ、及び又は、ＳＲＢを確立してもよい。
【０６１３】
また、アタッチ完了状態が第２のモード、及び又は、第４のモードの場合、ＵＥ＿Ａ１０、及び又はｅＮＢ＿Ａ４５、及び又はＣ−ＳＧＮ＿Ａ９５は、ＰＤＮコネクション、及び又は、デフォルトベアラを確立しなくてもよい。
【０６１４】
また、アタッチ完了状態が第３のモード、及び又は、第５のモードの場合、ＵＥ＿Ａ１０、及び又はｅＮＢ＿Ａ４５、及び又はＣ−ＳＧＮ＿Ａ９５は、ＤＲＢを確立してもよい。
【０６１５】
また、アタッチ完了状態が第１のモードの場合、ＵＥ＿Ａ１０、及び又はｅＮＢ＿Ａ４５、及び又はＣ−ＳＧＮ＿Ａ９５は、ＤＲＢを確立しなくてもよい。言い換えると、アタッチ完了状態が第１のモードの場合、ＵＥ＿Ａ１０、及び又はｅＮＢ＿Ａ４５、及び又はＣ−ＳＧＮ＿Ａ９５は、ＤＲＢを確立せずに、ＳＲＢを確立してもよい。
【０６１６】
ｅＮＢ＿４５は、アタッチ完了メッセージが含まれるＲＲＣメッセージを受信し、アタッチ完了メッセージをＣ−ＳＧＮ＿Ａ９５に送信する（Ｓ２３２０）。
【０６１７】
また、ＵＥ＿Ａ１０は第２の決定に基づいて、アタッチ完了メッセージの送信に伴い、アイドルモードに遷移してもよい。より詳細には、ＵＥ＿Ａ１０は、遷移するアタッチ完了状態が第３のモード、及び又は、第５のモードの場合、アタッチ完了メッセージの送信に伴い、アイドルモードに遷移してもよい。
【０６１８】
もしくは、アタッチ完了メッセージを含めたＤｉｒｅｃｔ  Ｔｒａｎｓｆｅｒメッセージに対する応答としてｅＮＢ＿Ａ４５からＲＲＣメッセージを受信し、ＵＥ＿Ａ１０は第２の決定に基づいて、応答メッセージの受信に伴い、アイドルモードに遷移してもよい。
【０６１９】
より詳細な例としては、ＵＥ＿Ａ１０は、アタッチ完了メッセージ及び又はＤｉｒｅｃｔ  Ｔｒａｎｓｆｅｒメッセージにアイドルモードに遷移することを示す識別情報を含めて送信してもよい。
【０６２０】
さらに、Ｄｉｒｅｃｔ  Ｔｒａｎｓｆｅｒメッセージを受信したｅＮＢ＿Ａ４５は、受信した識別情報に基づいて、応答となるＲＲＣメッセージをＵＥ＿Ａ１０に送信してもよい。このように、応答となるＲＲＣメッセージは、アイドルモードへの遷移を許可するた
めのメッセージであってよい。
【０６２１】
言いかえると、ＵＥ＿Ａ１０は、アイドルモードに遷移するかアクティブモードを維持するかを第２の決定に基づいて選択することができる。
【０６２２】
Ｃ−ＳＧＮ＿Ａ９５は、アタッチ完了メッセージを受信する。
【０６２３】
Ｃ−ＳＧＮ＿Ａ９５は、アタッチ完了メッセージの受信に基づき、ＵＥ＿Ａ１０に対する接続状態をアイドルモードに遷移してもよい。
【０６２４】
つまり、Ｃ−ＳＧＮ＿Ａ９５は、アタッチ受諾メッセージの送信、又は、アタッチ完了メッセージの受信に基づいて、ＵＥ＿Ａ１０の状態を、アイドルモードとして管理してよい。
【０６２５】
より詳細には、遷移したアタッチ完了状態が第３のモード、及び又は第５のモードである場合、Ｃ−ＳＧＮ＿Ａ９５は、アタッチ受諾メッセージの送信、又は、アタッチ完了メッセージの受信に基づいて、ＵＥ＿Ａ１０の状態を、アイドルモードとして管理してよい。
【０６２６】
また、ＵＥ＿Ａ１０、及び又は、ｅＮＢ＿Ａ４５は、第１６の識別情報に基づいて、デフォルトベアラとして確立されたＲＢの種類を識別してもよい。
【０６２７】
例えば、ＵＥ＿Ａ１０、及び又は、ｅＮＢ＿Ａ４５は、第１６の識別情報がＳＲＢ、及び又は、ＣＲＢを識別する識別情報である場合、ＳＲＢ、及び又は、ＣＲＢがデフォルトベアラとして確立されたことを認識してもよい。
【０６２８】
また、ＵＥ＿Ａ１０、及び又は、ｅＮＢ＿Ａ４５は、第１６の識別情報がＤＲＢを識別する識別情報である場合、ＤＲＢがデフォルトベアラとして確立されたことを認識してもよい。
【０６２９】
以上の手順により、ＵＥ＿Ａ１０はネットワークへ接続し、アタッチ手続きを完了する。アタッチ手続きの完了に伴い、ＵＥ＿Ａ１０、及び又はＣ−ＳＧＮ＿Ａ９５はアタッチ完了状態へ遷移する。
【０６３０】
なお、ＵＥ＿Ａ１０は、アタッチ手続きにより、図２１で説明したＵＥコンテキストをコアネットワーク＿Ａ９０から取得し、記憶することができる。
【０６３１】
より詳細には、遷移したアタッチ完了状態が第１のモード、及び又は、第３のモード、及び又は、第５のモードの場合、ＵＥ＿Ａ１０は、アタッチ手続きにより、図２１で説明したＵＥコンテキストをコアネットワーク＿Ａ９０から取得し、記憶することができる。
【０６３２】
また、遷移したアタッチ完了状態が第２のモード、及び又は、第４のモードの場合、ＵＥ＿Ａ１０は、アタッチ手続きにより、図２１で説明したＵＥコンテキストの内、ＰＤＮコネクションごとのＵＥコンテキスト、及び又は、ベアラごとのＵＥコンテキスト以外のＵＥコンテキストをコアネットワーク＿Ａ９０から取得し、記憶することができる。
【０６３３】
更に、Ｃ−ＳＧＮ＿Ａ９５は、アタッチ手続きにより、図１９で説明したＡ〜Ｅの各コンテキストをＵＥ＿Ａ１０又はｅＮＢ＿Ａ４５又はＨＳＳ＿Ａ５０から取得し、記憶することができる。
【０６３４】
より詳細には、遷移したアタッチ完了状態が第１のモード、及び又は、第３のモード、及び又は、第５のモードの場合、Ｃ−ＳＧＮ＿Ａ９５は、アタッチ手続きにより、図１９で説明したＡ〜Ｅの各コンテキストをＵＥ＿Ａ１０又はｅＮＢ＿Ａ４５又はＨＳＳ＿Ａ５０から取得し、記憶することができる。
【０６３５】
また、遷移したアタッチ完了状態が第２のモード、及び又は、第４のモードの場合、Ｃ−ＳＧＮ＿Ａ９５は、アタッチ手続きにより、図１９で説明したＡ〜Ｅの各コンテキストの内、ＰＤＮコネクションごとのＥＰＳベアラコンテキスト、及び又は、ベアラごとのＥＰＳベアラコンテキスト以外のコンテキストをＵＥ＿Ａ１０又はｅＮＢ＿Ａ４５又はＨＳＳ＿Ａ５０から取得し、記憶することができる。
【０６３６】
［１．３．１．１．アタッチ手続きの変形例］
上述したアタッチ手続き例におけるコアネットワーク＿Ａ９０は、図３を用いて説明したＣ−ＳＧＮ＿Ａ９５を含む構成のコアネットワークの場合のアタッチ手続きを説明したが、コアネットワーク＿Ａ９０は図２を用いて説明したようなＰＧＷ＿Ａ３０、ＳＧＷ＿Ａ３５、ＭＭＥ＿Ａ４０などを含んで構成されるものであってもよい。
【０６３７】
その場合、本手続きで説明したＵＥ＿Ａ１０が送信するアタッチ要求メッセージやアタッチ完了メッセージなどのＮＡＳメッセージは、Ｃ−ＳＧＮ＿Ａ９５ではなく、ＭＭＥ４５が受信する。
【０６３８】
したがって、これまで説明したＣ−ＳＧＮ＿Ａ９５のＮＡＳメッセージの受信および処理は、ＭＭＥ＿Ａ４０が行うものとして置き換えることができる。
【０６３９】
さらに、これまで説明したＣ−ＳＧＮ＿Ａ９５のアタッチ受諾メッセージなどのＮＡＳメッセージの送信および処理は、ＭＭＥ＿Ａ４０が行うものとして置き換えることができる。
【０６４０】
［１．３．２．ＰＤＮ接続手続き例］
次に、ＰＤＮ接続手続きの例について説明する。なお、ＰＤＮ接続手続きはＵＥ＿Ａ１０が主導して開始する手続きである。なお、ＰＤＮ接続手続きでは、ＵＥ＿Ａ１０が、ＰＤＮ＿Ａ５との間でユーザデータの送受信を行う通信路を確立するための手続きである。言い換えると、ＰＤＮ接続手続きは、ユーザデータの送受信に用いるＰＤＮコネクションを確立するための手続きである。
【０６４１】
なお、ＵＥ＿Ａ１０がＰＤＮ接続手続きを開始するトリガは、端末電源投入時などであってもよく、アタッチ手続きの完了時であってもよい。また、ＵＥ＿Ａ１０は、アタッチ手続きの完了に伴う、第２のモード、及び又は、第４のモードのアタッチ完了状態への遷移に基づいて、ＰＤＮ接続手続きを開始してもよい。また、これに関わらずＵＥ＿Ａ１０は任意のタイミングでＰＤＮ接続手続きを開始してもよい。
【０６４２】
ＵＥ＿Ａ１０は、ＰＤＮ接続手続きの完了により、ＰＤＮ＿Ａ５との間でＰＤＮコネクションを確立する。従って、ＵＥ＿Ａ１０は、ＰＤＮ接続手続きの完了に基づいて、アタッチ完了状態のモードを変更してもよい。
【０６４３】
なお以下では、ＰＤＮ接続手続き例の詳細を説明する。
【０６４４】
以下、図２４を用いてＰＤＮ接続手続きの手順の例を説明する。
【０６４５】
まず、ＵＥ＿Ａ１０はＰＤＮ接続要求メッセージをＣ−ＳＧＮ＿Ａ９５に送信する（Ｓ
２４００）。なお、ＵＥ＿Ａ１０はＰＤＮ接続要求メッセージをｅＮＢ＿Ａ４５に送信し、送信されたＰＤＮ接続要求メッセージはｅＮＢ＿Ａ４５を介してＣ−ＳＧＮ＿Ａ９５に転送されてもよい。
【０６４６】
ＵＥ＿Ａ１０は、すくなくとも第１から第５の識別情報のうちの１つ以上の識別情報をＰＤＮ接続要求メッセージに含めても良い。ＵＥ＿Ａ１０は、第１から第５の識別情報のうちの１つ以上の識別情報を含めてＰＤＮ接続要求メッセージを送信することにより、確立するＰＤＮコネクションの種類、及び又は、遷移するアタッチ完了状態のモードを要求してもよい。
【０６４７】
Ｃ−ＳＧＮ＿Ａ９５は、ＰＤＮ接続要求メッセージを受信する。さらに、ＰＤＮ接続要求メッセージの受信に基づいて、第１から第５の識別情報のうちの１つ以上の識別情報を取得する。
【０６４８】
Ｃ−ＳＧＮ＿Ａ９５は、ＰＤＮ接続要求メッセージに含まれる情報と、加入者情報と、Ｃ−ＳＧＮ＿Ａ９５がもつ識別情報に基づいて、ＵＥ＿Ａ１０に対してＰＤＮコネクションの確立、及び又は、遷移するアタッチ完了状態を決定してもよい。
【０６４９】
例えば、Ｃ−ＳＧＮ＿Ａ９５は、第１から第１６の識別情報のうちの１つ以上の識別情報に基づいて、遷移するアタッチ完了状態が第１のモードであるか、第３のモードであるか、第５のモードであるかを選択、決定してもよい。以下では、上述した選択、決定処理を第３の決定と表現して説明する（Ｓ２４０２）。
【０６５０】
例えば、ＰＤＮ接続要求メッセージに第２の識別情報が含まれる、及び又は、第４の識別情報が第１の送受信手続きを用いた方法を示す場合、第１の条件が真であるとする。
【０６５１】
更に、Ｃ−ＳＧＮ＿Ａ９５が第８の識別情報、及び又は、第１０の識別情報を保持する、及び又は、第１２の識別情報、及び又は、第１３の識別情報が第１の送受信手続きを用いた方法を示す場合、第２の条件が真であるとする。
【０６５２】
更に、ＰＤＮ接続要求メッセージに第３の識別情報が含まれる、及び又は、第４の識別情報が第２の送受信手続きを用いた方法を示す場合、第３の条件が真であるとする。
【０６５３】
更に、Ｃ−ＳＧＮ＿Ａ９５が第９の識別情報、及び又は、第１１の識別情報を保持する、及び又は、第１２の識別情報、及び又は、第１３の識別情報が第２の送受信手続きを用いた方法を示す場合、第４の条件が真であるとする。
【０６５４】
更に、ＰＤＮ接続要求メッセージに第５の識別情報が含まれる場合、第５の条件が真であるとする。
【０６５５】
更に、Ｃ−ＳＧＮ＿Ａ９５が第１４の識別情報を保持する場合、第６の条件が真であるとする。
【０６５６】
Ｃ−ＳＧＮ＿Ａ９５は、第１の条件が真の場合、及び又は、第２の条件が真の場合、及び又は、第１の条件が真、且つ、第２の条件が真の場合、第１のモードへ遷移してもよい。
【０６５７】
また、Ｃ−ＳＧＮ＿Ａ９５は、上記の条件に限らず、第１のモードへ遷移してもよい。
【０６５８】
Ｃ−ＳＧＮ＿Ａ９５は、第３の条件が真の場合、及び又は、第４の条件が真の場合、及
び又は、第３の条件が真、且つ、第４の条件が真の場合、第３のモードへ遷移してもよい。
【０６５９】
また、Ｃ−ＳＧＮ＿Ａ９５は、上記の条件に限らず、第３のモードへ遷移してもよい。
【０６６０】
Ｃ−ＳＧＮ＿Ａ９５は、第５の条件が真の場合、及び又は、第６の条件が真の場合、及び又は、第５の条件が真、且つ、第６の条件が真の場合、第５のモードへ遷移してもよい。
【０６６１】
また、Ｃ−ＳＧＮ＿Ａ９５は、上記の条件に限らず、第５のモードへ遷移してもよい。
【０６６２】
なお、各モードのアタッチ完了状態への遷移の条件は、上記に限らない。
【０６６３】
Ｃ−ＳＧＮ＿Ａ９５は、ＰＤＮ接続要求メッセージの受信、及び又は、デフォルトＥＰＳベアラコンテキストアクティブ化要求メッセージの送信、及び又は、第３の決定に基づいて、ＰＤＮコネクションを確立するための手続きを開始してもよい。
【０６６４】
なお、ＰＤＮコネクションを確立するための手続きは、ＩＰ−ＣＡＮセッション更新手続き、及び又は、デフォルトＥＰＳベアラコンテキストアクティブ化要求メッセージの送受信、及び又は、デフォルトＥＰＳベアラコンテキストアクティブ化受諾メッセージの送受信、及び又は、ＲＲＣコネクション再設定要求メッセージの送受信、及び又は、ＲＲＣコネクション再設定完了メッセージの送受信、及び又は、ベアラ設定メッセージの送受信で構成されていてよい。
【０６６５】
Ｃ−ＳＧＮ＿Ａ９５は、ＩＰ−ＣＡＮセッション更新手続きを開始する（Ｓ２４０４）。ＩＰ−ＣＡＮセッション更新手続きは、従来手続きと同様であって良いため詳細説明を省略する。
【０６６６】
Ｃ−ＳＧＮ＿Ａ９５は、第３の決定、及び又は、ＩＰ−ＣＡＮセッション更新手続きの完了に伴い、デフォルトＥＰＳベアラコンテキストアクティブ化要求メッセージをｅＮＢ＿Ａ４５に送信する（Ｓ２４０６）。ここで、デフォルトＥＰＳベアラコンテキストアクティブ化要求メッセージはＰＤＮ接続要求メッセージに対する応答メッセージであってよい。
【０６６７】
Ｃ−ＳＧＮ＿Ａ９５は、少なくとも第７から第１６の識別情報のうちの１つ以上の識別情報をデフォルトＥＰＳベアラコンテキストアクティブ化要求メッセージに含めても良い。
【０６６８】
なお、Ｃ−ＳＧＮ＿Ａ９５は、第３の決定に基づいて、第７から第１６の識別情報のうちの１つ以上の識別情報を変更、及び又は、新たに作成し、デフォルトＥＰＳベアラコンテキストアクティブ化要求メッセージに含めてもよい。
【０６６９】
具体的には、Ｃ−ＳＧＮ＿Ａ９５は、第３の決定に基づいて、第１３の識別情報に決定したユーザデータの送受信方法を示す情報を入れてもよい。
【０６７０】
また、デフォルトＥＰＳベアラコンテキストアクティブ化要求メッセージは、第３の決定に基づいて、ＤＲＢ確立することを要求するメッセージであるかどうかを判断されてもよい。
【０６７１】
より詳細には、第３の決定に基づき、第１のモードに遷移する場合、デフォルトＥＰＳ
ベアラコンテキストアクティブ化要求メッセージは、ＤＲＢを確立することを意図しないメッセージであってよい。その場合、デフォルトＥＰＳベアラコンテキストアクティブ化要求メッセージは、Ｄｏｗｎｌｉｎｋ  ｇｅｎｅｒｉｃ  ＮＡＳ  Ｔｒａｎｓｐｏｒｔメッセージであってもよい。
【０６７２】
また、第３の決定に基づき、第３のモード、及び又は、第５のモードに遷移する場合、デフォルトＥＰＳベアラコンテキストアクティブ化受諾メッセージは、ＤＲＢを確立することを意図するメッセージであってよい。
【０６７３】
なお、Ｃ−ＳＧＮ＿Ａ９５は、第３の決定に基づいたデフォルトＥＰＳベアラコンテキストアクティブ化要求メッセージの送信に伴い、ＵＥ＿Ａ１０に対する接続状態をアイドルモードにしてもよい。言い換えれば、Ｃ−ＳＧＮ＿Ａ９５はアタッチ完了状態へ遷移することに基づき、ＵＥ＿Ａ１０への接続状態をアイドルモードにしてもよい。より詳細には、Ｃ−ＳＧＮ＿Ａ９５は遷移するアタッチ完了状態が第１のモードであることに基づき、ＵＥ＿Ａ１０への接続状態をアイドルモードにしてもよい。言い換えると、Ｃ−ＳＧＮ＿Ａ９５は、第３のモード、及び又は第５のモードのアタッチ完了状態へ遷移するためのデフォルトＥＰＳベアラコンテキストアクティブ化要求メッセージを送信する場合、メッセージの送信に伴い、ＵＥ＿Ａ１０への接続状態をアクティブモードにしてもよい。
【０６７４】
ｅＮＢ＿Ａ４５は、デフォルトＥＰＳベアラコンテキストアクティブ化要求メッセージを受信し、デフォルトＥＰＳベアラコンテキストアクティブ化要求メッセージを含めたＲＲＣメッセージをＵＥ＿Ａ１０に送信する（Ｓ２４０８）。なお、ＲＲＣメッセージは、ＲＲＣコネクション再設定要求メッセージであって良い。また、ＲＲＣメッセージは、Ｄｉｒｅｃｔ  Ｔｒａｎｓｆｅｒメッセージであってもよい。
【０６７５】
ＵＥ＿Ａ１０は、デフォルトＥＰＳベアラコンテキストアクティブ化要求メッセージを含むＲＲＣメッセージを受信する。さらに、第７から第１６の識別情報のうちの１つ以上の識別情報がデフォルトＥＰＳベアラコンテキストアクティブ化要求メッセージに含まれている場合には、ＵＥ＿Ａ１０は各識別情報を取得する。
【０６７６】
受信したＲＲＣメッセージに応答するために、ＵＥ＿Ａ１０はＲＲＣメッセージをｅＮＢ＿Ａ４５に送信する（Ｓ２４１２）。ＲＲＣメッセージは、ＲＲＣコネクション再設定完了メッセージであってよい。
【０６７７】
ｅＮＢ＿Ａ４５は、ＲＲＣコネクション再設定メッセージを受信し、受信に基づいてベアラ設定メッセージをＣ−ＳＧＮ＿Ａ９５に送信する（Ｓ２４１４）。
【０６７８】
なお、ＵＥ＿Ａ１０、及び又は、ｅＮＢ＿Ａ４５は、第３の決定に基づいて、（Ｓ２４１２）及び（Ｓ２４１４）の手続きを省略してもよい。
【０６７９】
また、ＵＥ＿Ａ１０は、デフォルトＥＰＳベアラコンテキストアクティブ化要求メッセージの受信に基づいて、デフォルトＥＰＳベアラコンテキストアクティブ化受諾メッセージを含むＲＲＣメッセージをｅＮＢ＿Ａ４５に送信する（Ｓ２４１６）。ここで、デフォルトＥＰＳベアラコンテキストアクティブ化受諾メッセージは、デフォルトＥＰＳベアラコンテキストアクティブ化要求メッセージに対する応答メッセージであってよい。
【０６８０】
なお、デフォルトＥＰＳベアラコンテキストアクティブ化受諾メッセージを含めて送信するＲＲＣメッセージは、Ｄｉｒｅｃｔ  Ｔｒａｎｓｆｅｒメッセージであってよい。
【０６８１】
ＵＥ＿Ａ１０は、デフォルトＥＰＳベアラコンテキストアクティブ化要求メッセージの
受信、及び又はデフォルトＥＰＳベアラコンテキストアクティブ化受諾メッセージの送信に基づいて、アタッチ完了状態へ遷移する。
【０６８２】
ＵＥ＿Ａ１０は、デフォルトＥＰＳベアラコンテキストアクティブ化要求メッセージに含まれる情報と、ＵＥ＿Ａ１０がもつ識別情報に基づいて、遷移するアタッチ完了状態を認識、決定してもよい。
【０６８３】
例えば、ＵＥ＿Ａ１０は、第１から第１６の識別情報のうちの１つ以上の識別情報に基づいて、遷移するアタッチ完了状態が第１のモードであるか、第３のモードであるか、第５のモードであるかを承認、決定してもよい。以下では、上述した承認、決定処理を第４の決定と表現して説明する（Ｓ２４１０）。
【０６８４】
例えば、ＵＥ＿Ａ１０が第２の識別情報を保持する、及び又は、第４の識別情報が第１の送受信手続きを用いた方法を示す場合、第１１の条件が真であるとする。
【０６８５】
更に、デフォルトＥＰＳベアラコンテキストアクティブ化要求メッセージに第８の識別情報、及び又は、第１０の識別情報が含まれる、及び又は、第１２の識別情報、及び又は、第１３の識別情報が第１の送受信手続きを用いた方法を示す、及び又は、第１６の識別情報がＳＲＢ、及び又は、ＣＲＢを識別する識別情報である場合、第１２の条件が真であるとする。
【０６８６】
更に、ＵＥ＿Ａ１０が第３の識別情報を保持する、及び又は、第４の識別情報が第２の送受信手続きを用いた方法を示す場合、第１３の条件が真であるとする。
【０６８７】
更に、デフォルトＥＰＳベアラコンテキストアクティブ化要求メッセージに第９の識別情報、及び又は、第１１の識別情報が含まれる、及び又は、第１２の識別情報、及び又は、第１３の識別情報が第２の送受信手続きを用いた方法を示す、及び又は、第１６の識別情報がＤＲＢを識別する識別情報である場合、第１４の条件が真であるとする。
【０６８８】
更に、ＵＥ＿Ａ１０が第５の識別情報を保持する場合、第１５の条件が真であるとする。
【０６８９】
更に、デフォルトＥＰＳベアラコンテキストアクティブ化要求メッセージに第１４の識別情報が含まれる、及び又は、第１６の識別情報がＤＲＢを識別する識別情報である場合、第１６の条件が真であるとする。
【０６９０】
ＵＥ＿Ａ１０は、第１１の条件が真の場合、及び又は、第１２の条件が真の場合、及び又は、第１１の条件が真、且つ、第１２の条件が真の場合、第１のモードへ遷移してもよい。
【０６９１】
また、ＵＥ＿Ａ１０は、上記の条件に限らず、第１のモードへ遷移してもよい。
【０６９２】
ＵＥ＿Ａ１０は、第１３の条件が真の場合、及び又は、第１４の条件が真の場合、及び又は、第１３の条件が真、且つ、第１４の条件が真の場合、第３のモードへ遷移してもよい。
【０６９３】
また、ＵＥ＿Ａ１０は、上記の条件に限らず、第３のモードへ遷移してもよい。
【０６９４】
ＵＥ＿Ａ１０は、第１５の条件が真の場合、及び又は、第１６の条件が真の場合、及び又は、第１５の条件が真、且つ、第１６の条件が真の場合、第５のモードへ遷移してもよ
い。
【０６９５】
また、ＵＥ＿Ａ１０は、上記の条件に限らず、第５のモードへ遷移してもよい。
【０６９６】
なお、各モードのアタッチ完了状態への遷移の条件は、上記に限らない。
【０６９７】
ＵＥ＿Ａ１０、及び又はｅＮＢ＿Ａ４５、及び又はＣ−ＳＧＮ＿Ａ９５は、デフォルトＥＰＳベアラコンテキストアクティブ化要求メッセージの送受信、及び又は、デフォルトＥＰＳベアラコンテキストアクティブ化受諾メッセージの送受信、及び又は、第４の決定に基づいて、ＰＤＮコネクションを確立してもよい。なお、ＰＤＮコネクション確立に際し、デフォルトベアラを確立してもよい。また、デフォルトベアラを構成するＲＢはＤＲＢであってよい。もしくは、デフォルトベアラを構成するＲＢはＳＲＢであってよい。
【０６９８】
より詳細には、ＵＥ＿Ａ１０、及び又はｅＮＢ＿Ａ４５、及び又はＣ−ＳＧＮ＿Ａ９５は、ＰＤＮコネクション、及び又は、デフォルトベアラ、及び又は、ＳＲＢを確立してもよい。
【０６９９】
また、アタッチ完了状態が第３のモード、及び又は、第５のモードの場合、ＵＥ＿Ａ１０、及び又はｅＮＢ＿Ａ４５、及び又はＣ−ＳＧＮ＿Ａ９５は、ＤＲＢを確立してもよい。
【０７００】
また、アタッチ完了状態が第１のモードの場合、ＵＥ＿Ａ１０、及び又はｅＮＢ＿Ａ４５、及び又はＣ−ＳＧＮ＿Ａ９５は、ＤＲＢを確立しなくてもよい。言い換えると、アタッチ完了状態が第１のモードの場合、ＵＥ＿Ａ１０、及び又はｅＮＢ＿Ａ４５、及び又はＣ−ＳＧＮ＿Ａ９５は、ＤＲＢを確立せずに、ＳＲＢを確立してもよい。
【０７０１】
ｅＮＢ＿４５は、デフォルトＥＰＳベアラコンテキストアクティブ化受諾メッセージが含まれるＲＲＣメッセージを受信し、デフォルトＥＰＳベアラコンテキストアクティブ化受諾メッセージをＣ−ＳＧＮ＿Ａ９５に送信する（Ｓ２４１８）。
【０７０２】
また、ＵＥ＿Ａ１０は第４の決定に基づいて、デフォルトＥＰＳベアラコンテキストアクティブ化受諾メッセージの送信に伴い、アイドルモードに遷移してもよい。より詳細には、ＵＥ＿Ａ１０は、遷移するアタッチ完了状態が第３のモード、及び又は、第５のモードの場合、デフォルトＥＰＳベアラコンテキストアクティブ化受諾メッセージの送信に伴い、アイドルモードに遷移してもよい。
【０７０３】
もしくは、デフォルトＥＰＳベアラコンテキストアクティブ化受諾メッセージを含めたＤｉｒｅｃｔ  Ｔｒａｎｓｆｅｒメッセージに対する応答としてｅＮＢ＿Ａ４５からＲＲＣメッセージを受信し、ＵＥ＿Ａ１０は第４の決定に基づいて、応答メッセージの受信に伴い、アイドルモードに遷移してもよい。
【０７０４】
より詳細な例としては、ＵＥ＿Ａ１０は、デフォルトＥＰＳベアラコンテキストアクティブ化受諾メッセージ及び又はＤｉｒｅｃｔ  Ｔｒａｎｓｆｅｒメッセージにアイドルモードに遷移することを示す識別情報を含めて送信してもよい。
【０７０５】
さらに、Ｄｉｒｅｃｔ  Ｔｒａｎｓｆｅｒメッセージを受信したｅＮＢ＿Ａ４５は、受信した識別情報に基づいて、応答となるＲＲＣメッセージをＵＥ＿Ａ１０に送信してもよい。このように、応答となるＲＲＣメッセージは、アイドルモードへの遷移を許可するためのメッセージであってよい。
【０７０６】
言いかえると、ＵＥ＿Ａ１０は、アイドルモードに遷移するかアクティブモードを維持するかを第４の決定に基づいて選択することができる。
【０７０７】
Ｃ−ＳＧＮ＿Ａ９５は、デフォルトＥＰＳベアラコンテキストアクティブ化受諾メッセージを受信する。
【０７０８】
Ｃ−ＳＧＮ＿Ａ９５は、デフォルトＥＰＳベアラコンテキストアクティブ化受諾メッセージの受信に基づき、ＵＥ＿Ａ１０に対する接続状態をアイドルモードに遷移してもよい。
【０７０９】
つまり、Ｃ−ＳＧＮ＿Ａ９５は、デフォルトＥＰＳベアラコンテキストアクティブ化要求メッセージの送信、又は、デフォルトＥＰＳベアラコンテキストアクティブ化受諾メッセージの受信に基づいて、ＵＥ＿Ａ１０の状態を、アイドルモードとして管理してよい。
【０７１０】
より詳細には、遷移したアタッチ完了状態が第３のモード、及び又は第５のモードである場合、Ｃ−ＳＧＮ＿Ａ９５は、デフォルトＥＰＳベアラコンテキストアクティブ化要求メッセージの送信、又は、デフォルトＥＰＳベアラコンテキストアクティブ化受諾メッセージの受信に基づいて、ＵＥ＿Ａ１０の状態を、アイドルモードとして管理してよい。
【０７１１】
また、ＵＥ＿Ａ１０、及び又は、ｅＮＢ＿Ａ４５は、第１６の識別情報に基づいて、デフォルトベアラとして確立されたＲＢの種類を識別してもよい。
【０７１２】
例えば、ＵＥ＿Ａ１０、及び又は、ｅＮＢ＿Ａ４５は、第１６の識別情報がＳＲＢ、及び又は、ＣＲＢを識別する識別情報である場合、ＳＲＢ、及び又は、ＣＲＢがデフォルトベアラとして確立されたことを認識してもよい。
【０７１３】
また、ＵＥ＿Ａ１０、及び又は、ｅＮＢ＿Ａ４５は、第１６の識別情報がＤＲＢを識別する識別情報である場合、ＤＲＢがデフォルトベアラとして確立されたことを認識してもよい。
【０７１４】
以上の手順により、ＵＥ＿Ａ１０はネットワークへ接続し、第１のＰＤＮ接続手続きを完了する。第１のＰＤＮ接続手続きの完了に伴い、ＵＥ＿Ａ１０、及び又はＣ−ＳＧＮ＿Ａ９５はアタッチ完了状態のモードを変更してもよい。
【０７１５】
なお、ＵＥ＿Ａ１０は、ＰＤＮ接続手続きにより、図２１で説明したＵＥコンテキストをコアネットワーク＿Ａ９０から取得し、記憶することができる。
【０７１６】
より詳細には、ＵＥ＿Ａ１０は、ＰＤＮ接続手続きにより、図２１で説明したＵＥコンテキストの内、ＰＤＮコネクションごとのＵＥコンテキスト、及び又は、ベアラごとのＵＥコンテキストをコアネットワーク＿Ａ９０から取得し、記憶することができる。
【０７１７】
更に、Ｃ−ＳＧＮ＿Ａ９５は、ＰＤＮ接続手続きにより、図１９で説明したＡ〜Ｅの各コンテキストをＵＥ＿Ａ１０又はｅＮＢ＿Ａ４５又はＨＳＳ＿Ａ５０から取得し、記憶することができる。
【０７１８】
より詳細には、Ｃ−ＳＧＮ＿Ａ９５は、ＰＤＮ接続手続きにより、図１９で説明したＡ〜Ｅの各コンテキストの内、ＰＤＮコネクションごとのＥＰＳベアラコンテキスト、及び又は、ベアラごとのＥＰＳベアラコンテキストをＵＥ＿Ａ１０又はｅＮＢ＿Ａ４５又はＨＳＳ＿Ａ５０から取得し、記憶することができる。
【０７１９】
［１．３．２．１．ＰＤＮ接続手続きの変形例］
上述したＰＤＮ接続手続き例におけるコアネットワーク＿Ａ９０は、図３を用いて説明したＣ−ＳＧＮ＿Ａ９５を含む構成のコアネットワークの場合のＰＤＮ接続手続きを説明したが、コアネットワーク＿Ａ９０は図２を用いて説明したようなＰＧＷ＿Ａ３０、ＳＧＷ＿Ａ３５、ＭＭＥ＿Ａ４０などを含んで構成されるものであってもよい。
【０７２０】
その場合、本手続きで説明したＵＥ＿Ａ１０が送信するＰＤＮ接続要求メッセージやデフォルトＥＰＳベアラコンテキストアクティブ化受諾メッセージなどのＮＡＳメッセージは、Ｃ−ＳＧＮ＿Ａ９５ではなく、ＭＭＥ４５が受信する。
【０７２１】
したがって、これまで説明したＣ−ＳＧＮ＿Ａ９５のＮＡＳメッセージの受信および処理は、ＭＭＥ＿Ａ４０が行うものとして置き換えることができる。
【０７２２】
さらに、これまで説明したＣ−ＳＧＮ＿Ａ９５のデフォルトＥＰＳベアラコンテキストアクティブ化要求メッセージなどのＮＡＳメッセージの送信および処理は、ＭＭＥ＿Ａ４０が行うものとして置き換えることができる。
【０７２３】
［１．３．３．送受信方法変更手続き例］
まず、送受信方法変更手続きの例について説明する。なお、送受信方法変更手続きはＵＥ＿Ａ１０、及び又は、コアネットワーク＿Ａ９０が主導して開始する手続きである。言い換えると、送受信方法変更手続きには、ＵＥ＿Ａ１０が主導して開始する手続きと、Ｃ−ＳＧＮ＿Ａ９５が主導して開始する手続きがある。
【０７２４】
なお、送受信方法変更手続きは、ＵＥ＿Ａ１０、及び又は、Ｃ−ＳＧＮ＿Ａ９５が、ユーザデータの送受信に用いる送受信方法を変更するための手続きである。言い換えると、送受信方法変更手続きは、ＵＥ＿Ａ１０、及び又は、Ｃ−ＳＧＮ＿Ａ９５のアタッチ完了状態を変更するための手続きである。
【０７２５】
なお、ＵＥ＿Ａ１０、及び又は、Ｃ−ＳＧＮ＿Ａ９５が送受信方法変更手続きを開始は、アタッチ手続き、及び又は、ＰＤＮ接続手続きの完了時であってよい。また、これに関わらず、ＵＥ＿Ａ１０、及び又は、Ｃ−ＳＧＮ＿Ａ９５は、ＵＥ＿Ａ１０がコアネットワーク＿Ａ９０に接続している状態であれば任意のタイミングで送受信方法変更手続きを開始してもよい。
【０７２６】
なお、送受信方法変更手続きを開始するトリガは、ＵＥの操作であってもよいし、オペレータポリシーであってもよい。
【０７２７】
より詳細には、ＵＥ＿Ａ１０主導の送受信方法変更手続きを開始するトリガは、ＵＥの操作に基づくものであってもよい。
【０７２８】
また、コアネットワーク＿Ａ９０主導の送受信方法変更手続きを開始するトリガは、ＵＥ＿Ａ１０が送信するベアラリソース変更要求メッセージの受信に基づくものではなく、オペレータのネットワークポリシーに基づくものであってもよい。
【０７２９】
ＵＥ＿Ａ１０、及び又は、Ｃ−ＳＧＮ＿Ａ９５は、送受信方法変更手続きの完了により、新たな送受信方法を用いたユーザデータの送受信が可能になる。従って、ＵＥ＿Ａ１０、及び又は、Ｃ−ＳＧＮ＿Ａ９５は、送受信方法変更手続きの完了に基づいて、アタッチ完了状態のモードを変更してもよい。
【０７３０】
なお以下では、ＵＥ＿Ａ１０主導の送受信方法変更手続きの詳細を、第１の送受信方法
変更手続き例として説明する。更に、Ｃ−ＳＧＮ＿Ａ９５主導の送受信方法変更手続きの詳細を第２の送受信変更手続き例、第３の送受信方法変更手続き例として説明する。
【０７３１】
［１．３．３．１．第１の送受信方法変更手続き例］
以下、図２５を用いて第１の送受信方法変更手続きの手順の例を説明する。
【０７３２】
まず、ＵＥ＿Ａ１０はベアラリソース変更要求メッセージをＣ−ＳＧＮ＿Ａ９５に送信する（Ｓ２５００）。なお、ＵＥ＿Ａ１０はベアラリソース変更要求メッセージをｅＮＢ＿Ａ４５に送信し、送信されたベアラリソース変更要求メッセージはｅＮＢ＿Ａ４５を介してＣ−ＳＧＮ＿Ａ９５に転送されてもよい。
【０７３３】
ＵＥ＿Ａ１０は、すくなくとも第１７から第２２の識別情報のうちの１つ以上の識別情報をベアラリソース変更要求メッセージに含めても良い。ＵＥ＿Ａ１０は、第１７から第２２の識別情報のうちの１つ以上の識別情報を含めてベアラリソース変更要求メッセージを送信することにより、ユーザデータの送受信方法の変更、及び又は、変更後のユーザデータの送受信方法の種類を要求してもよい。
【０７３４】
Ｃ−ＳＧＮ＿Ａ９５は、ベアラリソース変更要求メッセージを受信する。さらに、ベアラリソース変更要求メッセージの受信に基づいて、第１７から第２２の識別情報のうちの１つ以上の識別情報を取得する。
【０７３５】
Ｃ−ＳＧＮ＿Ａ９５は、ベアラリソース変更要求メッセージに含まれる情報と、加入者情報と、Ｃ−ＳＧＮ＿Ａ９５がもつ識別情報に基づいて、ＵＥ＿Ａ１０に対して変更後のユーザデータの送受信方法、及び又は、遷移するアタッチ完了状態を決定してもよい。
【０７３６】
例えば、Ｃ−ＳＧＮ＿Ａ９５は、第１から第２２の識別情報のうちの１つ以上の識別情報に基づいて、変更後のユーザデータの送受信方法が第１の送受信手続きを用いた方法であるか、第２の送受信手続きを用いた方法であるかを選択、決定してもよい。言い換えると、Ｃ−ＳＧＮ＿Ａ９５は、第１から第２２の識別情報のうち１つ以上の識別情報に基づいて、遷移するアタッチ完了状態が第１のモードであるか、第３のモードであるかを選択、決定してもよい。以下では、上述した選択、決定処理を第５の決定と表現して説明する（Ｓ２５０２）。
【０７３７】
例えば、Ｃ−ＳＧＮ＿Ａ９５は、第２の識別情報、及び又は、第８の識別情報、及び又は、第１０の識別情報を保持している、及び又は、ベアラリソース変更要求メッセージに第２１の識別情報が含まれる、及び又は、第１８の識別情報、及び又は、第２２の識別情報が第１の送受信手続きを用いた方法を示す、及び又は、第１９の識別情報がＳＲＢを示す、及び又は、第２０の識別情報が第１のモードを示す場合、ユーザデータの送受信方法を第１の送受信手続きを用いた方法に変更してもよいし、第１のモードへ遷移してもよい。
【０７３８】
更に、Ｃ−ＳＧＮ＿Ａ９５は、第３の識別情報、及び又は、第９の識別情報、及び又は、第１１の識別情報を保持している、及び又は、ベアラリソース変更要求メッセージに第２１の識別情報が含まれる、及び又は、第１８の識別情報、及び又は、第２２の識別情報が第２の送受信手続きを用いた方法を示す、及び又は、第１９の識別情報がＤＲＢを示す、及び又は、第２０の識別情報が第３のモードを示す場合、ユーザデータの送受信方法を第２の送受信手続きを用いた方法に変更してもよいし、第３のモードへ遷移してもよい。
【０７３９】
なお、各ユーザデータの送受信方法の変更の条件、及び又は、各モードのアタッチ完了状態への遷移の条件は、上記に限らない。
【０７４０】
また、Ｃ−ＳＧＮ＿Ａ９５は、ユーザデータの送受信方法を変更するベアラを、第１７の識別情報を用いて識別してもよい。また、送受信方法変更手続きによって新たに確立されるベアラの識別情報は、第１７の識別情報と同じあってもよい。
【０７４１】
Ｃ−ＳＧＮ＿Ａ９５は、ベアラリソース変更要求メッセージの受信、及び又は、第５の決定に基づいて、ＥＰＳベアラコンテキスト変更要求メッセージをｅＮＢ＿Ａ４５に送信する（Ｓ２５０４）。ここで、ＥＰＳベアラコンテキスト変更要求メッセージはベアラリソース変更要求メッセージに対する応答メッセージであってよい。
【０７４２】
Ｃ−ＳＧＮ＿Ａ９５は、少なくとも第２６から第３３の識別情報のうちの１つ以上の識別情報をＥＰＳベアラコンテキスト変更要求メッセージに含めても良い。
【０７４３】
なお、Ｃ−ＳＧＮ＿Ａ９５は、第５の決定に基づいて、第２６から第３３の識別情報のうちの１つ以上の識別情報を変更、及び又は、新たに作成し、ＥＰＳベアラコンテキスト変更要求メッセージに含めてもよい。
【０７４４】
具体的には、Ｃ−ＳＧＮ＿Ａ９５は、第５の決定に基づいて、第２７の識別情報、及び又は、第３２の識別情報、及び又は、第３３の識別情報に決定した新たなユーザデータの送受信方法を示す情報を入れてもよい。
【０７４５】
また、Ｃ−ＳＧＮ＿Ａ９５は、第５の決定に基づいて、第２８の識別情報に決定した新たなＲＢの種類を示す情報を入れてもよい。
【０７４６】
また、Ｃ−ＳＧＮ＿Ａ９５は、第５の決定に基づいて、第２９の識別情報に決定した、Ｃ−ＳＧＮ＿Ａ９５、及び又は、ＵＥ＿Ａ１０が遷移するアタッチ完了状態の変更後のモードを示す情報を入れてもよい。
【０７４７】
Ｃ−ＳＧＮ＿Ａ９５は、ベアラリソース変更要求メッセージの受信、及び又は、ＥＰＳベアラコンテキスト変更要求メッセージの送信、及び又は、第５の決定に基づいて、ユーザデータの送受信方法を変更してもよいし、アタッチ完了状態のモードを変更してもよい。
【０７４８】
より詳細には、Ｃ−ＳＧＮ＿Ａ９５は、ベアラリソース変更要求メッセージの受信、及び又は、ＥＰＳベアラコンテキスト変更要求メッセージの送信、及び又は、第５の決定に基づいて、ユーザデータの送受信方法を第１の送受信手続きを用いた方法から第２の送受信手続きを用いた方法、及び又は、第２の送受信手続きを用いた方法から第１の送受信手続きを用いた方法に変更してもよいし、第１のモードから第３のモード、及び又は、第３のモードから第１のモードに遷移してもよい。
【０７４９】
ｅＮＢ＿Ａ４５は、ＥＰＳベアラコンテキスト変更要求メッセージを受信し、ＥＰＳベアラコンテキスト変更要求メッセージを含めたＲＲＣメッセージをＵＥ＿Ａ１０に送信する（Ｓ２５０６）。なお、ＲＲＣメッセージは、ＲＲＣコネクション再設定要求メッセージであって良い。また、ＲＲＣメッセージは、Ｄｉｒｅｃｔ  Ｔｒａｎｓｆｅｒメッセージであってもよい。
【０７５０】
ＵＥ＿Ａ１０は、ＥＰＳベアラコンテキスト変更要求メッセージを含むＲＲＣメッセージを受信する。さらに、第２６から第３３の識別情報のうちの１つ以上の識別情報がＥＰＳベアラコンテキスト変更要求メッセージに含まれている場合には、ＵＥ＿Ａ１０は各識別情報を取得する。
【０７５１】
ＵＥ＿Ａ１０は、ＥＰＳベアラコンテキスト変更要求メッセージに含まれる情報に基づいて、変更後のユーザデータの送受信方法、及び又は、遷移するアタッチ完了状態を認識、決定してもよい。
【０７５２】
例えば、ＵＥ＿Ａ１０は、第２６から第３３の識別情報のうちの１つ以上の識別情報に基づいて、変更後のユーザデータの送受信方法が第１の送受信手続きを用いた方法であるか、第２の送受信手続きを用いた方法であるかを認識、決定してもよい。言い換えると、ＵＥ＿Ａ１０は、第２６から第３３の識別情報のうち１つ以上の識別情報に基づいて、遷移するアタッチ完了状態が第１のモードであるか、第３のモードであるかを認識、決定してもよい。以下では、上述した認識、決定処理を第６の決定と表現して説明する（Ｓ２５０８）。
【０７５３】
例えば、ＵＥ＿Ａ１０は、ＥＰＳベアラコンテキスト変更要求メッセージに第３０の識別情報が含まれる、及び又は、第２７の識別情報、及び又は、第３２の識別情報、及び又は、第３３の識別情報が第１の送受信手続きを用いた方法を示す、及び又は、第２８の識別情報がＳＲＢを示す、及び又は、第２９の識別情報が第１のモードを示す、及び又は、第２６の識別情報がＳＲＢ、及び又は、ＣＲＢを識別する識別情報である場合、変更後のユーザデータの送受信方法が第１の送受信手続きを用いた方法であると認識してもよいし、遷移先のアタッチ完了状態が第１のモードであると認識してもよい。
【０７５４】
更に、ＵＥ＿Ａ１０は、ＥＰＳベアラコンテキスト変更要求メッセージに第３０の識別情報が含まれる、及び又は、第２７の識別情報、及び又は、第３２の識別情報、及び又は、第３３の識別情報が第２の送受信手続きを用いた方法を示す、及び又は、第２８の識別情報がＤＲＢを示す、及び又は、第２９の識別情報が第２のモードを示す、及び又は、第２６の識別情報がＤＲＢを識別する識別情報である場合、変更後のユーザデータの送受信方法が第２の送受信手続きを用いた方法であると認識してもよいし、遷移先のアタッチ完了状態が第３のモードであると認識してもよい。
【０７５５】
なお、変更後の各ユーザデータの送受信方法を認識する条件、及び又は、遷移先のアタッチ完了状態のモードを認識する条件は、上記に限らない。
【０７５６】
受信したＲＲＣメッセージに応答するために、ＵＥ＿Ａ１０はＲＲＣメッセージをｅＮＢ＿Ａ４５に送信する（Ｓ２５１０）。ＲＲＣメッセージは、ＲＲＣコネクション再設定完了メッセージであってよい。
【０７５７】
ｅＮＢ＿Ａ４５は、ＲＲＣコネクション再設定メッセージを受信し、受信に基づいてベアラ設定メッセージをＣ−ＳＧＮ＿Ａ９５に送信する（Ｓ２５１２）。
【０７５８】
また、ＵＥ＿Ａ１０は、ＥＰＳベアラコンテキスト変更要求メッセージの受信に基づいて、ＥＰＳベアラコンテキスト変更受諾メッセージを含むＲＲＣメッセージをｅＮＢ＿Ａ４５に送信する（Ｓ２５１４）。ここで、ＥＰＳベアラコンテキスト変更受諾メッセージは、ＥＰＳベアラコンテキスト変更要求メッセージに対する応答メッセージであってよい。
【０７５９】
なお、ＥＰＳベアラコンテキスト変更受諾メッセージを含めて送信するＲＲＣメッセージは、Ｄｉｒｅｃｔ  Ｔｒａｎｓｆｅｒメッセージであってよい。
【０７６０】
ＵＥ＿Ａ１０は、ＥＰＳベアラコンテキスト変更要求メッセージの受信、及び又は、ＥＰＳベアラコンテキスト変更受諾メッセージの送信、及び又は、第６の決定に基づいて、
ユーザデータの送受信方法を変更してもよいし、アタッチ完了状態のモードを変更してもよい。
【０７６１】
より詳細には、ＵＥ＿Ａ１０、及び又は、ｅＮＢ＿Ａ４５、及び又はＣ−ＳＧＮ＿Ａ９５は、ＥＰＳベアラコンテキスト変更要求メッセージの送受信、及び又は、ＥＰＳベアラコンテキスト変更受諾メッセージの送信、及び又は、第６の決定に基づいて、ユーザデータの送受信方法を第１の送受信手続きを用いた方法から第２の送受信手続きを用いた方法、及び又は、第２の送受信手続きを用いた方法から第１の送受信手続きを用いた方法に変更してもよいし、アタッチ完了状態のモードを第１のモードから第３のモード、及び又は、第３のモードから第１のモードに変更してもよい。
【０７６２】
また、ＵＥ＿Ａ１０、及び又は、ｅＮＢ＿Ａ４５は、ＥＰＳベアラコンテキスト変更要求メッセージの受信、及び又は、ＥＰＳベアラコンテキスト変更受諾メッセージの送信、及び又は、第６の決定に基づいて、新たにＤＲＢを確立してもよい。
【０７６３】
より詳細には、ＵＥ＿Ａ１０、及び又は、ｅＮＢ＿Ａ４５は、変更後のユーザデータの送受信方法が第２の送受信手続きを用いた方法、及び又は、遷移後のアタッチ完了状態が第３のモードの場合、ＤＲＢを確立してもよい。
【０７６４】
また、ＵＥ＿Ａ１０、及び又は、ｅＮＢ＿Ａ４５は、第２６の識別情報に基づいて、デフォルトベアラとして確立されたＲＢの種類を識別してもよい。
【０７６５】
例えば、ＵＥ＿Ａ１０、及び又は、ｅＮＢ＿Ａ４５は、第２６の識別情報がＳＲＢ、及び又は、ＣＲＢを識別する識別情報である場合、ＳＲＢ、及び又は、ＣＲＢがデフォルトベアラとして確立されたことを認識してもよい。
【０７６６】
また、ＵＥ＿Ａ１０、及び又は、ｅＮＢ＿Ａ４５は、第２６の識別情報がＤＲＢを識別する識別情報である場合、ＤＲＢがデフォルトベアラとして確立されたことを認識してもよい。
【０７６７】
ｅＮＢ＿４５は、ＥＰＳベアラコンテキスト変更受諾メッセージが含まれるＲＲＣメッセージを受信し、ＥＰＳベアラコンテキスト変更受諾メッセージをＣ−ＳＧＮ＿Ａ９５に送信する（Ｓ２５１６）。
【０７６８】
Ｃ−ＳＧＮ＿Ａ９５は、ＥＰＳベアラコンテキスト変更受諾メッセージを受信する。
【０７６９】
以上の手順により、ＵＥ＿Ａ１０、及び又は、Ｃ−ＳＧＮ＿Ａ９５はユーザデータの送受信方法を変更し、第１の送受信方法変更手続きを完了する。第１の送受信方法変更手続きの完了に伴い、ＵＥ＿Ａ１０、及び又はＣ−ＳＧＮ＿Ａ９５はアタッチ完了状態のモードを変更してもよい。
【０７７０】
なお、ＵＥ＿Ａ１０は、第１の送受信方法変更手続きにより、図２１で説明したＵＥコンテキストをコアネットワーク＿Ａ９０から新たに取得し、記憶することができる。
【０７７１】
より詳細には、ＵＥ＿Ａ１０は、第１の送受信方法変更手続きにより、図２１で説明したＵＥコンテキストの内、ベアラごとのＵＥコンテキストをコアネットワーク＿Ａ９０から新たに取得し、記憶することができる。
【０７７２】
更に、Ｃ−ＳＧＮ＿Ａ９５は、第１の送受信方法変更手続きにより、図１９で説明したＡ〜Ｅの各コンテキストをＵＥ＿Ａ１０又はｅＮＢ＿Ａ４５又はＨＳＳ＿Ａ５０から新た
に取得し、記憶することができる。
【０７７３】
より詳細には、Ｃ−ＳＧＮ＿Ａ９５は、第１の送受信方法変更手続きにより、図１９で説明したＡ〜Ｅの各コンテキストの内、ベアラごとのＥＰＳベアラコンテキストをＵＥ＿Ａ１０又はｅＮＢ＿Ａ４５又はＨＳＳ＿Ａ５０から新たに取得し、記憶することができる。
【０７７４】
［１．３．３．２．第２の送受信方法変更手続き例］
以下、図２６を用いて第２の送受信方法変更手続きの手順の例を説明する。
【０７７５】
まず、Ｃ−ＳＧＮ＿Ａ９５は、ＥＰＳベアラコンテキスト変更要求メッセージをｅＮＢ＿Ａ４５に送信する（Ｓ２６００）。
【０７７６】
Ｃ−ＳＧＮ＿Ａ９５は、少なくとも第１７から第２３の識別情報のうちの１つ以上の識別情報をＥＰＳベアラコンテキスト変更要求メッセージに含めても良い。
【０７７７】
Ｃ−ＳＧＮ＿Ａ９５は、第１７から第２３の識別情報のうちの１つ以上の識別情報を含めてＥＰＳベアラコンテキスト変更要求メッセージを送信することにより、ユーザデータの送受信方法の変更、及び又は、変更後のユーザデータの送受信方法の種類を要求してもよい。
【０７７８】
ｅＮＢ＿Ａ４５は、ＥＰＳベアラコンテキスト変更要求メッセージを受信し、ＥＰＳベアラコンテキスト変更要求メッセージを含めたＲＲＣメッセージをＵＥ＿Ａ１０に送信する（Ｓ２６０２）。なお、ＲＲＣメッセージは、ＲＲＣコネクション再設定要求メッセージであって良い。また、ＲＲＣメッセージは、Ｄｉｒｅｃｔ  Ｔｒａｎｓｆｅｒメッセージであってもよい。
【０７７９】
ＵＥ＿Ａ１０は、ＥＰＳベアラコンテキスト変更要求メッセージを含むＲＲＣメッセージを受信する。さらに、第１７から第２３の識別情報のうちの１つ以上の識別情報がＥＰＳベアラコンテキスト変更要求メッセージに含まれている場合には、ＵＥ＿Ａ１０は各識別情報を取得する。
【０７８０】
ＵＥ＿Ａ１０は、ＥＰＳベアラコンテキスト変更要求メッセージに含まれる情報と、ＵＥ＿Ａ１０がもつ識別情報に基づいて、変更後のユーザデータの送受信方法、及び又は、遷移するアタッチ完了状態を選択、決定してもよい。
【０７８１】
例えば、ＵＥ＿Ａ１０は、第１から第２３の識別情報のうちの１つ以上の識別情報に基づいて、変更後のユーザデータの送受信方法が第１の送受信手続きを用いた方法であるか、第２の送受信手続きを用いた方法であるかを選択、決定してもよい。言い換えると、ＵＥ＿Ａ１０は、第１から第２３の識別情報のうち１つ以上の識別情報に基づいて、遷移するアタッチ完了状態が第１のモードであるか、第３のモードであるかを選択、決定してもよい。以下では、上述した選択、決定処理を第７の決定と表現して説明する（Ｓ２６０４）。
【０７８２】
例えば、ＵＥ＿Ａ１０は、第２の識別情報、及び又は、第８の識別情報、及び又は、第１０の識別情報を保持している、及び又は、ＥＰＳベアラコンテキスト変更要求メッセージに第２１の識別情報が含まれる、及び又は、第１８の識別情報、及び又は、第２３の識別情報が第１の送受信手続きを用いた方法を示す、及び又は、第１９の識別情報がＳＲＢを示す、及び又は、第２０の識別情報が第１のモードを示す場合、ユーザデータの送受信方法を第１の送受信手続きを用いた方法に変更してもよいし、第１のモードへ遷移しても
よい。
【０７８３】
更に、ＵＥ＿Ａ１０は、第３の識別情報、及び又は、第９の識別情報、及び又は、第１１の識別情報を保持している、及び又は、ＥＰＳベアラコンテキスト変更要求メッセージに第２１の識別情報が含まれる、及び又は、第１８の識別情報、及び又は、第２３の識別情報が第２の送受信手続きを用いた方法を示す、及び又は、第１９の識別情報がＤＲＢを示す、及び又は、第２０の識別情報が第３のモードを示す場合、ユーザデータの送受信方法を第２の送受信手続きを用いた方法に変更してもよいし、第３のモードへ遷移してもよい。
【０７８４】
なお、各ユーザデータの送受信方法の変更の条件、及び又は、各モードのアタッチ完了状態への遷移の条件は、上記に限らない。
【０７８５】
また、ＵＥ＿Ａ１０は、ユーザデータの送受信方法を変更するベアラを、第１７の識別情報を用いて識別してもよい。また、送受信方法変更手続きによって新たに確立されるベアラの識別情報は、第１７の識別情報と同じあってもよい。
【０７８６】
受信したＲＲＣメッセージに応答するために、ＵＥ＿Ａ１０はＲＲＣメッセージをｅＮＢ＿Ａ４５に送信する（Ｓ２６０６）。ＲＲＣメッセージは、ＲＲＣコネクション再設定完了メッセージであってよい。
【０７８７】
ｅＮＢ＿Ａ４５は、ＲＲＣコネクション再設定メッセージを受信し、受信に基づいてベアラ設定メッセージをＣ−ＳＧＮ＿Ａ９５に送信する（Ｓ２６０８）。
【０７８８】
また、ＵＥ＿Ａ１０は、ＥＰＳベアラコンテキスト変更要求メッセージの受信、及び又は、第７の決定に基づいて、ＥＰＳベアラコンテキスト変更受諾メッセージを含むＲＲＣメッセージをｅＮＢ＿Ａ４５に送信する（Ｓ２６１０）。ここで、ＥＰＳベアラコンテキスト変更受諾メッセージは、ＥＰＳベアラコンテキスト変更要求メッセージに対する応答メッセージであってよい。
【０７８９】
なお、ＥＰＳベアラコンテキスト変更受諾メッセージを含めて送信するＲＲＣメッセージは、Ｄｉｒｅｃｔ  Ｔｒａｎｓｆｅｒメッセージであってよい。
【０７９０】
ＵＥ＿Ａ１０は、少なくとも第２６から第３３の識別情報のうちの１つ以上の識別情報をＥＰＳベアラコンテキスト変更受諾メッセージに含めても良い。
【０７９１】
なお、ＵＥ＿Ａ１０は、第７の決定に基づいて、第２６から第３３の識別情報のうちの１つ以上の識別情報を変更、及び又は、新たに作成し、ＥＰＳベアラコンテキスト変更受諾メッセージに含めてもよい。
【０７９２】
具体的には、ＵＥ＿Ａ１０は、第７の決定に基づいて、第２７の識別情報、及び又は、第３１の識別情報、及び又は、第３３の識別情報に決定した新たなユーザデータの送受信方法を示す情報を入れてもよい。
【０７９３】
また、ＵＥ＿Ａ１０は、第７の決定に基づいて、第２８の識別情報に決定した新たなＲＢの種類を示す情報を入れてもよい。
【０７９４】
また、ＵＥ＿Ａ１０は、第７の決定に基づいて、第２９の識別情報に決定した、ＵＥ＿Ａ１０、及び又は、Ｃ−ＳＧＮ＿Ａ９５が遷移するアタッチ完了状態の変更後のモードを示す情報を入れてもよい。
【０７９５】
ＵＥ＿Ａ１０は、ＥＰＳベアラコンテキスト変更要求メッセージの受信、及び又は、ＥＰＳベアラコンテキスト変更受諾メッセージの送信、及び又は、第７の決定に基づいて、ユーザデータの送受信方法を変更してもよいし、アタッチ完了状態のモードを変更してもよい。
【０７９６】
より詳細には、ＵＥ＿Ａ１０は、ＥＰＳベアラコンテキスト変更要求メッセージの受信、及び又は、ＥＰＳベアラコンテキスト変更受諾メッセージの送信、及び又は、第７の決定に基づいて、ユーザデータの送受信方法を第１の送受信手続きを用いた方法から第２の送受信手続きを用いた方法、及び又は、第２の送受信手続きを用いた方法から第１の送受信手続きを用いた方法に変更してもよいし、第１のモードから第３のモード、及び又は、第３のモードから第１のモードに遷移してもよい。
【０７９７】
また、ＵＥ＿Ａ１０、及び又は、ｅＮＢ＿Ａ４５は、ＥＰＳベアラコンテキスト変更要求メッセージの受信、及び又は、ＥＰＳベアラコンテキスト変更受諾メッセージの送信、及び又は、第７の決定に基づいて、新たにＤＲＢを確立してもよい。
【０７９８】
より詳細には、ＵＥ＿Ａ１０、及び又は、ｅＮＢ＿Ａ４５は、変更後のユーザデータの送受信方法が第２の送受信手続きを用いた方法、及び又は、遷移後のアタッチ完了状態が第３のモードの場合、ＤＲＢを確立してもよい。
【０７９９】
ｅＮＢ＿４５は、ＥＰＳベアラコンテキスト変更受諾メッセージが含まれるＲＲＣメッセージを受信し、ＥＰＳベアラコンテキスト変更受諾メッセージをＣ−ＳＧＮ＿Ａ９５に送信する（Ｓ２６１２）。
【０８００】
Ｃ−ＳＧＮ＿Ａ９５は、ＥＰＳベアラコンテキスト変更受諾メッセージを受信する。
【０８０１】
さらに、第２６から第３３の識別情報のうちの１つ以上の識別情報がＥＰＳベアラコンテキスト変更受諾メッセージに含まれている場合には、ＵＥ＿Ａ１０は各識別情報を取得する。
【０８０２】
Ｃ−ＳＧＮ＿Ａ９５は、ＥＰＳベアラコンテキスト変更受諾メッセージに含まれる情報に基づいて、変更後のユーザデータの送受信方法、及び又は、遷移するアタッチ完了状態を認識、決定してもよい。
【０８０３】
例えば、Ｃ−ＳＧＮ＿Ａ９５は、第２６から第３３の識別情報のうちの１つ以上の識別情報に基づいて、変更後のユーザデータの送受信方法が第１の送受信手続きを用いた方法であるか、第２の送受信手続きを用いた方法であるかを認識、決定してもよい。言い換えると、Ｃ−ＳＧＮ＿Ａ９５は、第２６から第３３の識別情報のうち１つ以上の識別情報に基づいて、遷移するアタッチ完了状態が第１のモードであるか、第３のモードであるかを認識、決定してもよい。以下では、上述した認識、決定処理を第８の決定と表現して説明する（Ｓ２６１４）。
【０８０４】
例えば、Ｃ−ＳＧＮ＿Ａ９５は、ＥＰＳベアラコンテキスト変更受諾メッセージに第３０の識別情報が含まれる、及び又は、第２７の識別情報、及び又は、第３１の識別情報、及び又は、第３３の識別情報が第１の送受信手続きを用いた方法を示す、及び又は、第２８の識別情報がＳＲＢを示す、及び又は、第２９の識別情報が第１のモードを示す、及び又は、第２６の識別情報がＳＲＢ、及び又は、ＣＲＢを識別する識別情報である場合、変更後のユーザデータの送受信方法が第１の送受信手続きを用いた方法であると認識してもよいし、遷移先のアタッチ完了状態が第１のモードであると認識してもよい。
【０８０５】
更に、Ｃ−ＳＧＮ＿Ａ９５は、ＥＰＳベアラコンテキスト変更受諾メッセージに第３０の識別情報が含まれる、及び又は、第２７の識別情報、及び又は、第３１の識別情報、及び又は、第３３の識別情報が第２の送受信手続きを用いた方法を示す、及び又は、第２８の識別情報がＤＲＢを示す、及び又は、第２９の識別情報が第２のモードを示す、及び又は、第２６の識別情報がＤＲＢを識別する識別情報である場合、変更後のユーザデータの送受信方法が第２の送受信手続きを用いた方法であると認識してもよいし、遷移先のアタッチ完了状態が第３のモードであると認識してもよい。
【０８０６】
なお、変更後の各ユーザデータの送受信方法を認識する条件、及び又は、遷移先のアタッチ完了状態のモードを認識する条件は、上記に限らない。
【０８０７】
Ｃ−ＳＧＮ＿Ａ９５は、ＥＰＳベアラコンテキスト変更受諾メッセージの受信、及び又は、第８の決定に基づいて、ユーザデータの送受信方法を変更してもよいし、アタッチ完了状態のモードを変更してもよい。
【０８０８】
より詳細には、ＵＥ＿Ａ１０、及び又は、ｅＮＢ＿Ａ４５、及び又はＣ−ＳＧＮ＿Ａ９５は、ＥＰＳベアラコンテキスト変更受諾メッセージの送受信、及び又は、第８の決定に基づいて、ユーザデータの送受信方法を第１の送受信手続きを用いた方法から第２の送受信手続きを用いた方法、及び又は、第２の送受信手続きを用いた方法から第１の送受信手続きを用いた方法に変更してもよいし、アタッチ完了状態のモードを第１のモードから第３のモード、及び又は、第３のモードから第１のモードに変更してもよい。
【０８０９】
また、ＵＥ＿Ａ１０、及び又は、ｅＮＢ＿Ａ４５は、第２６の識別情報に基づいて、デフォルトベアラとして確立されたＲＢの種類を識別してもよい。
【０８１０】
例えば、ＵＥ＿Ａ１０、及び又は、ｅＮＢ＿Ａ４５は、第２６の識別情報がＳＲＢ、及び又は、ＣＲＢを識別する識別情報である場合、ＳＲＢ、及び又は、ＣＲＢがデフォルトベアラとして確立されたことを認識してもよい。
【０８１１】
また、ＵＥ＿Ａ１０、及び又は、ｅＮＢ＿Ａ４５は、第２６の識別情報がＤＲＢを識別する識別情報である場合、ＤＲＢがデフォルトベアラとして確立されたことを認識してもよい。
【０８１２】
以上の手順により、ＵＥ＿Ａ１０、及び又は、Ｃ−ＳＧＮ＿Ａ９５はユーザデータの送受信方法を変更し、第２の送受信方法変更手続きを完了する。第２の送受信方法変更手続きの完了に伴い、ＵＥ＿Ａ１０、及び又はＣ−ＳＧＮ＿Ａ９５はアタッチ完了状態のモードを変更してもよい。
【０８１３】
なお、ＵＥ＿Ａ１０は、第２の送受信変更手続きにより、図２１で説明したＵＥコンテキストをコアネットワーク＿Ａ９０から新たに取得し、記憶することができる。
【０８１４】
より詳細には、ＵＥ＿Ａ１０は、第２の送受信変更手続きにより、図２１で説明したＵＥコンテキストの内、ベアラごとのＵＥコンテキストをコアネットワーク＿Ａ９０から新たに取得し、記憶することができる。
【０８１５】
更に、Ｃ−ＳＧＮ＿Ａ９５は、第２の送受信変更手続きにより、図１９で説明したＡ〜Ｅの各コンテキストをＵＥ＿Ａ１０又はｅＮＢ＿Ａ４５又はＨＳＳ＿Ａ５０から新たに取得し、記憶することができる。
【０８１６】
より詳細には、Ｃ−ＳＧＮ＿Ａ９５は、第２の送受信変更手続きにより、図１９で説明したＡ〜Ｅの各コンテキストの内、ベアラごとのＥＰＳベアラコンテキストをＵＥ＿Ａ１０又はｅＮＢ＿Ａ４５又はＨＳＳ＿Ａ５０から新たに取得し、記憶することができる。
【０８１７】
［１．３．３．３．第３の送受信方法変更手続き例］
以下、図２７を用いて第３の送受信方法変更手続きの手順の例を説明する。
【０８１８】
まず、Ｃ−ＳＧＮ＿Ａ９５は、ＥＰＳベアラコンテキスト非アクティブ化要求メッセージをｅＮＢ＿Ａ４５に送信する（Ｓ２７００）。
【０８１９】
Ｃ−ＳＧＮ＿Ａ９５は、少なくとも第１７から第２５の識別情報のうちの１つ以上の識別情報をＥＰＳベアラコンテキスト非アクティブ化要求メッセージに含めても良い。
【０８２０】
Ｃ−ＳＧＮ＿Ａ９５は、第１７から第２５の識別情報のうちの１つ以上の識別情報を含めてＥＰＳベアラコンテキスト非アクティブ化要求メッセージを送信することにより、ユーザデータの送受信方法の変更、及び又は、変更後のユーザデータの送受信方法の種類を要求してもよい。
【０８２１】
言い換えると、Ｃ−ＳＧＮ＿Ａ９５は、第１７から第２５の識別情報のうちの１つ以上の識別情報を含めてＥＰＳベアラコンテキスト非アクティブ化要求メッセージを送信することにより、ＰＤＮコネクション、及び又は、デフォルトベアラの再確立、及び又は、再確立後のユーザデータの送受信方法の種類を要求してもよい。
【０８２２】
ｅＮＢ＿Ａ４５は、ＥＰＳベアラコンテキスト非アクティブ化要求メッセージを受信し、ＥＰＳベアラコンテキスト非アクティブ化要求メッセージを含めたＲＲＣメッセージをＵＥ＿Ａ１０に送信する（Ｓ２７０２）。なお、ＲＲＣメッセージは、ＲＲＣコネクション再設定要求メッセージであって良い。また、ＲＲＣメッセージは、Ｄｉｒｅｃｔ  Ｔｒａｎｓｆｅｒメッセージであってもよい。
【０８２３】
ＵＥ＿Ａ１０は、ＥＰＳベアラコンテキスト非アクティブ化要求メッセージを含むＲＲＣメッセージを受信する。さらに、第１７から第２５の識別情報のうちの１つ以上の識別情報がＥＰＳベアラコンテキスト非アクティブ化要求メッセージに含まれている場合には、ＵＥ＿Ａ１０は各識別情報を取得する。
【０８２４】
ＵＥ＿Ａ１０は、ＥＰＳベアラコンテキスト非アクティブ化要求メッセージに含まれる情報、及び又は、ＵＥ＿Ａ１０がもつ識別情報に基づいて、ＰＤＮコネクション、及び又は、デフォルトベアラの再確立の要否、及び又は、再確立後のユーザデータの送受信方法、及び又は、遷移するアタッチ完了状態を選択、決定してもよい。
【０８２５】
例えば、ＵＥ＿Ａ１０は、第１から第２５の識別情報のうちの１つ以上の識別情報に基づいて、ＰＤＮコネクション、及び又は、デフォルトベアラの再確立が必要であるか否か、及び又は、再確立後のユーザデータの送受信方法が第１の送受信手続きを用いた方法であるか、第２の送受信手続きを用いた方法であるかを選択、決定してもよい。言い換えると、ＵＥ＿Ａ１０は、第１から第２５の識別情報のうち１つ以上の識別情報に基づいて、遷移するアタッチ完了状態が第１のモード、及び又は、第２のモードであるか、第３のモード、及び又は、第４のモードであるかを選択、決定してもよい。以下では、上述した選択、決定処理を第９の決定と表現して説明する（Ｓ２７０４）。
【０８２６】
例えば、ＵＥ＿Ａ１０は、第２の識別情報、及び又は、第８の識別情報、及び又は、第１０の識別情報を保持している、及び又は、ＥＰＳベアラコンテキスト非アクティブ化要
求メッセージに第２１の識別情報、及び又は、第２４の識別情報、及び又は、第２５の識別情報が含まれる、及び又は、第１８の識別情報、及び又は、第２３の識別情報が第１の送受信手続きを用いた方法を示す、及び又は、第１９の識別情報がＳＲＢを示す、及び又は、第２０の識別情報が第１のモードを示す場合、確立済みのＰＤＮコネクション、及び又は、デフォルトベアラを切断した後、第１の送受信手続きを用いた方法でユーザデータを送受信するためのＰＤＮコネクション、及び又は、デフォルトベアラを確立してもよい。
【０８２７】
言い換えると、ＵＥ＿Ａ１０は、この条件の場合、確立済みのＰＤＮコネクション、及び又は、デフォルトベアラを切断して第２のモードへ遷移した後、ＰＤＮ接続手続きを実施して第１のモードへ遷移してもよい。
【０８２８】
更に、ＵＥ＿Ａ１０は、第３の識別情報、及び又は、第９の識別情報、及び又は、第１１の識別情報を保持している、及び又は、ＥＰＳベアラコンテキスト非アクティブ化要求メッセージに第２１の識別情報、及び又は、第２４の識別情報、及び又は、第２５の識別情報が含まれる、及び又は、第１８の識別情報、及び又は、第２３の識別情報が第２の送受信手続きを用いた方法を示す、及び又は、第１９の識別情報がＤＲＢを示す、及び又は、第２０の識別情報が第３のモードを示す場合、確立済みのＰＤＮコネクション、及び又は、デフォルトベアラを切断した後、第２の送受信手続きを用いた方法でユーザデータを送受信するためのＰＤＮコネクション、及び又は、デフォルトベアラを確立してもよい。
【０８２９】
言い換えると、ＵＥ＿Ａ１０は、この条件の場合、確立済みのＰＤＮコネクション、及び又は、デフォルトベアラを切断して第４のモードへ遷移した後、ＰＤＮ接続手続きを実施して第３のモードへ遷移してもよい。
【０８３０】
なお、ＰＤＮコネクション、及び又は、デフォルトベアラの再確立の条件、及び又は、各ユーザデータの送受信方法の変更の条件、及び又は、各モードのアタッチ完了状態への遷移の条件は、上記に限らない。
【０８３１】
また、ＵＥ＿Ａ１０は、ユーザデータの送受信方法を変更するベアラを、第１７の識別情報を用いて識別してもよい。言い換えると、ＵＥ＿Ａ１０は、切断、及び又は、再確立するベアラを、第１７の識別情報を用いて識別してもよい。
【０８３２】
また、新たなＰＤＮ接続手続きによって確立されるベアラの識別情報は、第１７の識別情報と同じあってもよい。
【０８３３】
受信したＲＲＣメッセージに応答するために、ＵＥ＿Ａ１０はＲＲＣメッセージをｅＮＢ＿Ａ４５に送信する（Ｓ２７０６）。ＲＲＣメッセージは、ＲＲＣコネクション再設定完了メッセージであってよい。
【０８３４】
ｅＮＢ＿Ａ４５は、ＲＲＣコネクション再設定メッセージを受信し、受信に基づいてベアラ設定メッセージをＣ−ＳＧＮ＿Ａ９５に送信する（Ｓ２７０８）。
【０８３５】
また、ＵＥ＿Ａ１０は、ＥＰＳベアラコンテキスト非アクティブ化要求メッセージの受信、及び又は、第９の決定に基づいて、ＥＰＳベアラコンテキスト非アクティブ化受諾メッセージを含むＲＲＣメッセージをｅＮＢ＿Ａ４５に送信する（Ｓ２７１０）。ここで、ＥＰＳベアラコンテキスト非アクティブ化受諾メッセージは、ＥＰＳベアラコンテキスト非アクティブ化要求メッセージに対する応答メッセージであってよい。
【０８３６】
なお、ＥＰＳベアラコンテキスト非アクティブ化受諾メッセージを含めて送信するＲＲ
Ｃメッセージは、Ｄｉｒｅｃｔ  Ｔｒａｎｓｆｅｒメッセージであってよい。
【０８３７】
ＵＥ＿Ａ１０は、少なくとも第２６の識別情報をＥＰＳベアラコンテキスト非アクティブ化受諾メッセージに含めても良い。
【０８３８】
ＵＥ＿Ａ１０は、ＥＰＳベアラコンテキスト非アクティブ化要求メッセージの受信、及び又は、ＥＰＳベアラコンテキスト非アクティブ化受諾メッセージの送信、及び又は、第９の決定に基づいて、アタッチ完了状態のモードを変更してもよい。
【０８３９】
より詳細には、ＵＥ＿Ａ１０は、ＥＰＳベアラコンテキスト非アクティブ化要求メッセージの受信、及び又は、ＥＰＳベアラコンテキスト非アクティブ化受諾メッセージの送信、及び又は、第９の決定に基づいて、第１のモードから第３のモード、及び又は、第３のモードから第１のモードに遷移してもよい。
【０８４０】
ｅＮＢ＿４５は、ＥＰＳベアラコンテキスト非アクティブ化受諾メッセージが含まれるＲＲＣメッセージを受信し、ＥＰＳベアラコンテキスト非アクティブ化受諾メッセージをＣ−ＳＧＮ＿Ａ９５に送信する（Ｓ２７１２）。
【０８４１】
Ｃ−ＳＧＮ＿Ａ９５は、ＥＰＳベアラコンテキスト非アクティブ化受諾メッセージを受信する。
【０８４２】
さらに、第２６の識別情報がＥＰＳベアラコンテキスト非アクティブ化受諾メッセージに含まれている場合には、ＵＥ＿Ａ１０は第２６の識別情報を取得する。
【０８４３】
Ｃ−ＳＧＮ＿Ａ９５は、ＥＰＳベアラコンテキスト非アクティブ化受諾メッセージの受信、及び又は、第９の決定に基づいて、アタッチ完了状態のモードを変更してもよい。
【０８４４】
より詳細には、Ｃ−ＳＧＮ＿Ａ９５は、ＥＰＳベアラコンテキスト非アクティブ化受諾メッセージの受信、及び又は、第９の決定に基づいて、第１のモードから第４のモード、及び又は、第３のモードから第２のモードに遷移してもよい。
【０８４５】
ＵＥ＿Ａ１０は、ＥＰＳベアラコンテキスト非アクティブ化要求メッセージの受信、及び又は、ＥＰＳベアラコンテキスト非アクティブ化受諾メッセージの送信、及び又は、第９の決定に基づいて、ＰＤＮ接続要求メッセージをＣ−ＳＧＮ＿Ａ９５に送信してもよい。なお、ＵＥ＿Ａ１０はＰＤＮ接続要求メッセージをｅＮＢ＿Ａ４５に送信し、送信されたＰＤＮ接続要求メッセージはｅＮＢ＿Ａ４５を介してＣ−ＳＧＮ＿Ａ９５に転送されてもよい。
【０８４６】
また、ＵＥ＿Ａ１０は、第９の決定に基づいて、第１から第５の識別情報のうちの１つ以上の識別情報を含めてＰＤＮ接続要求メッセージを送信することにより、確立するＰＤＮコネクションの種類、及び又は、遷移するアタッチ完了状態のモード、及び又は、ユーザデータの送受信方法の種類を要求してもよい。
【０８４７】
上記のように、ＵＥ＿Ａ１０は、ＥＰＳベアラコンテキスト非アクティブ化要求メッセージの受信、及び又は、ＥＰＳベアラコンテキスト非アクティブ化受諾メッセージの送信、及び又は、第９の決定に基づいて、ＰＤＮコネクション、及び又は、デフォルトベアラを再確立するためのＰＤＮ接続手続きを実施してもよい（Ｓ２７１４）。
【０８４８】
なお、ＰＤＮコネクション、及び又は、デフォルトベアラを再確立するためのＰＤＮ接続手続きは、１．３．２章で説明した手続きと同様であってよく、詳細な説明は省略する
。
【０８４９】
ＵＥ＿Ａ１０、及び又は、Ｃ−ＳＧＮ＿Ａ９５は、ＥＰＳベアラコンテキスト非アクティブ化受諾メッセージの送受信、及び又は、第９の決定、及び又は、ＰＤＮ接続手続きの完了に基づいて、ユーザデータの送受信方法を変更してもよいし、アタッチ完了状態のモードを変更してもよい。
【０８５０】
より詳細には、ＵＥ＿Ａ１０、及び又は、ｅＮＢ＿Ａ４５、及び又はＣ−ＳＧＮ＿Ａ９５は、ＥＰＳベアラコンテキスト非アクティブ化受諾メッセージの送受信、及び又は、第９の決定、及び又は、ＰＤＮ接続手続きの完了に基づいて、ユーザデータの送受信方法を第１の送受信手続きを用いた方法から第２の送受信手続きを用いた方法、及び又は、第２の送受信手続きを用いた方法から第１の送受信手続きを用いた方法に変更してもよいし、アタッチ完了状態のモードを第１のモード、及び又は、第２のモード、及び又は、第４のモードから第３のモードに、及び又は、第４のモード、及び又は、第３のモード、及び又は、第２のモードから第１のモードに変更してもよい。
【０８５１】
また、ＵＥ＿Ａ１０、及び又は、ｅＮＢ＿Ａ４５は、第１６の識別情報に基づいて、デフォルトベアラとして確立されたＲＢの種類を識別してもよい。
【０８５２】
例えば、ＵＥ＿Ａ１０、及び又は、ｅＮＢ＿Ａ４５は、第１６の識別情報がＳＲＢ、及び又は、ＣＲＢを識別する識別情報である場合、ＳＲＢ、及び又は、ＣＲＢがデフォルトベアラとして確立されたことを認識してもよい。
【０８５３】
また、ＵＥ＿Ａ１０、及び又は、ｅＮＢ＿Ａ４５は、第１６の識別情報がＤＲＢを識別する識別情報である場合、ＤＲＢがデフォルトベアラとして確立されたことを認識してもよい。
【０８５４】
以上の手順により、ＵＥ＿Ａ１０、及び又は、Ｃ−ＳＧＮ＿Ａ９５はユーザデータの送受信方法を変更し、第３の送受信方法変更手続きを完了する。第３の送受信方法変更手続きの完了に伴い、ＵＥ＿Ａ１０、及び又はＣ−ＳＧＮ＿Ａ９５はアタッチ完了状態のモードを変更してもよい。
【０８５５】
なお、ＵＥ＿Ａ１０は、第３の送受信方法変更手続きにより、図２１で説明したＵＥコンテキストをコアネットワーク＿Ａ９０から新たに取得し、記憶することができる。
【０８５６】
より詳細には、ＵＥ＿Ａ１０は、第３の送受信方法変更手続きにより、図２１で説明したＵＥコンテキストの内、ベアラごとのＵＥコンテキストをコアネットワーク＿Ａ９０から新たに取得し、記憶することができる。
【０８５７】
更に、Ｃ−ＳＧＮ＿Ａ９５は、第３の送受信方法変更手続きにより、図１９で説明したＡ〜Ｅの各コンテキストをＵＥ＿Ａ１０又はｅＮＢ＿Ａ４５又はＨＳＳ＿Ａ５０から新たに取得し、記憶することができる。
【０８５８】
より詳細には、Ｃ−ＳＧＮ＿Ａ９５は、第３の送受信方法変更手続きにより、図１９で説明したＡ〜Ｅの各コンテキストの内、ベアラごとのＥＰＳベアラコンテキストをＵＥ＿Ａ１０又はｅＮＢ＿Ａ４５又はＨＳＳ＿Ａ５０から新たに取得し、記憶することができる。
【０８５９】
［１．３．３．４．送受信方法変更手続きの変形例］
上述した送受信方法変更手続き例におけるコアネットワーク＿Ａ９０は、図３を用いて
説明したＣ−ＳＧＮ＿Ａ９５を含む構成のコアネットワークの場合の送受信方法変更手続きを説明したが、コアネットワーク＿Ａ９０は図２を用いて説明したようなＰＧＷ＿Ａ３０、ＳＧＷ＿Ａ３５、ＭＭＥ＿Ａ４０などを含んで構成されるものであってもよい。
【０８６０】
その場合、本手続きで説明したＵＥ＿Ａ１０が送信するベアラリソース変更要求メッセージやＥＰＳベアラコンテキスト変更受諾メッセージ、ＥＰＳベアラコンテキスト非アクティブ化受諾メッセージなどのＮＡＳメッセージは、Ｃ−ＳＧＮ＿Ａ９５ではなく、ＭＭＥ４５が受信する。
【０８６１】
したがって、これまで説明したＣ−ＳＧＮ＿Ａ９５のＮＡＳメッセージの受信および処理は、ＭＭＥ＿Ａ４０が行うものとして置き換えることができる。
【０８６２】
さらに、これまで説明したＣ−ＳＧＮ＿Ａ９５のＥＰＳベアラコンテキスト変更要求メッセージやＥＰＳベアラコンテキスト非アクティブ化要求メッセージなどのＮＡＳメッセージの送信および処理は、ＭＭＥ＿Ａ４０が行うものとして置き換えることができる。
【０８６３】
［１．３．４．ＵＬユーザデータ送受信手続き例］
次に、ネットワークへ接続したＵＥ＿Ａ１０がＵＬユーザデータを送信する手順を説明する。
【０８６４】
以下、ＵＬユーザデータの送信手順を説明する。
【０８６５】
ＵＥ＿Ａ１０は、第１のメッセージをｅＮＢ＿Ａ４５に送信する。第１のメッセージは、少なくとも送信タイミング情報と、リソース割り当て情報を要求するためのメッセージであり、ＵＥ＿Ａ１０は、少なくともランダムに選択したプリアンブルを含めてｅＮＢ＿Ａ４５に送信する。
【０８６６】
なお、第１のメッセージは、Ｐｈｙｓｉｃａｌ層の制御信号であり、Ｍｅｓｓａｇｅ１のＲＡＣＨ（Ｒａｎｄａｍ  Ａｃｃｅｓｓ  Ｃｈａｎｎｅｌ）  Ｐｒｅａｍｂｌｅメッセージであって良い。第１のメッセージは、ＰＲＡＣＨ（Ｐｈｙｃｉｓａｌ  Ｒａｎｄｏｍ
Ａｃｃｅｓｓ  Ｃｈａｎｎｅｌ）を用いて送信されてもよい。
【０８６７】
ｅＮＢ＿Ａ４５は、第１のメッセージを受信し、第１のメッセージの応答として第２のメッセージをＵＥ＿Ａ１０に送信する。第２のメッセージには、少なくとも送信タイミング情報と、リソース割り当て情報を含めて送信する。より具体的には、送信タイミング情報はＴｉｍｉｎｇ  Ａｄｖａｎｃｅであり、リソース割り当て情報はＵＬ  Ｇｒａｎｔであってよい。第２のメッセージは、ＭＡＣ（Ｍｅｄｉａ  Ａｃｃｅｓｓ  Ｃｏｎｔｒｏｌ）層の制御信号であり、ＭＡＣ  ＲＡＲ（Ｍｅｄｉｕｍ  Ａｃｃｅｓｓ  Ｃｏｎｔｒｏｌ
Ｒａｎｄｏｍ  Ａｃｃｅｓｓ  Ｒｅｓｐｏｎｓｅ）を用いて送信されてもよい。
【０８６８】
なお、第２のメッセージは、Ｍｅｓｓａｇｅ２のＲＡＣＨ  Ｒｅｓｐｏｎｓｅメッセージであって良い。
【０８６９】
ＵＥ＿Ａ１０が第２のメッセージを受信した後の通信手続きは、後述する第１の送受信手続き例と第２の送受信手続き例と第３の送受信手続き例とに分岐することができる。
【０８７０】
ＵＥ＿Ａ１０は、第２、及び又は、第４の決定に基づいて、第１の送受信手続き例、及び又は第２の送受信手続き例、及び又は第３の送受信手続き例に分岐してもよい。
【０８７１】
［１．３．４．１．第１の送受信手続き例の説明］
第１の送受信手続き例は、ＤＲＢを確立せずに、ＵＥ＿Ａ１０がユーザデータを送受信する手続きである。言い換えると、第１の送受信手続き例は、制御メッセージを送受信するための無線ベアラを用いてユーザデータを送信するための手続きである。
【０８７２】
言い換えると、第１の送受信手続き例は、ＵＥ＿Ａ１０及びＣ−ＳＧＮ＿Ａ９５が、ＳＲＢを含むＥＰＳベアラを用いてユーザデータを送受信するための手続きである。さらに言い換えると、第１の送受信手続き例は、ＵＥ＿Ａ１０がＳＲＢを用いてユーザデータを送受信する手続きである。
【０８７３】
以下、第１の送受信手続き例の詳細を、図２８を用いて説明する。
【０８７４】
ＵＥ＿Ａ１０は、ｅＮＢ＿Ａ４５からの第２のメッセージの受信に基づき、ｅＮＢ＿Ａ４５に第３のメッセージを送信する（Ｓ２８００）。
【０８７５】
ｅＮＢ＿Ａ４５は、ＵＥ＿Ａ１０が送信した第３のメッセージを受信する。ｅＮＢ＿Ａ４５は、第３のメッセージの受信に基づき、ＵＥ＿Ａ１０に第４のメッセージを送信する（Ｓ２８０２）。
【０８７６】
ＵＥ＿Ａ１０は、ｅＮＢ＿Ａ４５が送信した第４のメッセージを送信する。ＵＥ＿Ａ１０は、第４のメッセージを受信に基づき、ｅＮＢ＿Ａ４５に第５のメッセージを送信する（Ｓ２８０４）。
【０８７７】
ＵＥ＿Ａ１０は、ＵＬユーザデータを含めたＮＡＳメッセージを、第３のメッセージ、及び又は第５のメッセージに含めて送信してもよい。なお、ＵＥ＿Ａ１０は、ＵＬユーザデータ、又はＵＬユーザデータを含めたＮＡＳメッセージを暗号化して送信してもよい。
【０８７８】
ｅＮＢ＿Ａ４５は、第３のメッセージ、及び又は第５のメッセージの受信に基づき、ＵＬユーザデータを含めたＮＡＳメッセージを受信する。
【０８７９】
ｅＮＢ＿Ａ４５は、ＵＬユーザデータを含めたＮＡＳメッセージの受信に基づき、Ｃ−ＳＧＮ＿Ａ９５にＳ１ＡＰ（Ｓ１  Ａｐｐｌｉｃａｔｉｏｎ  Ｐｒｏｔｏｃｏｌ）のＩｎｉｔｉａｌ  ＵＥメッセージを送信する（Ｓ２８０６）。
【０８８０】
ｅＮＢ＿Ａ４５は、少なくともＵＬユーザデータが含まれたＮＡＳメッセージを含めてＳ１ＡＰのＩｎｉｔｉａｌ  ＵＥメッセージを送信してもよい。
【０８８１】
ｅＮＢ＿Ａ４５は、第３のメッセージ、及び又は第５のメッセージの受信、及び又はＳ１ＡＰのＩｎｉｔｉａｌ  ＵＥメッセージの送信に基づき、ＵＥ＿Ａ１０に完了メッセージを送信してもよい（Ｓ２８０８）。
【０８８２】
ＵＥ＿Ａ１０は、ｅＮＢ＿Ａ４５が送信した完了メッセージを受信する。
【０８８３】
Ｃ−ＳＧＮ＿Ａ９５は、ｅＮＢ＿Ａ４５が送信したＳ１ＡＰのＩｎｉｔｉａｌ  ＵＥメッセージ、及び又はＳ１ＡＰのＩｎｉｔｉａｌ  ＵＥメッセージに含まれるＵＬユーザデータが含まれたＮＡＳメッセージを受信する。
【０８８４】
Ｃ−ＳＧＮ＿Ａ９５は、Ｓ１ＡＰのＩｎｉｔｉａｌ  ＵＥメッセージに含まれるＵＬユーザデータが含まれたＮＡＳメッセージの受信に基づいて、受信したＮＡＳメッセージの復号化、及び又は受信したＮＡＳメッセージに含まれるユーザデータの抽出を実施する（Ｓ２８１０）。なお、Ｃ−ＳＧＮ＿Ａ９５は、必要な場合、抽出されたユーザデータの復
号化を実施してもよい。
【０８８５】
Ｃ−ＳＧＮ＿Ａ９５は、ＮＡＳメッセージに含まれるユーザデータの抽出、及び又は復号化に基づき、ＰＤＮ＿Ａ５にユーザデータを送信する（Ｓ２８１２）。Ｃ−ＳＧＮ＿Ａ９５は、ユーザデータを復号化した後、ＰＤＮ＿Ａ５に送信してもよい。
【０８８６】
以上の手続きにより、ＵＥ＿Ａ１０は、ＤＲＢを確立せずに、ＵＬユーザデータであるスモールデータパケットをＰＤＮ＿Ａ５に送信することができる。さらに、第１の送受信手続き例が完了後、ＵＥ＿Ａ１０はアイドル状態に遷移又はアイドル状態を維持することができる。
【０８８７】
なお、送受信するユーザデータのサイズが大きい場合、ＵＥ＿Ａ１０、及び又はＣ−ＳＧＮ＿Ａ９５は、第１の送受信手続きでユーザデータを送受信せず、第２の送受信手続きを用いてユーザデータを送信してもよい。
【０８８８】
［１．３．４．２．第２の送受信手続き例の説明］
第２の送受信手続き例は、ＤＲＢを確立した後に、ＵＥ＿Ａ１０がユーザデータを送受信する手続きである。
【０８８９】
言い換えると、第２の送受信手続き例は、ＵＥ＿Ａ１０及びＣ−ＳＧＮ＿Ａ９５が、ＤＲＢを含むＥＰＳベアラを用いてユーザデータを送受信するための手続きである。さらに言い換えると、第２の送受信手続き例は、ＵＥ＿Ａ１０がＤＲＢを用いてユーザデータを送受信する手続きである。
【０８９０】
以下、第２の送受信手続き例の詳細を、図５を用いて説明する。
【０８９１】
ＵＥ＿Ａ１０は、ｅＮＢ＿Ａ４５からの第２のメッセージの受信に基づき、ｅＮＢ＿Ａ４５に第３のメッセージを送信する（Ｓ２９００）。
【０８９２】
ＵＥ＿Ａ１０は、すくなくとも、ＮＡＳメッセージ、及び又は、レジュームＩＤを、第３のメッセージに含めて送信してもよい。
【０８９３】
なお、ＮＡＳメッセージは、ＤＲＢを再確立するためのメッセージであってよい。
【０８９４】
なお、レジュームＩＤは、再確立するＤＲＢを識別する識別情報であってよい。及び又は、レジュームＩＤは、再確立するＤＲＢに対応する、ｅＮＢ＿Ａ４５が保持するコンテキストを識別する識別情報であってよい。及び又は、レジュームＩＤは、アクティブ状態のＣＩｏＴ端末をアイドル状態にすることを指示する識別情報であってよい。及び又は、レジュームＩＤは、アイドル状態のＣＩｏＴ端末をアクティブ状態にすることを指示する識別情報であってよい。
【０８９５】
例えば、ｅＮＢ＿Ａ４５は、ＵＥ＿Ａ１０に対してレジュームＩＤを送信することにより、アクティブ状態からアイドル状態に遷移してもよい。また、ＵＥ＿Ａ１０は、ｅＮＢ＿Ａ４５からレジュームＩＤを受信することによりアクティブ状態からアイドル状態に遷移してもよい。
【０８９６】
また、ＵＥ＿Ａ１０は、受信したレジュームＩＤをｅＮＢ＿Ａ４５に送信することにより、アイドル状態からアクティブ状態に遷移してもよい。また、ｅＮＢ＿Ａ４５は、ＵＥ＿Ａ１０からレジュームＩＤを受信することによりアイドル状態からアクティブ状態に遷移してもよい。
【０８９７】
なお、アクティブ状態からアイドル状態への遷移するための送受信されるレジュームＩＤと、アイドル状態からアクティブ状態に遷移するために送受信されるレジュームＩＤと、同じレジュームＩＤとすることにより、以前のアクティブ状態で用いていたコンテキストを識別することができ、ＵＥ＿Ａ１０及びｅＮＢ＿Ａ４５は、識別したコンテキストを基にＤＲＢの再確立を行うなど、前回のアクティブ状態と同様の通信状態に復帰することができる。
【０８９８】
このように、ＵＥ＿Ａ１０及びｅＮＢ＿Ａ４５は、レジュームＩＤに基づいてアクティブ状態とアイドル状態を遷移することができる。  ｅＮＢ＿Ａ４５は、ＵＥ＿Ａ１０が送信した第３のメッセージを受信する。ｅＮＢ＿Ａ４５は、第３のメッセージの受信に基づき、ＮＡＳメッセージ、及び又はレジュームＩＤを受信する。
【０８９９】
ｅＮＢ＿Ａ４５は、第３のメッセージに含まれるレジュームＩＤの受信に基づき、レジュームＩＤで識別されるＤＲＢを再確立する。
【０９００】
ｅＮＢ＿Ａ４５は、第３のメッセージの受信、及び又はレジュームＩＤで識別されるＤＲＢの再確立に基づき、ＵＥ＿Ａ１０に第４のメッセージを送信する（Ｓ２９０２）。
【０９０１】
ｅＮＢ＿Ａ４５は、すくなくとも、再確立したＤＲＢを識別するためのレジュームＩＤを第４のメッセージに含めて送信してもよい。
【０９０２】
ｅＮＢ＿Ａ４５は、第３のメッセージの受信、及び又はＮＡＳメッセージの受信、及び又はレジュームＩＤで識別されるＤＲＢの再確立、及び又は第４のメッセージの送信に基づき、ｅＮＢ＿Ａ４５の状態をアクティブモードに遷移する。
【０９０３】
ｅＮＢ＿Ａ４５は、第３のメッセージの受信、及び又はＮＡＳメッセージの受信、及び又はレジュームＩＤで識別されるＤＲＢの再確立、及び又は第４のメッセージの送信、及び又はｅＮＢ＿Ａ４５の状態のアクティブモードへの遷移に基づき、Ｃ−ＳＧＮ＿Ａ９５にＳ１ＡＰ（Ｓ１  Ａｐｐｌｉｃａｔｉｏｎ  Ｐｒｏｔｏｃｏｌ）のＵＥコンテキスト有効化メッセージを送信する（Ｓ２９０４）。ｅＮＢ＿Ａ４５は、Ｓ１ＡＰのＵＥコンテキスト有効化メッセージにＮＡＳメッセージを含めて送信してもよい。
【０９０４】
Ｃ−ＳＧＮ＿Ａ９５は、Ｓ１ＡＰのＵＥコンテキスト有効化メッセージを受信する。Ｃ−ＳＧＮ＿Ａ９５は、Ｓ１ＡＰのＵＥコンテキスト有効化メッセージの受信に基づき、Ｃ−ＳＧＮ＿Ａ９５の状態をアクティブモードに遷移する。Ｃ−ＳＧＮ＿Ａ９５は、Ｓ１ＡＰのＵＥコンテキスト有効化メッセージの受信、及び又はＮＡＳメッセージの受信、及び又はＣ−ＳＧＮ＿Ａ９５の状態のアクティブモードへの遷移に基づいて、ｅＮＢ＿Ａ４５にＳ１ＡＰのＵＥコンテキスト有効化応答メッセージを送信する（Ｓ２９０６）。
【０９０５】
ＵＥ＿Ａ１０は、ｅＮＢ＿Ａ４５が送信した第４のメッセージを受信する。ＵＥ＿Ａ１０は、第４のメッセージの受信、及び又は第４のメッセージに含まれる再確立したＤＲＢを識別するためのレジュームＩＤの受信に基づき、ＵＥ＿Ａ１０の状態をアクティブモードに遷移する。
【０９０６】
ＵＥ＿Ａ１０は、第４のメッセージの受信、及び又は第４のメッセージに含まれる再確立したＤＲＢを識別するためのレジュームＩＤの受信、及び又はＵＥ＿Ａ１０の状態のアクティブモードへの遷移に基づき、ｅＮＢ＿Ａ４５、及び又はＣ−ＳＧＮ＿Ａ９５を介してＰＤＮ＿Ａ５にＵＬユーザデータを送信する（Ｓ２９０８）（Ｓ２９１０）（Ｓ２９１２）。
【０９０７】
ＵＥ＿Ａ１０は、送信すべきＵＬユーザデータが存在する限り、ｅＮＢ＿Ａ４５、及び又はＣ−ＳＧＮ＿Ａ９５を介してＰＤＮ＿Ａ５にＵＬユーザデータを送信し続ける。なお、送信すべきデータの有無の判断は、送信すべきＵＬユーザデータを蓄積するバッファのデータ残量等から判断してもよい。
【０９０８】
以上の手続きにより、ＵＥ＿Ａ１０は、ＵＬユーザデータを送信することができる。さらに、ＵＥ＿Ａ１０は、以上の手続きにより、ＤＬ（ＤｏｗｎＬｉｎｋ）ユーザデータも受信することができる。なお、ＤＬユーザデータは，ＰＤＮ＿Ａ５から送信され、Ｃ−ＳＧＮ＿Ａ９５、ｅＮＢ＿Ａ４５を介して受信するができる。
【０９０９】
ｅＮＢ＿Ａ４５は、ＵＥ＿Ａ１０から受信したＵＬユーザデータをＣ−ＳＧＮ＿Ａ９５に転送する。
【０９１０】
ｅＮＢ＿Ａ４５は、ＵＬユーザデータの受信が一定時間ないと検知した場合、図５の（Ａ）に示すように、ＵＥ＿Ａ１０、及び又はｅＮＢ＿Ａ４５、及び又はＣ−ＳＧＮ＿Ａ９５の状態をアイドルモードに遷移するための手続きを開始する。言い換えると、ｅＮＢ＿Ａ４５は、ＵＬユーザデータを受信し続ける限り、図５の（Ａ）に示すような手続きは実施しない。
【０９１１】
ｅＮＢ＿Ａ４５は、ＵＬユーザデータの受信が一定時間ないとの検知に基づき、Ｃ−ＳＧＮ＿Ａ９５にＳ１ＡＰのＵＥコンテキスト無効化メッセージを送信する（Ｓ２９１４）。
【０９１２】
Ｃ−ＳＧＮ＿Ａ９５は、Ｓ１ＡＰのＵＥコンテキスト無効化メッセージを受信する。Ｃ−ＳＧＮ＿Ａ９５は、Ｓ１ＡＰのＵＥコンテキスト無効化メッセージの受信に基づき、Ｃ−ＳＧＮ＿Ａ９５の状態をアイドルモードに遷移する。Ｃ−ＳＧＮ＿Ａ９５は、Ｓ１ＡＰのＵＥコンテキスト無効化メッセージの受信、及び又はＣ−ＳＧＮ＿Ａ９５の状態のアイドルモードへの遷移に基づいて、ｅＮＢ＿Ａ４５にＳ１ＡＰのＵＥコンテキスト無効化応答メッセージを送信する（Ｓ２９１６）。
【０９１３】
ｅＮＢ＿Ａ４５は、ＵＥコンテキスト無効化メッセージの送信、及び又はＵＥコンテキスト無効化応答の受信に基づき、ＵＥ＿Ａ１０にＲＲＣ  Ｃｏｎｎｅｃｔｉｏｎ  Ｓｕｓｐｅｎｄメッセージを送信する（Ｓ２９１８）。
【０９１４】
ｅＮＢ＿Ａ４５は、すくなくともレジュームＩＤをＲＲＣ  Ｃｏｎｎｅｃｔｉｏｎ  Ｓｕｓｐｅｎｄメッセージに含めて送信してもよい。
【０９１５】
ここで、レジュームＩＤは、切断するＤＲＢを識別する識別情報であってよい。より詳細には、レジュームＩＤは、切断するＤＲＢに対応する、ＵＥ＿Ａ１０、及び又はｅＮＢ＿Ａ４５が保持するコンテキストを識別する識別情報であってよい。
【０９１６】
ｅＮＢ＿Ａ４５は、レジュームＩＤをＲＲＣ  Ｃｏｎｎｅｃｔｉｏｎ  Ｓｕｓｐｅｎｄメッセージの送信に基づき、レジュームＩＤによって識別されるＤＲＢを切断する。なお、ｅＮＢ＿Ａ４５は、レジュームＩＤによって識別されるＤＲＢの切断は実施するが、切断されるＤＲＢに対応するコンテキストは削除せずに、保持し続けてもよい。
【０９１７】
ｅＮＢ＿Ａ４５は、レジュームＩＤによって識別されるＤＲＢの切断に基づき、ｅＮＢ＿Ａ４５の状態をアイドルモードに遷移する。
【０９１８】
ＵＥ＿Ａ１０は、ｅＮＢ＿Ａ４５が送信するＲＲＣ  Ｃｏｎｎｅｃｔｉｏｎ  Ｓｕｓｐｅｎｄメッセージを受信する。
【０９１９】
ＵＥ＿Ａ１０は、ＲＲＣ  Ｃｏｎｎｅｃｔｉｏｎ  Ｓｕｓｐｅｎｄメッセージの受信、及び又はＲＲＣ  Ｃｏｎｎｅｃｔｉｏｎ  Ｓｕｓｐｅｎｄメッセージに含まれるレジュームＩＤの受信に基づき、レジュームＩＤによって識別されるＤＲＢを切断する。なお、ＵＥ＿Ａ１０は、レジュームＩＤによって識別されるＤＲＢの切断は実施するが、切断されるＤＲＢに対応するコンテキストは削除せずに、保持し続けてもよい。
【０９２０】
ＵＥ＿Ａ１０は、レジュームＩＤによって識別されるＤＲＢの切断に基づき、ＵＥ＿Ａ１０の状態をアイドルモードに遷移する。
【０９２１】
以上の手続きにより、ＵＥ＿Ａ１０、及び又はｅＮＢ＿Ａ４５、及び又はＣ−ＳＧＮ＿Ａ９５は、ＵＥ＿Ａ１０、及び又はｅＮＢ＿Ａ４５のコンテキストを保持しつつ、ＤＲＢを切断して、アイドルモードに遷移することができる。
【０９２２】
［１．３．４．３．第３の送受信手続き例の説明］
第３の送受信手続き例は、従来の送受信手続きである。
【０９２３】
第３の送受信手続き例は、ＤＲＢを確立した後に、ＵＥ＿Ａ１０がユーザデータを送受信する手続きである。
【０９２４】
第３の送受信手続きは、第２の送受信手続きと同様の手続きであってよい。従って、ここでの詳細な説明は省略する。
【０９２５】
ただし、第３の送受信手続きの場合、ＵＥ＿Ａ１０は、第３のメッセージにＮＡＳメッセージ、及び又はレジュームＩＤを含めずに、第５のメッセージにＮＡＳメッセージを含めて送信してもよい。
【０９２６】
さらに、ｅＮＢ＿Ａ４５とＣ−ＳＧＮ＿Ａ９５の間で送受信されるＳ１ＡＰのメッセージは、ＵＥコンテキスト有効化メッセージ、及び又はＵＥコンテキスト有効化応答メッセージに限らず、ＮＡＳメッセージを送受信するものであればよい。
【０９２７】
また、ＵＥ＿Ａ１０は、第５のメッセージに対する応答メッセージの受信に基づき、ＵＬユーザデータを送信してもよい。
【０９２８】
なお、第３の送受信手続きの場合、ＵＥ＿Ａ１０、及び又は、ｅＮＢ＿Ａ４５、及び又は、Ｃ−ＳＧＮ＿Ａ９５は、以前のアクティブ状態で用いていたコンテキストを用いず、新たなコンテキストを作成することでＤＲＢを確立してもよいし、アクティブ状態へ遷移してもよい。
【０９２９】
また、ＵＥ＿Ａ１０、及び又は、ｅＮＢ＿Ａ４５、及び又は、Ｃ−ＳＧＮ＿Ａ９５は、レジュームＩＤを含めずに、ＵＥコンテキスト無効化メッセージ、及び又は、ＲＲＣコネクション無効化メッセージを送受信してもよい。
【０９３０】
なお、ＵＥ＿Ａ１０、及び又は、ｅＮＢ＿Ａ４５、及び又は、Ｃ−ＳＧＮ＿Ａ９５は、レジュームＩＤを含めずに、ＵＥコンテキスト無効化メッセージ、及び又は、ＲＲＣコネクション無効化メッセージを送受信することで、従来通りのアイドルモードに遷移してもよい。
【０９３１】
［１．３．４．４．ＵＬユーザデータ送受信手続きの変形例］
上述したＵＬユーザデータ送受信手続き例におけるコアネットワーク＿Ａ９０は、図３を用いて説明したＣ−ＳＧＮ＿Ａ９５を含む構成のコアネットワークの場合のアタッチ手続きを説明したが、コアネットワーク＿Ａ９０は図２を用いて説明したようなＰＧＷ＿Ａ３０、ＳＧＷ＿Ａ３５、ＭＭＥ＿Ａ４０などを含んで構成されるものであってもよい。
【０９３２】
その場合、本手続きで説明したＵＥ＿Ａ１０が送信するＮＡＳメッセージは、Ｃ−ＳＧＮ＿Ａ９５ではなく、ＭＭＥ４５が受信する。
【０９３３】
したがって、これまで説明したＣ−ＳＧＮ＿Ａ９５のＮＡＳメッセージの受信および処理は、ＭＭＥ＿Ａ４０が行うものとして置き換えることができる。
【０９３４】
さらに、これまで説明したＣ−ＳＧＮ＿Ａ９５のＮＡＳメッセージの送信および処理は、ＭＭＥ＿Ａ４０が行うものとして置き換えることができる。
【０９３５】
［２．変形例］
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０９３６】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０９３７】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明は当該技術による新たな集積回路を用いることも可能である。
【０９３８】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０９３９】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０９４０】
１  通信システム
５  ＰＤＮ＿Ａ
１０  ＵＥ＿Ａ
２０  ＵＴＲＡＮ＿Ａ
２２  ｅＮＢ（ＵＴＲＡＮ）＿Ａ
２４  ＲＮＣ＿Ａ
２５  ＧＥＲＡＮ＿Ａ
２６  ＢＳＳ＿Ａ
３０  ＰＧＷ＿Ａ
３５  ＳＧＷ＿Ａ
４０  ＭＭＥ＿Ａ
４５  ｅＮＢ＿Ａ
５０  ＨＳＳ＿Ａ
５５  ＡＡＡ＿Ａ
６０  ＰＣＲＦ＿Ａ
６５  ｅＰＤＧ＿Ａ
７０  ＷＬＡＮ  ＡＮａ
７２  ＷＬＡＮ  ＡＰａ
７４  ＴＷＡＧ＿Ａ
７５  ＷＬＡＮ  ＡＮｂ
７６  ＷＬＡＮ  ＡＰｂ
８０  ＬＴＥ  ＡＮ＿Ａ
９０  コアネットワーク＿Ａ
９５  Ｃ−ＳＧＮ＿Ａ
１００  ＣＩＯＴ  ＡＮ＿Ａ
【図１】
2019050435.tif 000003
【図２】
2019050435.tif 000004
【図３】
2019050435.tif 000005
【図４】
2019050435.tif 000006
【図５】
2019050435.tif 000007
【図６】
2019050435.tif 000008
【図７】
2019050435.tif 000009
【図８】
2019050435.tif 000010
【図９】
2019050435.tif 000011
【図１０】
2019050435.tif 000012
【図１１】
2019050435.tif 000013
【図１２】
2019050435.tif 000014
【図１３】
2019050435.tif 000015
【図１４】
2019050435.tif 000016
【図１５】
2019050435.tif 000017
【図１６】
2019050435.tif 000018
【図１７】
2019050435.tif 000019
【図１８】
2019050435.tif 000020
【図１９】
2019050435.tif 000021
【図２０】
2019050435.tif 000022
【図２１】
2019050435.tif 000023
【図２２】
2019050435.tif 000024
【図２３】
2019050435.tif 000025
【図２４】
2019050435.tif 000026
【図２５】
2019050435.tif 000027
【図２６】
2019050435.tif 000028
【図２７】
2019050435.tif 000029
【図２８】
2019050435.tif 000030